(57)【要約】本明細書には、組織染色のための新規な高速アッセイに関連するデバイスおよびシステムが提供される。また、組織試料を分析するために同デバイスおよびシステムを使用する方法が開示される。2021501321.tif 000010
2021501321.tif 000002
【特許請求の範囲】
【請求項１】
組織試料を分析するためのデバイスであって、
第１のプレート；第２のプレート；複数のスペーサ；および染色液
を含み、
（ｉ）両プレートが、互いに対し、異なる構成へと動くことができ；
（ｉｉ）一方または両方のプレートが可撓性であり；
（ｉｉｉ）各プレートが、それぞれの内面に、染色液および／または標的分析対象物を含有するもしくは含有することが疑われる試料組織と接触するための試料接触区域を有し；
（ｉｖ）該プレートの一方または両方が、それぞれのプレートと固定されているスペーサを含み；
（ｖ）該スペーサが、実質的に均一な所定の高さおよび所定のスペーサ間距離を有し；
（ｖｉ）該スペーサの少なくとも１つが該試料接触区域内にあり；
該構成の１つが、
２枚のプレートが部分的または完全に離され、該プレートの間隔が該スペーサによって調節されず、該染色液および該試料が該プレートの一方または両方に付着される、開放構成
であり；
該構成のもう１つが、
該開放構成における該染色液および該試料の付着ののち形成される、閉鎖構成
であり、該閉鎖構成において、該試料の少なくとも一部が該２枚のプレートの間にあり、該染色液の少なくとも一部の層が該試料の少なくとも一部と該第２のプレートとの間にあり、染色液層の少なくとも一部の厚さが該プレート、該試料および該スペーサによって調節され、該試料表面と該第２のプレートの表面との間の平均距離が、わずかな変動はあるが２５０μｍ以下である、デバイス。
【請求項２】
組織試料を分析するためのデバイスであって、
第１のプレート；第２のプレート；複数のスペーサ；トランスファー溶液；および染色液
を含み、
（ｉ）両プレートが、互いに対し、異なる構成へと動くことができ；
（ｉｉ）一方または両方のプレートが可撓性であり；
（ｉｉｉ）各プレートが、それぞれの内面に、トランスファー溶液および／または標的分析対象物を含有するもしくは含有することが疑われる試料組織と接触するための試料接触区域を有し；
（ｉｖ）該プレートの一方または両方が、
該トランスファー溶液と接触すると該トランスファー溶液中に溶け出して該組織試料を染色するように構成されている、それぞれの試料接触区域にコートされた染色剤
を含み；
（ｖ）該プレートの一方または両方が、それぞれのプレートと固定されている該スペーサを含み；
（ｖｉ）該スペーサが、実質的に均一な所定の高さおよび所定のスペーサ間距離を有し；
（ｖｉｉ）該スペーサの少なくとも１つが該試料接触区域内にあり；
該構成の１つが、
２枚のプレートが部分的または完全に離され、該プレートの間隔が該スペーサによって調節されず、該染色液および該試料が該プレートの一方または両方に付着される、開放構成
であり；
該構成のもう１つが、
該開放構成における該染色液および該試料の付着ののち形成される、閉鎖構成
であり、該閉鎖構成において、該試料の少なくとも一部が該２枚のプレートの間にあり、該トランスファー溶液の少なくとも一部の層が該試料の少なくとも一部と該第２のプレートとの間にあり、トランスファー溶液層の少なくとも一部の厚さが該プレート、該試料および該スペーサによって調節され、該試料表面と該第２のプレートの表面との間の平均距離が、わずかな変動はあるが２５０μｍ以下である、デバイス。
【請求項３】
組織試料を分析する方法であって、以下の工程を含む、方法：
（ａ）標的分析対象物を含有するまたは含有することが疑われる組織試料を提供する工程；
（ｂ）染色液を提供する工程；
（ｃ）第１のプレート、第２のプレート、およびスペーサを提供する工程であって；
（ｉ）両プレートが、互いに対し、異なる構成へと動くことができ；
（ｉｉ）一方または両方のプレートが可撓性であり；
（ｉｉｉ）各プレートが、それぞれの内面に、該染色液および／または該組織試料と接触するための試料接触区域を有し；
（ｉｖ）該プレートの一方または両方が、それぞれのプレートと固定されているスペーサを含み；
（ｖ）該スペーサが、実質的に均一な所定の高さおよび所定のスペーサ間距離を有し；
（ｖｉ）該スペーサの少なくとも１つが試料接触区域内にある、工程；
（ｄ）該プレートが開放構成にあるとき、該染色液および該組織試料を該プレートの一方または両方に付着させる工程であって、
該開放構成は、
２枚のプレートが部分的または完全に離され、該２枚のプレートの間隔が該スペーサによって調節されず、該試料および該染色液が該プレートの一方または両方に付着される構成
である、工程；
（ｅ）（ｄ）ののち、該２枚のプレートを合わせ、該プレートを閉鎖構成へと押圧する工程であって、
押圧する工程が、少なくとも一方のプレートの区域を、同時並行的または順次に、形状適合的に押圧して、該プレートを一緒に閉鎖構成へと押圧することを含み、形状適合的に押圧することが、該試料の少なくとも一部上で該プレートに対して実質的に均一な圧力を生成し、押圧することが、該試料の少なくとも一部を両プレートの内面の間で横方向に広げ；
該構成のもう１つが、該開放構成における該染色液および該試料の付着ののち形成される閉鎖構成であり、該閉鎖構成において、該試料の少なくとも一部が該２枚のプレートの間にあり、該染色液の少なくとも一部の層が該試料の少なくとも一部と該第２のプレートとの間にあり、染色液層の少なくとも一部の厚さが該プレート、該試料および該スペーサによって調節され、該試料表面と該第２のプレートの表面との間の平均距離が、わずかな変動はあるが２５０μｍ以下である、工程；および
（ｆ）該プレートが該閉鎖構成にあるとき該標的分析対象物を分析する工程。
【請求項４】
組織試料を分析する方法であって、以下の工程を含む、方法：
（ａ）標的分析対象物を含有するまたは含有することが疑われる組織試料およびトランスファー溶液を得る工程；
（ｂ）第１のプレート、第２のプレート、およびスペーサを得る工程であって、
ｉ．両プレートが、互いに対し、異なる構成へと動くことができ；
ｉｉ．一方または両方のプレートが可撓性であり；
ｉｉｉ．各プレートが、それぞれの内面に、染色液および／または標的分析対象物を含有することが疑われる組織試料と接触するための試料接触区域を有し；
ｉｖ．該プレートの一方または両方が、
トランスファー溶液と接触すると該トランスファー溶液中に溶け出して該組織試料を染色するように構成されている、それぞれの試料接触区域にコートされた染色剤
を含み；
ｖ．該プレートの一方または両方が、それぞれのプレートと固定されているスペーサを含み；
ｖｉ．該スペーサが、実質的に均一な所定の高さおよび所定のスペーサ間距離を有し；
ｖｉｉ．該スペーサの少なくとも１つが該試料接触区域内にある、工程；
（ｃ）該プレートが開放構成にあるとき、該染色液および該組織試料を該プレートの一方または両方に付着させる工程であって、
該開放構成が、
２枚のプレートが部分的または完全に離され、該２枚のプレートの間隔が該スペーサによって調節されず、該試料および該染色液が該プレートの一方または両方に付着される構成
である、工程；
（ｄ）（ｃ）ののち、該２枚のプレートを合わせ、該プレートを閉鎖構成へと押圧する工程であって、
押圧する工程が、少なくとも一方のプレートの区域を、同時並行的または順次に、形状適合的に押圧して、該プレートを一緒に閉鎖構成へと押圧することを含み、形状適合的に押圧することが、該試料の少なくとも一部上で該プレートに対して実質的に均一な圧力を生成し、押圧することが、該試料の少なくとも一部を両プレートの内面の間で横方向に広げ；
構成のもう１つが、該開放構成における該染色液および該試料の付着ののち形成される閉鎖構成であり、該閉鎖構成において、該試料の少なくとも一部が該２枚のプレートの間にあり、該染色液の少なくとも一部の層が該試料の少なくとも一部と該第２のプレートとの間にあり、染色液層の少なくとも一部の厚さが該プレート、該試料および該スペーサによって調節され、該試料表面と該第２のプレートの表面との間の平均距離が、わずかな変動はあるが２５０μｍ以下である、工程；および
（ｅ）該プレートが該閉鎖構成にあるとき該標的分析対象物を分析する工程。
【請求項５】
組織試料を分析する方法であって、以下の工程を含む、方法：
（ａ）標的分析対象物を含有するまたは含有することが疑われる組織試料を提供する工程；
（ｂ）トランスファー溶液および染色剤を提供する工程；
（ｂ）第１のプレート、第２のプレート、およびスペーサを提供する工程であって、
ｉ．両プレートが、互いに対し、異なる構成へと動くことができ；
ｉｉ．一方または両方のプレートが可撓性であり；
ｉｉｉ．各プレートが、それぞれの内面に、該組織試料と接触するための試料接触区域を有し；
ｉｖ．該プレートの一方または両方が、
トランスファー溶液と接触すると該トランスファー溶液中に溶け出して染色液を形成し、該組織試料を染色するように構成されている、それぞれの試料接触区域にコートされた染色剤
を含み；
ｖ．該プレートの一方または両方が、それぞれのプレートと固定されているスペーサを含み；
ｖｉ．該スペーサが、実質的に均一な所定の高さおよび所定のスペーサ間距離を有し；
ｖｉｉ．該スペーサの少なくとも１つが該試料接触区域内にある、工程；
（ｃ）該プレートが開放構成にあるとき、該組織試料を該プレートの一方または両方に付着させる工程であって、
該開放構成が、
２枚のプレートが部分的または完全に離され、該２枚のプレートの間隔が該スペーサによって調節されず、該試料および該染色液が該プレートの一方または両方に付着される構成
である、工程；
（ｄ）（ｃ）ののち、該２枚のプレートを合わせ、該プレートを閉鎖構成へと押圧する工程であって、
押圧する工程が、少なくとも一方のプレートの区域を、同時並行的または順次に、形状適合的に押圧して、該プレートを一緒に該閉鎖構成へと押圧することを含み、形状適合的に押圧することが、該試料の少なくとも一部上で該プレートに対して実質的に均一な圧力を生成し、該押圧することが、該試料の少なくとも一部を両プレートの内面の間で横方向に広げ；
該構成のもう１つが、該開放構成における該染色液および該試料の付着ののち形成される閉鎖構成であり、該閉鎖構成において、該試料の少なくとも一部が該２枚のプレートの間にあり、該染色液の少なくとも一部の層が該試料の少なくとも一部と該第２のプレートとの間にあり、染色液の少なくとも一部の厚さが該プレート、該試料および該スペーサによって調節され、該試料表面と該第２のプレートの表面との間の平均距離が、わずかな変動はあるが２５０μｍ以下である、工程；および
（ｅ）該プレートが該閉鎖構成にあるとき、洗浄することなく、該標的分析対象物を分析する工程。
【請求項６】
（ａ）前記請求項のいずれか一項に記載のデバイス；および
（ｂ）均一な厚さの層中の標的分析対象物のシグナルを検出する、検出器
を含む、組織試料を分析するためのシステム。
【請求項７】
（ａ）前記請求項のいずれか一項に記載のデバイス；
（ｂ）
ｉ．試料を検出および／または画像化するための、１つまたは複数のカメラと、
ｉｉ．検出されたシグナルおよび／または該試料の画像を受信および／または処理し、遠隔通信するための、電子部品、シグナルプロセッサ、ハードウェアおよびソフトウェアと
を含む、モバイル通信デバイス；および
（ｃ）閉鎖構成にある該デバイスを収容し、該モバイル通信デバイスと係合可能であるように構成されている、アダプタ
を含み、
該アダプタが、該モバイル通信デバイスと係合すると、該閉鎖構成において該試料中の標的分析対象物の検出および／または画像化を容易にするように構成されている、
組織分析アッセイのためのスマートフォンシステム。
【請求項８】
プレートの一方または両方が、開放構成において試料をその上で乾燥させることができるように構成され、該試料が、羊水、眼房水、硝子体液、血液、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液、心膜液、腹膜液、胸膜液、膿、粘膜分泌液、唾液、呼気凝縮液、皮脂、精液、痰、汗、滑液、涙液、嘔吐物、尿およびそれらの任意の組み合わせからなる群より選択される体液を含む、前記請求項のいずれか一項に記載のデバイス、システム、スマートフォンシステムまたは方法。
【請求項９】
血液が、全血、分画された血液、血漿または血清である、請求項８記載のデバイス、システム、スマートフォンシステムまたは方法。
【請求項１０】
粘液が、鼻漏または痰である、請求項８記載のデバイス、システム、スマートフォンシステムまたは方法。
【請求項１１】
染色液が、０．１〜３．５ｍＰａ  Ｓの範囲の粘度を有する、前記請求項のいずれか一項に記載のデバイス、システム、スマートフォンシステムまたは方法。
【請求項１２】
一方または両方のプレートの試料接触区域が、開放構成において試料を一方または両方のプレート上で乾燥させるように構成され、該試料が血液スメアを含む、前記請求項のいずれか一項に記載のデバイス、システム、スマートフォンシステムまたは方法。
【請求項１３】
一方または両方のプレートの試料接触区域が試料に対して接着性であり、該試料が、１〜２００μｍの範囲の厚さを有する組織切片である、前記請求項のいずれか一項に記載のデバイス、システム、スマートフォンシステムまたは方法。
【請求項１３】
試料がパラフィン包埋されている、前記請求項のいずれか一項に記載のデバイス、システム、スマートフォンシステムまたは方法。
【請求項１４】
試料が固定されている、前記請求項のいずれか一項に記載のデバイス、システム、スマートフォンシステムまたは方法。
【請求項１５】
染色液が、試料を固定することができる固定剤を含む、前記請求項のいずれか一項に記載のデバイス、システム、スマートフォンシステムまたは方法。
【請求項１６】
染色液がブロッキング剤を含み、試料中の非特異的内在性種が、標的分析対象物を特異的に標識するために使用される検出剤と反応できないように、該ブロッキング剤が構成されている、前記請求項のいずれか一項に記載のデバイス、システム、スマートフォンシステムまたは方法。
【請求項１７】
染色液が、試料中のパラフィンを除去することができる脱パラフィン剤を含む、前記請求項のいずれか一項に記載のデバイス、システム、スマートフォンシステムまたは方法。
【請求項１８】
染色液が、標的分析対象物を含有する組織試料中の細胞を浸透化することができる浸透化剤を含む、前記請求項のいずれか一項に記載のデバイス、システム、スマートフォンシステムまたは方法。
【請求項１９】
染色液が、抗原の賦活化を促進することができる抗原賦活化剤を含む、前記請求項のいずれか一項に記載のデバイス、システム、スマートフォンシステムまたは方法。
【請求項２０】
染色液が、試料中の標的分析対象物を特異的に標識する検出剤を含む、前記請求項のいずれか一項に記載のデバイス、システム、スマートフォンシステムまたは方法。
【請求項２１】
一方または両方のプレートの試料接触区域が、ブロッキング剤を含む貯蔵部位を含み、試料中の非特異的内在性種が、標的分析対象物を特異的に標識するために使用される検出剤と反応できないように、該ブロッキング剤が構成されている、前記請求項のいずれか一項に記載のデバイス、システム、スマートフォンシステムまたは方法。
【請求項２２】
一方または両方のプレートの試料接触区域が、試料中のパラフィンを除去することができる脱パラフィン剤を含む貯蔵部位を含む、前記請求項のいずれか一項に記載のデバイス、システム、スマートフォンシステムまたは方法。
【請求項２３】
一方または両方のプレートの試料接触区域が、標的分析対象物を含有する組織試料中の細胞を浸透化することができる浸透化剤を含む貯蔵部位を含む、前記請求項のいずれか一項に記載のデバイス、システム、スマートフォンシステムまたは方法。
【請求項２４】
一方または両方のプレートの試料接触区域が、抗原の賦活化を促進することができる抗原賦活化剤を含む貯蔵部位を含む、前記請求項のいずれか一項に記載のデバイス、システム、スマートフォンシステムまたは方法。
【請求項２５】
一方または両方のプレートの試料接触区域が、試料中の標的分析対象物を特異的に標識する検出剤を含む貯蔵部位を含む、前記請求項のいずれか一項に記載のデバイス、システム、スマートフォンシステムまたは方法。
【請求項２６】
検出剤が、酸性フクシン、アルシアンブルー８ＧＸ、アリザリンレッドＳ、アニリンブルーＷＳ、オーラミンＯ、アゾカルミンＢ、アゾカルミンＧ、アズールＡ、アズールＢ、アズールＣ、塩基性フクシン、ビスマルクブラウンＹ、ブリリアントクレシルブルー、ブリリアントグリーン、カルミン、クロラゾールブラックＥ、コンゴレッド、Ｃ．Ｉ．クレシルバイオレット、クリスタルバイオレット、ダローレッド、エオシンＢ、エオシンＹ、エリスロシン、エチルエオシン、エチルグリーン、ファストグリーンＦＣＦ、フルオレセインイソチオシアネート、ギムザ染料、ヘマトキシリン、ヘマトキシリン＆エオシン、インジゴカルミン、ヤヌスグリーンＢ、ジェンナー染料１８９９、ライトグリーンＳＦ、マラカイトグリーン、マルチウスイエロー、メチルオレンジ、メチルバイオレット２Ｂ、メチレンブルー、メチレンブルー、メチレンバイオレット、（ベルントゼン）、ニュートラルレッド、ニグロシン、ナイルブルーＡ、ヌクレアファストレッド、オイルレッド、オレンジＧ、オレンジＩＩ、オルセイン、パラロサニリン、フロキシンＢ、プロタルゴールＳ、ピロニンＢ、ピロニン、レサズリン、ローズベンガル、サフラニンＯ、スーダンブラックＢ、スーダンＩＩＩ、スーダンＩＶ、テトラクロム染料（ＭａｃＮｅａｌ）、チオニン、トルイジンブルー、ワイゲルト、ライト染料およびそれらの任意の組み合わせからなる群より選択される化合物を含む、前記請求項のいずれか一項に記載のデバイス、システム、スマートフォンシステムまたは方法。
【請求項２７】
プレートの一方または両方が、それぞれの試料接触区域に、ヨウ化プロピジウム、７−ＡＡＤ、トリパンブルー、カルセインバイオレットＡＭ、カルセインＡＭ、固定可能な生死判別色素、ＳＹＴＯ９および他の核酸色素、レサズリンおよびホルマザン（ＭＴＴ／ＸＴＴ）および他のミトコンドリア色素ならびにそれらの任意の組み合わせからなる群より選択される細胞生死判別色素をさらに含む、前記請求項のいずれか一項に記載のデバイス、システム、スマートフォンシステムまたは方法。
【請求項２７】
検出剤が、試料中の標的分析対象物に特異的に結合するように構成された抗体を含む、前記請求項のいずれか一項に記載のデバイス、システム、スマートフォンシステムまたは方法。
【請求項２８】
検出剤が、試料中のＤＮＡおよび／またはＲＮＡに特異的に結合するように構成されたオリゴヌクレオチドプローブを含む、前記請求項のいずれか一項に記載のデバイス、システム、スマートフォンシステムまたは方法。
【請求項２９】
検出剤がレポータ分子で標識されており、該レポータ分子が、読み取られて分析される検出可能なシグナルを提供するように構成されている、前記請求項のいずれか一項に記載のデバイス、システム、スマートフォンシステムまたは方法。
【請求項３０】
シグナルが、
ｉ．フォトルミネセンス、エレクトロルミネセンスおよびエレクトロケミルミネセンスから選択される、ルミネセンス；
ｉｉ．光の吸収、反射、透過、回折、散乱または拡散；
ｉｉｉ．表面ラマン散乱；
ｉｖ．抵抗、キャパシタンスおよびインダクタンスから選択される、電気インピーダンス；
ｖ．磁気緩和能；ならびに
ｖｉ．それらの組み合わせ
からなる群より選択される、請求項２９記載のデバイス、システム、スマートフォンシステムまたは方法。
【請求項３１】
一方または両方のプレートの試料接触区域が、捕捉剤を含む結合部位を含み、該捕捉剤が、試料中の細胞の表面上の標的分析対象物に結合し、該細胞を固定化するように構成されている、前記請求項のいずれか一項に記載のデバイス、システム、スマートフォンシステムまたは方法。
【請求項３２】
付着させる工程が、試料をプレートの一方または両方に付着させ、乾燥させたのち、乾燥した試料の上に染色液の残りを付着させるステップをさらに含み、該試料が、一方または両方のプレート上で乾燥させる血液スメアを含む、前記請求項のいずれか一項に記載の方法。
【請求項３３】
付着させる工程が、試料をプレートの一方または両方に付着させたのち、試料の上に染色液を付着させるステップをさらに含み、一方または両方のプレートの試料接触区域が該試料に対して接着性であり、該試料が、１〜２００μｍの範囲の厚さを有する組織切片である、前記請求項のいずれか一項に記載の方法。
【請求項３４】
分析する工程（ｅ）の前に、閉鎖構成で、検出剤が均一な厚さの層および該試料にわたって拡散するために要する時間よりも長い期間、試料をインキュベートする工程をさらに含む、前記請求項のいずれか一項に記載の方法。
【請求項３５】
分析する工程（ｅ）の前に、閉鎖構成で、３０〜７５℃の範囲の所定の温度で試料をインキュベートする工程をさらに含む、前記態様のいずれか一項に記載の方法。
【請求項３６】
染色液がトランスファー溶液を含む、前記請求項のいずれか一項に記載の方法。
【請求項３７】
モバイル通信デバイスが、検査結果を、医療専門家、医療施設または保険会社へ通信するように構成されている、前記請求項のいずれか一項に記載のスマートフォンシステム。
【請求項３８】
モバイル通信デバイスが、対象に関する情報を、医療専門家、医療施設または保険会社と通信するようにさらに構成されている、前記請求項のいずれか一項に記載のスマートフォンシステム。
【請求項３９】
モバイル通信デバイスが、医療専門家から、処方箋、診断または推薦状を受け取るように構成されている、前記請求項のいずれか一項に記載のスマートフォンシステム。
【請求項４０】
モバイル通信デバイスが、ＷＩＦＩまたはセルラーネットワークを介して遠隔地と通信する、前記請求項のいずれか一項に記載のスマートフォンシステム。
【請求項４１】
モバイル通信デバイスが携帯電話である、前記請求項のいずれ一項かに記載のスマートフォンシステム。
【請求項４２】
押圧することが、ヒトの手によって実施される、前記請求項のいずれか一項に記載のデバイス、システム、スマートフォンシステムまたは方法。
【請求項４３】
一方のプレートまたは両方のプレートの内面の少なくとも一部分が親水性である、前記請求項のいずれか一項に記載のデバイス、システム、スマートフォンシステムまたは方法。
【請求項４４】
スペーサ間距離が周期的である、前記請求項のいずれか一項に記載のデバイス、システム、スマートフォンシステムまたは方法。
【請求項４５】
試料が、いかなる移送デバイスも使用することなく、直接、対象からプレートに付着される、前記請求項のいずれか一項に記載のデバイス、システム、スマートフォンシステムまたは方法。
【請求項４６】
閉鎖構成における試料変形ののち、圧縮力のいくらかまたはすべてが解除されたとき、試料が同じ最終試料厚さを維持する、前記請求項のいずれか一項に記載のデバイス、システム、スマートフォンシステムまたは方法。
【請求項４７】
スペーサがピラー形状およびほぼ均一な断面を有する、前記請求項のいずれか一項に記載のデバイス、システム、スマートフォンシステムまたは方法。
【請求項４８】
スペーサ間距離（ＳＤ）が約１２０μｍ（マイクロメートル）以下である、前記請求項のいずれか一項に記載のデバイス、システム、スマートフォンシステムまたは方法。
【請求項４９】
スペーサ間距離（ＳＤ）が約１００μｍ（マイクロメートル）以下である、前記請求項のいずれか一項に記載のデバイス、システム、スマートフォンシステムまたは方法。
【請求項５０】
可撓性プレートの厚さ（ｈ）およびヤング率（Ｅ）で割ったスペーサ間距離（ＩＳＤ）の４乗（ＩＳＤ４／（ｈＥ））が、５×１０６μｍ３／ＧＰａ以下である、前記請求項のいずれか一項に記載のデバイス、システム、スマートフォンシステムまたは方法。
【請求項５１】
可撓性プレートの厚さ（ｈ）およびヤング率（Ｅ）で割ったスペーサ間距離（ＩＳＤ）の４乗（ＩＳＤ４／（ｈＥ））が、５×１０５μｍ３／ＧＰａ以下である、前記請求項のいずれか一項に記載のデバイス、システム、スマートフォンシステムまたは方法。
【請求項５２】
スペーサが、ピラー形状と、実質的に平坦な上面と、実質的に均一な所定の高さと、分析対象物のサイズの少なくとも約２倍の大きさである所定の不変的なスペーサ間距離とを有し、該スペーサのヤング率に該スペーサの充填率を乗じたものが２ＭＰａ以上であり、該充填率が、全プレート面積に対する該スペーサ接触面積の比率であり、スペーサごとに、該スペーサの高さに対する該スペーサの横方向寸法の比率が少なくとも１である、前記請求項のいずれか一項に記載のデバイス、システム、スマートフォンシステムまたは方法。
【請求項５３】
スペーサが、ピラー形状と、実質的に平坦な上面と、実質的に均一な所定の高さと、分析対象物のサイズの少なくとも約２倍の大きさである所定の不変的なスペーサ間距離とを有し、該スペーサのヤング率に該スペーサの充填率を乗じたものが２ＭＰａ以上であり、該充填率が、全プレート面積に対する該スペーサ接触面積の比率であり、スペーサごとに、該スペーサの高さに対する該スペーサの横方向寸法の比率が少なくとも１であり、可撓性プレートの厚さ（ｈ）およびヤング率（Ｅ）で割ったスペーサ間距離（ＩＳＤ）の４乗（ＩＳＤ４／（ｈＥ））が、５×１０６μｍ３／ＧＰａ以下である、前記請求項のいずれか一項に記載のデバイス、システム、スマートフォンシステムまたは方法。
【請求項５４】
スペーサの平均幅に対する該スペーサのスペーサ間距離の比率が２以上であり、該スペーサの充填率に該スペーサのヤング率を乗じたものが２ＭＰａ以上である、前記請求項のいずれか一項に記載のデバイス、システム、スマートフォンシステムまたは方法。
【請求項５５】
標的分析対象物が、タンパク質、ペプチド、核酸、合成化合物または無機化合物である、前記請求項のいずれか一項に記載のデバイス、キット、システム、スマートフォンシステムおよび方法。
【請求項５６】
試料が、羊水、眼房水、硝子体液、血液（たとえば全血、分画された血液、血漿または血清）、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液（鼻漏および痰を含む）、心膜液、腹膜液、胸膜液、膿、粘膜分泌液、唾液、呼気凝縮液、皮脂、精液、痰、汗、滑液、涙液、嘔吐物および尿から選択される生物学的試料である、前記請求項のいずれか一項に記載のデバイス、システム、スマートフォンシステムおよび方法。
【請求項５７】
スペーサがピラーの形状を有し、ピラーの高さに対する幅の比率が１以上である、前記請求項のいずれか一項に記載のデバイス、システム、スマートフォンシステムおよび方法。
【請求項５８】
プレートの一方または両方に付着される試料が未知の量を有する、前記請求項のいずれか一項に記載のデバイス、システム、スマートフォンシステムまたは方法。
【請求項５９】
スペーサがピラーの形状を有し、該ピラーが実質的に均一な断面を有する、前記請求項のいずれか一項に記載のデバイス、システム、スマートフォンシステムおよび方法。
【請求項６０】
試料が、特定の疾患の病期と相関する化合物または生体分子の検出、精製および定量化のための試料である、前記請求項のいずれか一項に記載のデバイス、システム、スマートフォンシステムおよび方法。
【請求項６１】
試料が、感染症および寄生虫症、外傷、心血管疾患、癌、精神障害、神経精神障害、肺疾患、腎疾患および他の器質性疾患に関連する、前記請求項のいずれか一項に記載のデバイス、システム、スマートフォンシステムおよび方法。
【請求項６２】
試料が、微生物の検出、精製および定量化に関連する、前記請求項のいずれか一項に記載のデバイス、システム、スマートフォンシステムおよび方法。
【請求項６３】
試料が、環境、たとえば水、土壌または生物学的試料からのウイルス、真菌および細菌に関連する、前記請求項のいずれか一項に記載のデバイス、システム、スマートフォンシステムおよび方法。
【請求項６４】
試料が、食品安全性または国家安全保障に対して危険を呈する化合物または生物学的試料、たとえば有毒廃棄物、炭疽菌の検出、定量化に関連する、前記請求項のいずれか一項に記載のデバイス、システム、スマートフォンシステムおよび方法。
【請求項６５】
試料が、医学的または生理学的モニターにおけるバイタルパラメータの定量化に関連する、前記請求項のいずれか一項に記載のデバイス、システム、スマートフォンシステムおよび方法。
【請求項６６】
試料が、グルコース、血液、酸素レベル、全血球数に関連する、前記請求項のいずれか一項に記載のデバイス、システム、スマートフォンシステムおよび方法。
【請求項６７】
試料が、生体試料からの特定のＤＮＡまたはＲＮＡの検出および定量化に関連する、前記請求項のいずれか一項に記載のデバイス、システム、スマートフォンシステムおよび方法。
【請求項６８】
試料が、ゲノム解析のための染色体およびミトコンドリア中のＤＮＡ中の遺伝子配列の配列決定および比較に関連する、前記請求項のいずれか一項に記載のデバイス、システム、スマートフォンシステムおよび方法。
【請求項６９】
試料が、たとえば医薬品の合成または精製中の反応生成物の検出に関連する、前記請求項のいずれか一項に記載のデバイス、システム、スマートフォンシステムおよび方法。
【請求項７０】
試料が、細胞、組織、体液および糞便である、前記請求項のいずれか一項に記載のデバイス、システム、スマートフォンシステムおよび方法。
【請求項７１】
試料が、タンパク質、ペプチド、核酸、合成化合物、無機化合物の検出における試料である、前記請求項のいずれか一項に記載のデバイス、システム、スマートフォンシステムおよび方法。
【請求項７２】
試料が、ヒト、獣医学、農業、食品、環境および薬物検査の分野における試料である、前記請求項のいずれか一項に記載のデバイス、システム、スマートフォンシステムおよび方法。
【請求項７３】
試料が、血液、血清、血漿、鼻腔ぬぐい液、鼻咽頭洗浄液、唾液、尿、胃液、脊髄液、涙液、糞便、粘液、汗、耳垢（ｅａｒｗａｘ）、油、腺分泌物、脳脊髄液、組織、精液、膣液、腫瘍組織に由来する間質液、眼液、脊髄液、咽頭ぬぐい液、息、毛髪、爪、皮膚、生検組織、胎盤液、羊水、臍帯血、リンパ液、腔液、痰、膿、微生物叢、胎便、母乳、呼気凝縮液、鼻咽頭洗浄液、鼻腔ぬぐい液、咽頭ぬぐい液、糞便試料、毛髪、爪、耳垢（ｅａｒｗａｘ）、息、結合組織、筋組織、神経組織、上皮組織、軟骨、癌性試料および骨から選択される生物学的試料である、前記請求項のいずれか一項に記載のデバイス、システム、スマートフォンシステムまたは方法。
【発明の詳細な説明】
【技術分野】
【０００１】
相互参照
本出願は、２０１７年１０月２６日に出願された米国特許仮出願第６２／５７７，３４７号の恩典を主張する。同出願の開示があらゆる趣旨に関して全体として参照により本明細書に組み入れられる。
【０００２】
分野
本発明は、とりわけ、組織染色および画像化を実施するデバイスおよび方法に関する。
【背景技術】
【０００３】
背景
生物学的および化学的アッセイ（たとえば診断検査）においては、多くの場合、生物学的試料中の分析対象物を速やかかつ簡単に染色し、可視化する必要がある。本発明は、そのような目標を達成するためのデバイスおよび方法を提供する。
【発明の概要】
【０００４】
概要
１つの局面において、本発明は、組織試料を分析するためのデバイスであって、第１のプレート；第２のプレート；複数のスペーサ；および染色液を含み、両プレートが、互いに対し、異なる構成へと動くことができ；一方または両方のプレートが可撓性であり；各プレートが、それぞれの内面に、染色液および／標的分析対象物を含有するもしくは含有することが疑われる試料組織と接触するための試料接触区域を有し；プレートの一方または両方が、それぞれのプレートと固定されているスペーサを含み；スペーサが、実質的に均一な所定の高さおよび所定のスペーサ間距離を有し；スペーサの少なくとも１つが試料接触区域内にあり；構成の１つが開放構成であり、開放構成では、２枚のプレートが部分的または完全に離され、プレートの間隔がスペーサによって調節されず、染色液および試料がプレートの一方または両方に付着され；構成のもう１つが、開放構成における染色液および試料の付着ののち形成される閉鎖構成であり、閉鎖構成において、試料の少なくとも一部が２枚のプレートの間にあり、染色液の少なくとも一部の層が試料の少なくとも一部と第２のプレートとの間にあり、染色液層の少なくとも一部の厚さがプレート、試料およびスペーサによって調節され、試料表面と第２のプレートの表面との間の平均距離が２５０μｍ以下である、デバイスを提供する。
【０００５】
１つの局面において、本発明は、組織試料を分析するためのデバイスであって、第１のプレート；第２のプレート；複数のスペーサ；トランスファー溶液；および染色液を含み、両プレートが、互いに対し、異なる構成へと動くことができ；一方または両方のプレートが可撓性であり；各プレートが、それぞれの内面に、トランスファー溶液および／または標的分析対象物を含有するもしくは含有することが疑われる試料組織と接触するための試料接触区域を有し；プレートの一方または両方が、トランスファー溶液と接触するとトランスファー溶液中に溶け出して組織試料を染色するように構成されている、それぞれの試料接触区域にコートされた染色剤を含み；プレートの一方または両方が、それぞれのプレートと固定されているスペーサを含み；スペーサが、実質的に均一な所定の高さおよび所定のスペーサ間距離を有し；スペーサの少なくとも１つが試料接触区域内にあり；構成の１つが開放構成であり、開放構成では、２枚のプレートが部分的または完全に離され、プレートの間隔がスペーサによって調節されず、染色液および試料がプレートの一方または両方に付着され；構成のもう１つが、開放構成における染色液および試料の付着ののち形成される閉鎖構成であり、閉鎖構成において、試料の少なくとも一部が２枚のプレートの間にあり、トランスファー溶液の少なくとも一部の層が試料の少なくとも一部と第２のプレートとの間にあり、トランスファー溶液層の少なくとも一部の厚さがプレート、試料およびスペーサによって調節され、試料表面と第２のプレートの表面との間の平均距離が、わずかな変動はあるが２５０μｍ以下である、デバイスを提供する。
【０００６】
１つの局面において、本発明は、組織試料を分析するための方法であって、以下の工程を含む、方法を提供する：標的分析対象物を含有するまたは含有することが疑われる組織試料を提供する工程；染色液を提供する工程；第１のプレート、第２のプレート、およびスペーサを提供する工程（両プレートは、互いに対し、異なる構成へと動くことができ、一方または両方のプレートは可撓性であり；各プレートは、それぞれの内面に、染色液および／または組織試料と接触するための試料接触区域を有し；プレートの一方または両方は、それぞれのプレートと固定されているスペーサを含み；スペーサは、実質的に均一な所定の高さおよび所定のスペーサ間距離を有し；スペーサの少なくとも１つが試料接触区域内にある）；プレートが開放構成にあるとき、染色液および組織試料をプレートの一方または両方に付着させる工程（開放構成は、２枚のプレートが部分的または完全に離され、２枚のプレートの間隔がスペーサによって調節されず、試料および染色液がプレートの一方または両方に付着される構成である）；２枚のプレートを合わせ、プレートを閉鎖構成へと押圧する工程（押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部を両プレートの内面の間で横方向に広げ；構成のもう１つが、開放構成における染色液および試料の付着ののち形成される閉鎖構成であり、閉鎖構成において、試料の少なくとも一部が２枚のプレートの間にあり、染色液の少なくとも一部の層が試料の少なくとも一部と第２のプレートとの間にあり、染色液層の少なくとも一部の厚さがプレート、試料およびスペーサによって調節され、試料表面と第２のプレートの表面との間の平均距離が、わずかな変動はあるが２５０μｍ以下である）；およびプレートが閉鎖構成にあるとき標的分析対象物を分析する工程。
【０００７】
１つの局面において、本発明は、組織試料を分析するための方法であって、以下の工程を含む、方法を提供する：標的分析対象物を含有するまたは含有することが疑われる組織試料およびトランスファー溶液を得る工程；第１のプレート、第２のプレート、およびスペーサを得る工程（両プレートは、互いに対し、異なる構成へと動くことができ；一方または両方のプレートは可撓性であり；各プレートは、それぞれの内面に、染色液および／または標的分析対象物を含有することが疑われる組織試料と接触するための試料接触区域を有し；プレートの一方または両方は、トランスファー溶液と接触するとトランスファー溶液中に溶け出して組織試料を染色するように構成されている、それぞれの試料接触区域にコートされた染色剤を含み；プレートの一方または両方は、それぞれのプレートと固定されているスペーサを含み；スペーサは、実質的に均一な所定の高さおよび所定のスペーサ間距離を有し；スペーサの少なくとも１つが試料接触区域内にある）；プレートが開放構成にあるとき、染色液および組織試料をプレートの一方または両方に付着させる工程（開放構成は、２枚のプレートが部分的または完全に離され、２枚のプレートの間隔がスペーサによって調節されず、試料および染色液がプレートの一方または両方に付着される構成である）；２枚のプレートを合わせ、プレートを閉鎖構成へと押圧する工程（押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部を両プレートの内面の間で横方向に広げ；構成のもう１つが、開放構成における染色液および試料の付着ののち形成される閉鎖構成であり、閉鎖構成において、試料の少なくとも一部が２枚のプレートの間にあり、染色液の少なくとも一部の層が試料の少なくとも一部と第２のプレートとの間にあり、染色液層の少なくとも一部の厚さがプレート、試料およびスペーサによって調節され、試料表面と第２のプレートの表面との間の平均距離が、わずかな変動はあるが２５０μｍ以下である）；およびプレートが閉鎖構成にあるとき標的分析対象物を分析する工程。
【０００８】
１つの局面において、本発明は、組織試料を分析するための方法であって、以下の工程を含む、方法を提供する：標的分析対象物を含有するまたは含有することが疑われる組織試料を提供する工程；トランスファー溶液および染色剤を提供する工程；第１のプレート、第２のプレート、およびスペーサを提供する工程（両プレートは、互いに対し、異なる構成へと動くことができ；一方または両方のプレートは可撓性であり；各プレートは、それぞれの内面に、組織試料と接触するための試料接触区域を有し；プレートの一方または両方は、トランスファー溶液と接触するとトランスファー溶液中に溶け出して染色液を形成し、組織試料を染色するように構成されている、それぞれの試料接触区域にコートされた染色剤を含み；プレートの一方または両方は、それぞれのプレートと固定されているスペーサを含み；スペーサは、実質的に均一な所定の高さおよび所定のスペーサ間距離を有し；スペーサの少なくとも１つが試料接触区域内にある）；プレートが開放構成にあるとき、組織試料をプレートの一方または両方に付着させる工程（開放構成は、２枚のプレートが部分的または完全に離され、２枚のプレートの間隔がスペーサによって調節されず、試料および染色液がプレートの一方または両方に付着される構成である）；２枚のプレートを合わせ、プレートを閉鎖構成へと押圧する工程（押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部をプレートの内の間で横方向に広げ；構成のもう１つが、開放構成における染色液および試料の付着ののち形成される閉鎖構成であり、閉鎖構成において、試料の少なくとも一部が２枚のプレートの間にあり、染色液の少なくとも一部の層が試料の少なくとも一部と第２のプレートとの間にあり、染色液の少なくとも一部の厚さがプレート、試料およびスペーサによって調節され、試料表面と第２のプレートの表面との間の平均距離が、わずかな変動はあるが２５０μｍ以下である）；およびプレートが閉鎖構成にあるとき、洗浄することなく、標的分析対象物を分析する工程。
【０００９】
１つの局面において、本発明は、本開示のいずれかの態様のデバイス；および均一な厚さの層中の標的分析対象物のシグナルを検出するように構成された検出器を含む、組織試料を分析するためのシステムを提供する。
【００１０】
１つの局面において、本発明は、本開示のいずれかの態様のデバイス；試料を検出および／または画像化するための１つまたは複数のカメラと、検出されたシグナルおよび／または試料の画像を受信および／または処理し、遠隔通信するための電子部品、シグナルプロセッサ、ハードウェアおよびソフトウェアとを含むモバイル通信デバイス；および閉鎖構成にあるデバイスを収容し、モバイル通信デバイスと係合可能であるように構成されているアダプタを含み、アダプタが、モバイル通信デバイスと係合すると、閉鎖構成において試料中の標的分析対象物の検出および／または画像化を容易にするように構成されている、組織分析アッセイのためのスマートフォンシステムを提供する。
【００１１】
プレートの一方または両方が、開放構成において試料をその上で乾燥させることができるように構成され、試料が、羊水、眼房水、硝子体液、血液、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液、心膜液、腹膜液、胸膜液、膿、粘膜分泌液、唾液、呼気凝縮液、皮脂、精液、痰、汗、滑液、涙液、嘔吐物、尿およびそれらの任意の組み合わせからなる群より選択される体液を含む、本開示のいずれかの態様のデバイス、システム、スマートフォンシステムまたは方法。
【００１２】
血液が全血、分画された血液、血漿または血清である、本開示の態様のデバイス、システム、スマートフォンシステムまたは方法。
【００１３】
粘液が鼻漏または痰である、本開示の態様のデバイス、システム、スマートフォンシステムまたは方法。
【００１４】
染色液が０．１〜３．５ｍＰａ  Ｓの範囲の粘度を有する、本開示のいずれかの態様のデバイス、システム、スマートフォンシステムまたは方法。
【００１５】
一方または両方のプレートの試料接触区域が、開放構成において試料を一方または両方のプレート上で乾燥させるように構成され、試料が血液スメアを含む、本開示のいずれかの態様のデバイス、システム、スマートフォンシステムまたは方法。
【００１６】
一方または両方のプレートの試料接触区域が試料に対して接着性であり、試料が、１〜２００μｍの範囲の厚さを有する組織切片である、本開示のいずれかの態様のデバイス、システム、スマートフォンシステムまたは方法。
【００１７】
試料がパラフィン包埋されている、本開示のいずれかの態様のデバイス、システム、スマートフォンシステムまたは方法。
【００１８】
試料が固定されている、本開示のいずれかの態様のデバイス、システム、スマートフォンシステムまたは方法。
【００１９】
染色液が、試料を固定することができる固定剤を含む、本開示のいずれかの態様のデバイス、システム、スマートフォンシステムまたは方法。
【００２０】
染色液がブロッキング剤を含み、試料中の非特異的内在性種が、標的分析対象物を特異的に標識するために使用される検出剤と反応できないように、ブロッキング剤が構成されている、本開示のいずれかの態様のデバイス、システム、スマートフォンシステムまたは方法。
【００２１】
染色液が、試料中のパラフィンを除去することができる脱パラフィン剤を含む、本開示のいずれかの態様のデバイス、システム、スマートフォンシステムまたは方法。
【００２２】
染色液が、標的分析対象物を含有する組織試料中の細胞を浸透化することができる浸透化剤を含む、本開示のいずれかの態様のデバイス、システム、スマートフォンシステムまたは方法。
【００２３】
染色液が、抗原の賦活化を促進することができる抗原賦活化剤を含む、本開示のいずれかの態様のデバイス、システム、スマートフォンシステムまたは方法。
【００２４】
染色液が、試料中の標的分析対象物を特異的に標識する検出剤を含む、本開示のいずれかの態様のデバイス、システム、スマートフォンシステムまたは方法。
【００２５】
一方または両方のプレートの試料接触区域が、ブロッキング剤を含む貯蔵部位を含み、試料中の非特異的内在性種が、標的分析対象物を特異的に標識するために使用される検出剤と反応できないように、ブロッキング剤が構成されている、本開示のいずれかの態様のデバイス、システム、スマートフォンシステムまたは方法。
【００２６】
一方または両方のプレートの試料接触区域が、試料中のパラフィンを除去することができる脱パラフィン剤を含む貯蔵部位を含む、本開示のいずれかの態様のデバイス、システム、スマートフォンシステムまたは方法。
【００２７】
一方または両方のプレートの試料接触区域が、標的分析対象物を含有する組織試料中の細胞を浸透化することができる浸透化剤を含む貯蔵部位を含む、本開示のいずれかの態様のデバイス、システム、スマートフォンシステムまたは方法。
【００２８】
一方または両方のプレートの試料接触区域が、抗原の賦活化を促進することができる抗原賦活化剤を含む貯蔵部位を含む、本開示のいずれかの態様のデバイス、システム、スマートフォンシステムまたは方法。
【００２９】
一方または両方のプレートの試料接触区域が、試料中の標的分析対象物を特異的に標識する検出剤を含む貯蔵部位を含む、本開示のいずれかの態様のデバイス、システム、スマートフォンシステムまたは方法。
【００３０】
検出剤が、酸性フクシン、アルシアンブルー８ＧＸ、アリザリンレッドＳ、アニリンブルーＷＳ、オーラミンＯ、アゾカルミンＢ、アゾカルミンＧ、アズールＡ、アズールＢ、アズールＣ、塩基性フクシン、ビスマルクブラウンＹ、ブリリアントクレシルブルー、ブリリアントグリーン、カルミン、クロラゾールブラックＥ、コンゴレッド、Ｃ．Ｉ．クレシルバイオレット、クリスタルバイオレット、ダローレッド、エオシンＢ、エオシンＹ、エリスロシン、エチルエオシン、エチルグリーン、ファストグリーンＦＣＦ、フルオレセインイソチオシアネート、ギムザ染料、ヘマトキシリン、ヘマトキシリン＆エオシン、インジゴカルミン、ヤヌスグリーンＢ、ジェンナー染料１８９９、ライトグリーンＳＦ、マラカイトグリーン、マルチウスイエロー、メチルオレンジ、メチルバイオレット２Ｂ、メチレンブルー、メチレンブルー、メチレンバイオレット、（ベルントゼン）、ニュートラルレッド、ニグロシン、ナイルブルーＡ、ヌクレアファストレッド、オイルレッド、オレンジＧ、オレンジＩＩ、オルセイン、パラロサニリン、フロキシンＢ、プロタルゴールＳ、ピロニンＢ、ピロニン、レサズリン、ローズベンガル、サフラニンＯ、スーダンブラックＢ、スーダンＩＩＩ、スーダンＩＶ、テトラクロム染料（ＭａｃＮｅａｌ）、チオニン、トルイジンブルー、ワイゲルト、ライト染料およびそれらの任意の組み合わせからなる群より選択される化合物を含む、本開示のいずれかの態様のデバイス、システム、スマートフォンシステムまたは方法。
【００３１】
プレートの一方または両方がさらに、それぞれの試料接触区域に、ヨウ化プロピジウム、７−ＡＡＤ、トリパンブルー、カルセインバイオレットＡＭ、カルセインＡＭ、固定可能な生死判別色素、ＳＹＴＯ９および他の核酸色素、レサズリンおよびホルマザン（ＭＴＴ／ＸＴＴ）および他のミトコンドリア色素ならびにそれらの任意の組み合わせからなる群より選択される細胞生死判別色素を含む、本開示のいずれかの態様のデバイス、システム、スマートフォンシステムまたは方法。
【００３２】
検出剤が、試料中の標的分析対象物に特異的に結合するように構成された抗体を含む、本開示のいずれかの態様のデバイス、システム、スマートフォンシステムまたは方法。
【００３３】
検出剤が、試料中のＤＮＡおよび／またはＲＮＡに特異的に結合するように構成されたオリゴヌクレオチドプローブを含む、前記請求項のいずれかに記載の態様のデバイス、システム、スマートフォンシステムまたは方法。
【００３４】
検出剤がレポータ分子で標識されており、レポータ分子が、読み取られて分析される検出可能なシグナルを提供するように構成されている、本開示のいずれかの態様のデバイス、システム、スマートフォンシステムまたは方法。
【００３５】
シグナルが、フォトルミネセンス、エレクトロルミネセンスおよびエレクトロケミルミネセンスから選択されるルミネセンス、光の吸収、反射、透過、回折、散乱または拡散、表面ラマン散乱、抵抗、キャパシタンスおよびインダクタンスから選択される電気インピーダンス、磁気緩和能ならびにそれらの組み合わせからなる群より選択される、本開示の態様のデバイス、システム、スマートフォンシステムまたは方法。
【００３６】
一方または両方のプレートの試料接触区域が、捕捉剤を含む結合部位を含み、捕捉剤が、試料中の細胞の表面上の標的分析対象物に結合し、細胞を固定化するように構成されている、本開示のいずれかの態様のデバイス、システム、スマートフォンシステムまたは方法。
【００３７】
付着させる工程が、試料をプレートの一方または両方に付着させ、乾燥させたのち、乾燥した試料の上に染色液の残りを付着させるステップをさらに含み、試料が、一方または両方のプレート上で乾燥させる血液スメアを含む、本開示のいずれかの態様の方法。
【００３８】
付着させる工程が、試料をプレートの一方または両方に付着させたのち、試料の上に染色液を付着させるステップをさらに含み、一方または両方のプレートの試料接触区域が試料に対して接着性であり、試料が、１〜２００μｍの範囲の厚さを有する組織切片である、本開示のいずれかの態様の方法。
【００３９】
分析する工程（ｅ）の前に、閉鎖構成で、検出剤が均一な厚さの層および試料にわたって拡散するために要する時間よりも長い期間、試料をインキュベートする工程をさらに含む、本開示のいずれかの態様の方法。
【００４０】
分析する工程（ｅ）の前に、閉鎖構成で、３０〜７５℃の範囲の所定の温度で試料をインキュベートするステップをさらに含む、本開示のいずれかの態様の方法。
【００４１】
染色液がトランスファー溶液を含む、本開示のいずれかの態様の方法。
【００４２】
モバイル通信デバイスが、検査結果を医療専門家、医療施設または保険会社へ通信するように構成されている、本開示のいずれかの態様のスマートフォンシステム。
【００４３】
モバイル通信デバイスがさらに、対象に関する情報を医療専門家、医療施設または保険会社と通信するように構成されている、本開示のいずれかの態様のスマートフォンシステム。
【００４４】
モバイル通信デバイスが、医療専門家から処方箋、診断または推薦状を受け取るように構成されている、本開示のいずれかの態様のスマートフォンシステム。
【００４５】
モバイル通信デバイスがＷＩＦＩまたはセルラーネットワークを介して遠隔地と通信する、本開示のいずれかの態様のスマートフォンシステム。
【００４６】
モバイル通信デバイスが携帯電話である、本開示のいずれかの態様のスマートフォンシステム。
【００４７】
押圧することがヒトの手によって実施される、本開示のいずれかの態様のデバイス、システム、スマートフォンシステムまたは方法。
【００４８】
一方のプレートまたは両方のプレートの内面の少なくとも一部分が親水性である、本開示のいずれかの態様のデバイス、システム、スマートフォンシステムまたは方法。
【００４９】
スペーサ間距離が周期的である、本開示のいずれかの態様のデバイス、システム、スマートフォンシステムまたは方法。
【００５０】
試料が、いかなる移送デバイスも使用することなく直接、対象からプレートに付着される、本開示のいずれかの態様のデバイス、システム、スマートフォンシステムまたは方法。
【００５１】
閉鎖構成における試料変形ののち、圧縮力のいくらかまたはすべてが解除されたとき、試料が同じ最終試料厚さを維持する、本開示のいずれかの態様のデバイス、システム、スマートフォンシステムまたは方法。
【００５２】
スペーサがピラー形状およびほぼ均一な断面を有する、本開示のいずれかの態様のデバイス、システム、スマートフォンシステムまたは方法。
【００５３】
スペーサ間距離（ＳＤ）が約１２０μｍ（マイクロメートル）以下である、本開示のいずれかの態様のデバイス、システム、スマートフォンシステムまたは方法。
【００５４】
スペーサ間距離（ＳＤ）が約１００μｍ（マイクロメートル）以下である、本開示のいずれかの態様のデバイス、システム、スマートフォンシステムまたは方法。
【００５５】
可撓性プレートの厚さ（ｈ）およびヤング率（Ｅ）で割ったスペーサ間距離（ＩＳＤ）の４乗（ＩＳＤ４／（ｈＥ））が、５×１０６μｍ３／ＧＰａ以下である、本開示のいずれかの態様のデバイス、システム、スマートフォンシステムまたは方法。
【００５６】
可撓性プレートの厚さ（ｈ）およびヤング率（Ｅ）で割ったスペーサ間距離（ＩＳＤ）の４乗（ＩＳＤ４／（ｈＥ））が、５×１０５μｍ３／ＧＰａ以下である、本開示のいずれかの態様のデバイス、システム、スマートフォンシステムまたは方法。
【００５７】
スペーサが、ピラー形状と、実質的に平坦な上面と、実質的に均一な所定の高さと、分析対象物のサイズの少なくとも約２倍の大きさである所定の不変的なスペーサ間距離とを有し、スペーサのヤング率にスペーサの充填率を乗じたものが２ＭＰａ以上であり、充填率は、全プレート面積に対するスペーサ接触面積の比率であり、スペーサごとに、スペーサの高さに対するスペーサの横方向寸法の比率が少なくとも１である、本開示のいずれかの態様のデバイス、システム、スマートフォンシステムまたは方法。
【００５８】
スペーサが、ピラー形状と、実質的に平坦な上面と、実質的に均一な所定の高さと、分析対象物のサイズの少なくとも約２倍の大きさである所定の不変的なスペーサ間距離とを含み、スペーサのヤング率にスペーサの充填率を乗じたものが２ＭＰａ以上であり、充填率は、全プレート面積に対するスペーサ接触面積の比率であり、スペーサごとに、スペーサの高さに対するスペーサの横方向寸法の比率が少なくとも１であり、可撓性プレートの厚さ（ｈ）およびヤング率（Ｅ）で割ったスペーサ間距離（ＩＳＤ）の４乗（ＩＳＤ４／（ｈＥ））が、５×１０６μｍ３／ＧＰａ以下である、本開示のいずれかの態様のデバイス、システム、スマートフォンシステムまたは方法。
【００５９】
スペーサの平均幅に対するスペーサのスペーサ間距離の比率が２以上であり、スペーサの充填率にスペーサのヤング率を乗じたものが２ＭＰａ以上である、本開示のいずれかの態様のデバイス、システム、スマートフォンシステムまたは方法。
【００６０】
標的分析対象物がタンパク質、ペプチド、核酸、合成化合物または無機化合物である、本開示のいずれかの態様のデバイス、キット、システム、スマートフォンシステムおよび方法。
【００６１】
試料が、羊水、眼房水、硝子体液、血液（たとえば全血、分画された血液、血漿または血清）、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液（鼻漏および痰を含む）、心膜液、腹膜液、胸膜液、膿、粘膜分泌液、唾液、呼気凝縮液、皮脂、精液、痰、汗、滑液、涙液、嘔吐物および尿から選択される生物学的試料である、本開示のいずれかの態様のデバイス、システム、スマートフォンシステムおよび方法。
【００６２】
スペーサがピラーの形状を有し、ピラーの高さに対する幅の比率が１以上である、本開示のいずれかの態様のデバイス、システム、スマートフォンシステムおよび方法。
【００６３】
プレートの一方または両方に付着される試料が未知の量を有する、本開示のいずれかの態様のデバイス、システム、スマートフォンシステムまたは方法。
【００６４】
スペーサがピラーの形状を有し、ピラーが実質的に均一な断面を有する、本開示のいずれかの態様のデバイス、システム、スマートフォンシステムおよび方法。
【００６５】
試料が、特定の疾患の病期と相関する化合物または生体分子の検出、精製および定量化のための試料である、本開示のいずれかの態様のデバイス、システム、スマートフォンシステムおよび方法。
【００６６】
試料が、感染症および寄生虫症、外傷、心血管疾患、癌、精神障害、神経精神障害、肺疾患、腎疾患および他の器質性疾患に関連する、本開示のいずれかの態様のデバイス、システム、スマートフォンシステムおよび方法。
【００６７】
試料が微生物の検出、精製および定量化に関連する、本開示のいずれかの態様のデバイス、システム、スマートフォンシステムおよび方法。
【００６８】
試料が環境、たとえば水、土壌または生物学的試料からのウイルス、真菌および細菌に関連する、本開示のいずれかの態様のデバイス、システム、スマートフォンシステムおよび方法。
【００６９】
試料が、食品安全性または国家安全保障に対して危険を呈する化合物または生物学的試料、たとえば有毒廃棄物、炭疽菌の検出、定量化に関連する、本開示のいずれかの態様のデバイス、システム、スマートフォンシステムおよび方法。
【００７０】
試料が、医学的または生理学的モニターにおけるバイタルパラメータの定量化に関連する、本開示のいずれかの態様のデバイス、システム、スマートフォンシステムおよび方法。
【００７１】
試料がグルコース、血液、酸素レベル、全血球数に関連する、本開示のいずれかの態様のデバイス、システム、スマートフォンシステムおよび方法。
【００７２】
試料が、生体試料からの特定のＤＮＡまたはＲＮＡの検出および定量化に関連する、本開示のいずれかの態様のデバイス、システム、スマートフォンシステムおよび方法。
【００７３】
試料が、ゲノム解析のための染色体およびミトコンドリア中のＤＮＡ中の遺伝子配列の配列決定および比較に関連する、本開示のいずれかの態様のデバイス、システム、スマートフォンシステムおよび方法。
【００７４】
試料が、たとえば医薬品の合成または精製中の反応生成物の検出に関連する、本開示のいずれかの態様のデバイス、システム、スマートフォンシステムおよび方法。
【００７５】
試料が細胞、組織、体液および糞便である、本開示のいずれかの態様のデバイス、システム、スマートフォンシステムおよび方法。
【００７６】
試料が、タンパク質、ペプチド、核酸、合成化合物、無機化合物の検出における試料である、本開示のいずれかの態様のデバイス、システム、スマートフォンシステムおよび方法。
【００７７】
試料が、ヒト、獣医学、農業、食品、環境および薬物検査の分野における試料である、本開示のいずれかの態様のデバイス、システム、スマートフォンシステムおよび方法。
【００７８】
試料が、血液、血清、血漿、鼻腔ぬぐい液、鼻咽頭洗浄液、唾液、尿、胃液、脊髄液、涙液、糞便、粘液、汗、耳垢（ｅａｒｗａｘ）、油、腺分泌物、脳脊髄液、組織、精液、膣液、腫瘍組織に由来する間質液、眼液、脊髄液、咽頭ぬぐい液、息、毛髪、爪、皮膚、生検組織、胎盤液、羊水、臍帯血、リンパ液、腔液、痰、膿、微生物叢、胎便、母乳、呼気凝縮液、鼻咽頭洗浄液、鼻腔ぬぐい液、咽頭ぬぐい液、糞便試料、毛髪、爪、耳垢（ｅａｒｗａｘ）、息、結合組織、筋組織、神経組織、上皮組織、軟骨、癌性試料および骨から選択される生物学的試料である、本開示のいずれかの態様のデバイス、システム、スマートフォンシステムまたは方法。
【図面の簡単な説明】
【００７９】
当業者は、以下に説明される図面が例示のためだけのものであることを理解するであろう。図面は、本教示の範囲を何らかのやり方で限定することを意図してはいない。図面はすべて一定の尺度で描かれているわけではない。実験データ点を提示する図面中、データ点を接続する線は、データの目視を案内するためだけのものであり、他の意味はない。
【００８０】
【図１】一般的なＱＭＡＸデバイスの態様を示す。
【図２】組織染色および画像化に使用されるＱＭＡＸデバイスの態様を示す。
【図３】新鮮な血液２．５μｌを基板プレートに加え、Ｘプレートが、それにプリントされたＰＩおよびＡＯ色素を有する、実験プロセスを示す。次いで、２枚のプレートを押し合わせ、室温で１分間インキュベートした。顕微鏡検査法とＰｈｏｎｅベースの顕微鏡検査システムの両方を使用してデータを収集した。
【図４】哺乳動物の生細胞および死細胞染色の顕微鏡画像を示す。生細胞は、青色の円によってマークされた緑に染色され、死細胞は、赤色の円によってマークされたオレンジレッドに染色された。
【図５】スパイクされたＴ細胞（死細胞を含む）を有する／有しない、ＰＩおよびＡＯ色素によって染色された新鮮な血液試料のｉＰｈｏｎｅ画像を示す。死細胞はオレンジレッドに染色され、いくつかは赤色の円によってマークされた。生細胞は緑に染色され、いくつかは青色の円によってマークされた。
【発明を実施するための形態】
【００８１】
例示的態様の詳細な説明
以下の詳細な説明が本発明のいくつかの態様を実例として説明する。本明細書において使用されるセクション見出しおよび任意の小見出しは、編成のためだけのものであり、記載される主題を何らかのやり方で限定するものと解釈されてはならない。セクション見出しおよび／または小見出しの下の内容は、セクション見出しおよび／または小見出しに限定されず、本発明の説明全体に当てはまる。
【００８２】
任意の刊行物の引用は、出願日よりも前のその開示に関する引用であり、先行発明が理由で本特許請求の範囲がそのような刊行物に先行する権利を有しないことを認めるものと解釈されるべきではない。さらに、提供される刊行物の日付は、個別に確認する必要があり得る実際の刊行日とは異なることがある。
【００８３】
本発明の１つの局面は、組織試料および／または少量の染色液を操作するために互いに対して動くことができるプレート対を利用すること、試料／染色液の厚さを減らすこと、試料と染色試薬とを接触させることなど（これらすべてが組織染色に対して有益な効果を有する）により、容易かつ速やかな組織染色のためのデバイスおよび方法を提供することである。
【００８４】
本発明の別の局面は、液体試料および／または染色液と接触すると、試料および／または染色液中に溶け出して拡散する染色試薬をプレートの一方または両方にコートすることにより、専門の訓練なしでも染色試薬の取り扱いを容易にする、容易かつ速やかな組織染色を提供することである。
【００８５】
本発明の別の局面は、プレートおよび均一な高さの複数のスペーサを利用して試料および／または染色液を均一な厚さの薄膜に形成させることにより、試料上の大きな横方向区域にわたって染色試薬のための同じ拡散距離を生じさせる、染色試薬への試料の均一なアクセスを保証することである。
【００８６】
本発明の別の局面は、染色のためのプレート対を、プレートによって染色された組織試料の画像を取得し、分析するために適合されたモバイル通信デバイスと組み合わせることにより、容易かつ速やかな組織染色および画像化のためのシステムを提供することである。任意選択で、モバイル通信デバイスは、画像化データおよび／または分析結果を、記憶および／または専門スタッフもしくはソフトウェアによるさらなる分析および解釈のために、遠隔地に送るように構成されている。
【００８７】
本発明の別の局面は、免疫組織化学のためのデバイス、システムおよび方法を提供することである。
【００８８】
本発明の別の局面は、Ｈ＆Ｅ染色法、特殊染色法および／または細胞生死判別染色法のためのデバイス、システムおよび方法を提供することである。
【００８９】
本発明の別の局面は、インサイチューハイブリダイゼーションのためのデバイス、システムおよび方法を提供することである。
【００９０】
本発明の別の局面は、洗浄なしで、かついくつかの態様においては単一工程で生物学的材料を染色するための（たとえば、細胞もしくは組織の染色、核酸染色法、Ｈ＆Ｅ染色法、特殊染色法および／または細胞生死判別染色法などのための）デバイス、システムおよび方法を提供することである。
【００９１】
組織染色および細胞画像化のためのＱＭＡＸデバイス
図１は、圧縮調節開放流（ＣＲＯＦ）デバイスとしても知られる、一般的なＱＭＡＸ（Ｑ：定量化；Ｍ：拡大；Ａ：試薬添加；Ｘ：加速）デバイスの態様を示す。一般的なＱＭＡＸデバイスは、第１のプレート１０および第２のプレート２０を含む。特に、パネル（Ａ）は、第１のプレート１０および第２のプレート２０の斜視図を示し、第１のプレートはスペーサを有する。しかし、スペーサはまた、第２のプレート２０（図示せず）または第１のプレート１０と第２のプレート２０（図示せず）の両方に固定されてもよいことが留意されるべきである。パネル（Ｂ）は、開放構成において第１のプレート１０に試料９０を付着させる動作の斜視図および断面図を示す。しかし、試料９０はまた、第２のプレート２０（図示せず）または第１のプレート１０と第２のプレート２０（図示せず）の両方に付着されてもよいことが留意されるべきである。パネル（Ｃ）は、（ｉ）第１のプレート１０および第２のプレート２０を使用して試料９０（両プレートの内面間の試料流）を広げ、試料の厚さを減らす動作、および（ｉｉ）スペーサおよびプレートを使用してＱＭＡＸデバイスの閉鎖構成において試料厚さを調節する動作を示す。各プレートの内面は１つまたは複数の結合部位および／または貯蔵部位（図示せず）を有する。
【００９２】
いくつかの態様において、スペーサ４０は、所定の均一な高さおよび所定の均一なスペーサ間距離を有する。図１のパネル（Ｃ）に示すような閉鎖構成において、プレートの間隔、ひいては試料９０の厚さはスペーサ４０によって調節される。いくつかの態様において、試料９０の均一な厚さはスペーサ４０の均一な高さと実質的に同じである。図１は、スペーサ４０がプレートの一方に固定されるように示すが、いくつかの態様においては、スペーサは固定されなくてもよいことが留意されるべきである。たとえば、特定の態様において、スペーサは試料と混合され、その結果、試料が薄い層へと圧縮されるとき、均一なサイズを有する硬いビーズまたは粒子であるスペーサが試料層の厚さを調節する。
【００９３】
図２は、染色に使用されるＱＭＡＸデバイスの態様を示す。図示するように、デバイスは、第１のプレート１０、第２のプレート２０およびスペーサ４０を含む。両プレートは、互いに対し、異なる構成へと動くことができ、一方または両方のプレートは可撓性である。各プレートは、それぞれの内面に、染色液９１０および／または標的分析対象物を含有することが疑われる組織試料９０と接触するための試料接触区域（図示せず）を有する。第２のプレート２０は、その内面２１に固定されているスペーサ４０を含む。スペーサ４０は、実質的に均一な所定の高さおよび所定のスペーサ間距離を有し、スペーサの少なくとも１つが試料接触区域内にある。
【００９４】
図２のパネル（Ａ）および（Ｂ）は、構成の一方である、開放構成を示す。図示するように、開放構成において、２枚のプレートは部分的または完全に離され、プレートの間隔１０２はスペーサ４０によって調節されず、染色液９１０および試料９０が第１のプレート１０に付着される。染色液９１０および試料９０はまた、第２のプレート２０または両プレートに付着させてもよいことが留意されるべきである。
【００９５】
図２のパネル（Ｃ）は、２枚のプレートの構成のもう一方である、閉鎖構成を示す。閉鎖構成は、パネル（Ｂ）に示すような開放構成における染色液９１０および試料９０の付着ののち形成される。そして、閉鎖構成においては、試料９０の少なくとも一部が２枚のプレートの間にあり、染色液９１０の少なくとも一部の層が試料９０の少なくとも一部と第２のプレート２０との間にあり、染色液層の少なくとも一部の厚さがプレート、試料９０およびスペーサ４０によって調節され、試料表面と第２のプレートの表面との間の平均距離が、わずかな変動はあるが２５０μｍ以下である。
【００９６】
本発明の１つの局面は、組織染色のための容易かつ速やかなデバイスおよび方法を提供することである。いくつかの態様において、染色液の厚さの減少は、染色剤が染色液の厚さ方向に拡散するための時間を有意に減らし、ひいては、染色剤が使われる目的が何であれ、飽和時間を減らす。たとえば、そのような構成は、染色に使用される抗体の拡散距離を減らすことにより、免疫染色の速度制限的な工程である抗原抗体結合のための飽和時間を減らして、免疫染色の全体速度を大きく向上させる。
【００９７】
本発明の別の局面は、本明細書に開示される組織染色のためのデバイスおよび方法を使用する、試料のための染色剤への均一なアクセスを提供することである。いくつかの態様においては、プレートおよびスペーサの特定の構成によって生じる染色液の均一な厚さが、染色液中に溶け出して拡散する染色剤への試料の均一なアクセスを保証する。
【００９８】
試料
本明細書において使用される用語「試料」は、別段の指定がない限り、液体生物／化学的試料または非液体試料を指すということが留意されるべきである。
【００９９】
いくつかの態様において、液体試料は本来、血液および唾液などの液体形態で得られる。いくつかの態様において、最初に得られる試料は液体状態ではなく、たとえば、固体状態または気体状態である。そのような場合、非液体試料は、本発明によって提供されるデバイスおよび方法を使用して捕集され、保存されるときに液体形態に変換される。そのような変換のための方法は、溶解なしでの液状媒体との混合（最終生成物は懸濁液である）、液状媒体中への溶解、固体形態から液体形態への融解、気体形態から液体形態への凝縮（たとえば呼気凝縮液）を含むが、これらに限定されない。
【０１００】
いくつかの態様において、試料は、開放構成において、その上で乾燥させることができ、試料は、羊水、眼房水、硝子体液、血液（たとえば全血、分画された血液、血漿または血清）、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液（鼻漏および痰を含む）、心膜液、腹膜液、胸膜液、膿、粘膜分泌液、唾液、呼気凝縮液、皮脂、精液、痰、汗、滑液、涙液、嘔吐物、尿およびそれらの任意の組み合わせからなる群より選択される体液を含む。
【０１０１】
いくつかの態様において、一方または両方のプレートの試料接触区域は、開放構成において試料をその上で乾燥させることができるように構成され、試料は、一方または両方のプレート上で乾燥させる血液スメアを含む。
【０１０２】
いくつかの態様において、試料は固体試料、たとえば組織切片である。いくつかの態様において、試料は、１〜２００μｍの範囲の厚さを有する固体組織切片である。いくつかの態様において、一方または両方のプレートの試料接触区域は試料に対して接着性である。いくつかの態様において、試料はパラフィン包埋されている。いくつかの態様において、試料は固定されている（たとえばホルマリン、パラホルムアルデヒドなど）。
【０１０３】
染色液
いくつかの態様において、染色液は０．１〜３．５ｍＰａ  Ｓの範囲の粘度を有する。
【０１０４】
いくつかの態様において、染色液の１つの主要な機能は、トランスファー媒体として働くことである。プレート上に貯蔵（乾燥／コート）された試薬は、染色液と接触すると、染色液中に溶け出して拡散する。そのようなものとして、染色液は、試料への、プレート上に貯蔵された試薬のアクセスを提供するためのトランスファー媒体として働く。
【０１０５】
いくつかの態様において、染色液の１つの主要な機能は、保持溶液として働くことである。プレートが押圧されて閉鎖構成に入ると、いくつかの態様において、プレートは、外部圧縮力が解除された後でも、液体試料によって提供される毛管力などの力により、閉鎖構成を「自己保持」するように構成されている。試料検体が液体形態ではない場合、そのための液状媒体が、プレートを「自己保持」するために必要な、毛管力のような力を提供する。
【０１０６】
いくつかの態様において、染色液は、最終溶液のｐＨ値を平衡化するためのバッファー対を含む。いくつかの態様において、染色液は、試料の性質を変化させることができる特定の成分を含まない。
【０１０７】
いくつかの態様において、染色液は、さらに以下のセクションで詳細に説明するように、試料の処理、固定または染色に必要な試薬を含む。
【０１０８】
いくつかの態様において、染色液は、試料を固定することができる固定剤を含む。
【０１０９】
いくつかの態様において、染色液はブロッキング剤を含み、試料中の非特異的内在性種が、標的分析対象物を特異的に標識するために使用される検出剤と反応できないように、ブロッキング剤は構成されている。
【０１１０】
いくつかの態様において、染色液は、試料中のパラフィンを除去することができる脱パラフィン剤を含む。
【０１１１】
いくつかの態様において、染色液は、標的分析対象物を含有する組織試料中の細胞を浸透化することができる浸透化剤を含む。
【０１１２】
いくつかの態様において、染色液は、抗原の賦活化を促進することができる抗原賦活化剤を含む。
【０１１３】
いくつかの態様において、染色液は、試料中の標的分析対象物を特異的に標識する検出剤を含む。
【０１１４】
プレート貯蔵部位
いくつかの態様において、一方または両方のプレートの試料接触区域は、試料の処理、固定または染色に必要な試薬を含む貯蔵部位を含む。これらの試薬は、試料または染色液と接触すると、液体試料／染色液中に溶け出して拡散する。
【０１１５】
いくつかの態様において、一方または両方のプレートの試料接触区域は、ブロッキング剤を含む貯蔵部位を含み、試料中の非特異的内在性種が、標的分析対象物を特異的に標識するために使用される検出剤と反応できないように、ブロッキング剤は構成されている。
【０１１６】
いくつかの態様において、一方または両方のプレートの試料接触区域は、試料中のパラフィンを除去することができる脱パラフィン剤を含む貯蔵部位を含む。いくつかの態様において、一方または両方のプレートの試料接触区域は、標的分析対象物を含有する組織試料中の細胞を浸透化することができる浸透化剤を含む貯蔵部位を含む。
【０１１７】
いくつかの態様において、一方または両方のプレートの試料接触区域は、抗原の賦活化を促進することができる抗原賦活化剤を含む貯蔵部位を含む。いくつかの態様において、一方または両方のプレートの試料接触区域は、試料中の標的分析対象物を特異的に標識する検出剤を含む貯蔵部位を含む。
【０１１８】
いくつかの態様において、一方または両方のプレートの試料接触区域は、捕捉剤を含む結合部位を含み、捕捉剤は、試料中の細胞の表面上の標的分析対象物に結合し、細胞を固定化するように構成されている。
【０１１９】
検出剤
いくつかの態様において、検出剤は、酸性フクシン、アルシアンブルー８ＧＸ、アリザリンレッドＳ、アニリンブルーＷＳ、オーラミンＯ、アゾカルミンＢ、アゾカルミンＧ、アズールＡ、アズールＢ、アズールＣ、塩基性フクシン、ビスマルクブラウンＹ、ブリリアントクレシルブルー、ブリリアントグリーン、カルミン、クロラゾールブラックＥ、コンゴレッド、Ｃ．Ｉ．クレシルバイオレット、クリスタルバイオレット、ダローレッド、エオシンＢ、エオシンＹ、エリスロシン、エチルエオシン、エチルグリーン、ファストグリーンＦＣＦ、フルオレセインイソチオシアネート、ギムザ染料、ヘマトキシリン、ヘマトキシリン＆エオシン、インジゴカルミン、ヤヌスグリーンＢ、ジェンナー染料１８９９、ライトグリーンＳＦ、マラカイトグリーン、マルチウスイエロー、メチルオレンジ、メチルバイオレット２Ｂ、メチレンブルー、メチレンブルー、メチレンバイオレット、（ベルントゼン）、ニュートラルレッド、ニグロシン、ナイルブルーＡ、ヌクレアファストレッド、オイルレッド、オレンジＧ、オレンジＩＩ、オルセイン、パラロサニリン、フロキシンＢ、プロタルゴールＳ、ピロニンＢ、ピロニン、レサズリン、ローズベンガル、サフラニンＯ、スーダンブラックＢ、スーダンＩＩＩ、スーダンＩＶ、テトラクロム染料（ＭａｃＮｅａｌ）、チオニン、トルイジンブルー、ワイゲルト、ライト染料およびそれらの任意の組み合わせからなる群より選択される染料のための色素を含む。
【０１２０】
いくつかの態様において、検出剤は、試料中のタンパク質分析対象物に特異的に結合するように構成された抗体を含む。
【０１２１】
いくつかの態様において、検出剤は、試料中のＤＮＡおよび／またはＲＮＡに特異的に結合するように構成されたオリゴヌクレオチドプローブを含む。
【０１２２】
いくつかの態様において、検出剤はレポータ分子で標識されており、レポータ分子は、読み取られて分析される検出可能なシグナルを提供するように構成されている。
【０１２３】
いくつかの態様において、レポータ分子は、以下をはじめとする蛍光分子（フルオロフォア）を含む。ＩＲＤｙｅ８００ＣＷ、Ａｌｅｘａ  ７９０、Ｄｙｌｉｇｈｔ  ８００、フルオレセイン、フルオレセインイソチオシアネート、カルボキシフルオレセインのスクシンイミジルエステル、フルオレセインのスクシンイミジルエステル、フルオレセインジクロロトリアジンの５異性体、ケージドカルボキシフルオレセイン−アラニン−カルボキサミド、オレゴングリーン４８８、オレゴングリーン５１４；ルシファーイエロー、アクリジンオレンジ、ローダミン、テトラメチルローダミン、テキサスレッド、ヨウ化プロピジウム、ＪＣ−１（５，５’，６，６’−テトラクロロ−１，１’，３，３’−テトラエチルベンズイミダゾイルカルボシアニンヨウ化物）、テトラブロモローダミン１２３、ローダミン６Ｇ、ＴＭＲＭ（テトラメチルローダミンメチルエステル）、ＴＭＲＥ（テトラメチルローダミンエチルエステル）、テトラメチルローザミン、ローダミンＢおよび４−ジメチルアミノテトラメチルローザミン、緑色蛍光タンパク質、青色シフト緑色蛍光タンパク質、シアンシフト緑色蛍光タンパク質、赤色シフト緑色蛍光タンパク質；黄色シフト緑色蛍光タンパク質、４−アセトアミド−４’−イソチオシアナトスチルベン−２，２’−ジスルホン酸；アクリジンおよび誘導体、たとえばアクリジン、アクリジンイソチオシアネート；５−（２’−アミノエチル）アミノナフタレン−１−スルホン酸（ＥＤＡＮＳ）；４−アミノ−Ｎ−［３−ビニルスルホニル）フェニル］ナフタリミド−３，５−ジスルホネート；Ｎ−（４−アニリノ−１−ナフチル）マレイミド；アントラニルアミド；４，４−ジフルオロ−５−（２−チエニル）−４−ボラ−３ａ，４ａ−ジアザ−５−インダセン−３−プロピオン酸ＢＯＤＩＰＹ；カスケードブルー；ブリリアントイエロー；クマリンおよび誘導体：クマリン、７−アミノ−４−メチルクマリン（ＡＭＣ、クマリン１２０）、７−アミノ−４−トリフルオロメチルクマリン（クマリン１５１）；シアニン色素；シアノシン；４’，６−ジアミニジノ−２−フェニルインドール（ＤＡＰＩ）；５’，５”−ジブロモピロガロールスルホナフタレイン（ブロモピロガロールレッド）；７−ジエチルアミノ−３−（４’−イソチオシアナトフェニル）−４−メチルクマリン；ジエチレントリアアミンペンタアセテート；４，４’−ジイソチオシアナトジヒドロスチルベン−２，２’−ジスルホン酸；４，４’−ジイソチオシアナトスチルベン−２，２’−ジスルホン酸；５−（ジメチルアミノ）ナフタレン−１−スルホニルクロリド（ＤＮＳ、塩化ダンシル）；４−ジメチルアミノフェニルアゾフェニル−４’−イソチオシアネート（ＤＡＢＩＴＣ）；エオシンおよび誘導体：エオシン、エオシンイソチオシアネート、エリスロシンおよび誘導体：エリスロシンＢ、エリスロシン、イソチオシアネート；エチジウム；フルオレセインおよび誘導体：５−カルボキシフルオレセイン（ＦＡＭ）、５−（４，６−ジクロロトリアジン−２−イル）アミノ−フルオレセイン（ＤＴＡＦ）、２’，７’−ジメトキシ−４’５’−ジクロロ−６−カルボキシフルオレセイン（ＪＯＥ）、フルオレセイン、フ��オレセインイソチオシアネート、ＱＦＩＴＣ、（ＸＲＩＴＣ）；フルオレスカミン；ＩＲ１４４；ＩＲ１４４６；マラカイトグリーンイソチオシアネート；４−メチルウンベリフェロネオルトクレゾールフタレイン；ニトロチロシン；パラロサニリン；フェノールレッド；Ｂ−フィコエリトリン；オフタルジアルデヒド；ピレンおよび誘導体：ピレン、酪酸ピレン、スクシンイミジル−１−ピレン；酪酸量子ドット；リアクティブレッド４（Ｃｉｂａｃｒｏｎ（商標）ブリリアントレッド３Ｂ−Ａ）ローダミンおよび誘導体：６−カルボキシ−Ｘ−ローダミン（ＲＯＸ）、６−カルボキシローダミン（Ｒ６Ｇ）、リサミンローダミンＢスルホニルクロリドローダミン（Ｒｈｏｄ）、ローダミンＢ、ローダミン１２３、ローダミンＸイソチオシアネート、スルホローダミンＢ、スルホローダミン１０１、５スルホローダミンの塩化スルホニル誘導体（テキサスレッド）；Ｎ，Ｎ，Ｎ’，Ｎ’−テトラメチル−６−カルボキシローダミン（ＴＡＭＲＡ）；テトラメチルローダミン；テトラメチルローダミンイソチオシアネート（ＴＲＩＴＣ）；リボフラビン；５−（２’−アミノエチル）アミノナフタレン−１−スルホン酸（ＥＤＡＮＳ）、４−（４’−ジメチルアミノフェニルアゾ）安息香酸（ＤＡＢＣＹＬ）、ロゾール酸；ＣＡＬフルオロオレンジ５６０；テルビウムキレート誘導体；Ｃｙ３；Ｃｙ５；Ｃｙ５．５；Ｃｙ７；ＩＲＤ７００；ＩＲＤ８００；ラホーヤブルー；フタロシアニン；およびナフタロシアニン、クマリンおよび関連の色素、キサンテン色素、たとえばロドール、レゾルフィン、ビマン、アクリジン、イソインドール、ダンシル色素、アミノフタル酸ヒドラジド、たとえばルミノールおよびイソルミノール誘導体、アミノフタルイミド、アミノナフタルイミド、アミノベンゾフラン、アミノキノリン、ジシアノヒドロキノン、蛍光ユーロピウムおよびテルビウム錯体；それらの組み合わせなど。適当な蛍光タンパク質および発色性タンパク質は、緑色蛍光タンパク質（ＧＦＰ）、たとえばオワンクラゲ（Ａｅｑｕｏｒｉａ  ｖｉｃｔｏｒｉａ）
由来のＧＦＰまたはその誘導体、たとえば「ヒト化」誘導体、たとえば高感度ＧＦＰ；別の種、たとえばレニラ・レニフォルミス（Ｒｅｎｉｌｌａ  ｒｅｎｉｆｏｒｍｉｓ）、レニラ・ミュエリ（Ｒｅｎｉｌｌａ  ｍｕｌｌｅｒｉ）またはプチロサルカス・グエルニ（Ｐｔｉｌｏｓａｒｃｕｓ  ｇｕｅｒｎｙｉ）由来のＧＦＰ；「ヒト化」組換えＧＦＰ（ｈｒＧＦＰ）；アントゾア種由来の多様な蛍光および着色タンパク質のいずれか；それらの任意の組み合わせなどを含むが、これらに限定されない。
【０１２４】
いくつかの態様において、シグナルは、
ｉ．  フォトルミネセンス、エレクトロルミネセンスおよびエレクトロケミルミネセンスから選択されるルミネセンス；
ｉｉ．  光の吸収、反射、透過、回折、散乱または拡散；
ｉｉｉ．  表面ラマン散乱；
ｉｖ．  抵抗、キャパシタンスおよびインダクタンスから選択される電気インピーダンス；
ｖ．  磁気緩和能；ならびに
ｖｉ．  ｉ〜ｖの任意の組み合わせからなる群より選択される。
【０１２５】
免疫組織化学
いくつかの態様において、本発明のデバイスおよび方法は、試料に対して免疫組織化学法を実施する場合に有用である。
【０１２６】
免疫組織化学（ＩＨＣ）染色法においては、組織試料を、任意選択でワックスに包埋して固定し（たとえばパラホルムアルデヒド中）、厚さ１００μｍ未満（たとえば厚さ２μｍ〜６μｍ）である薄い切片へとスライスしたのち、ガラススライドなどの支持体上に取り付ける。取り付けたならば、組織切片を、増大する濃度のアルコール洗浄を使用して脱水し、キシレンなどの洗浄剤を使用して清澄化し得る。特定の場合、固定もまた、たとえば血液スミア染色のための任意選択の工程である。
【０１２７】
大部分のＩＨＣ法においては、一次および二次抗体を使用し得る。そのような方法において、一次抗体は、関心対象の抗原（たとえばバイオマーカー）に結合し、標識されていない。二次抗体は、一次抗体に結合し、レポータ分子または溶液中にあるレポータ分子を動員することができるリンカー分子（たとえばビオチン）のいずれかに直接的に結合している。あるいはまた、一次抗体そのものが、レポータ分子または溶液中にあるレポータ分子を動員することができるリンカー分子（たとえばビオチン）のいずれかに直接的に結合していてもよい。レポータ分子は、フルオロフォア（たとえばＦＩＴＣ、ＴＲＩＴＣ、ＡＭＣＡ、フルオレセインおよびローダミン）ならびに酵素、たとえばアルカリホスファターゼ（ＡＰ）およびホースラディッシュペルオキシダーゼ（ＨＲＰ）を含み、それらのために、多様な蛍光原性、色原性および化学発光基質、たとえばＤＡＢまたはＢＣＩＰ／ＮＢＴがある。
【０１２８】
直接法においては、組織切片を、結合バッファー中、標識された一次抗体（たとえばＦＩＴＣ結合抗体）とともにインキュベートする。一次抗体は組織切片中の抗原と直接結合し、組織切片を洗浄して任意の非結合一次抗体を除去したのち、切片を顕微鏡検査によって分析する。
【０１２９】
間接法においては、組織切片を、組織中の標的抗原に結合する非標識一次抗体とともにインキュベートする。組織切片を洗浄して非結合一次抗体を除去したのち、組織切片を、一次抗体に結合する標識された二次抗体とともにインキュベートする。
【０１３０】
抗原の免疫組織化学染色ののち、組織試料を別の色素、たとえばヘマトキシリン、ヘキスト染料およびＤＡＰＩで染色して、コントラストを提供し得る、および／または他の特徴を識別し得る。
【０１３１】
本デバイスは、組織試料の免疫組織化学（ＩＨＣ）染色に使用され得る。これらの態様において、デバイスは、第１のプレートおよび第２のプレートを含み得、両プレートは、互いに対し、異なる構成へと動くことができ；一方または両方のプレートは可撓性であり；各プレートは、それぞれの表面に、組織試料またはＩＨＣ染色液と接触するための試料接触区域を有し；第１のプレート中の試料接触区域は平滑かつ平面的であり；第２のプレート中の試料接触区域は、実質的に均一な所定の高さおよび７μｍ〜２００μｍの範囲である所定の不変的なスペーサ間距離を有する、表面に固定されたスペーサを含み；
構成の１つは開放構成であり、開放構成では、２枚のプレートは完全または部分的に離され、プレートの間隔はスペーサによって調節されず；構成のもう１つは、開放構成における試料およびＩＨＣ染色液の付着ののち形成される閉鎖構成であり；閉鎖構成において、試料の少なくとも一部は２枚のプレートの間にあり、染色液の少なくとも一部の層は試料の少なくとも一部と第２のプレートとの間にあり、染色液層の少なくとも一部の厚さは、プレート、試料およびスペーサによって調節され、試料表面と第２のプレートの表面との間の平均距離は、わずかな変動はあるが２５０μｍ以下である。
【０１３２】
上述したように、いくつかの態様において、デバイスは、一方または両方のプレートの試料接触区域にコートされた乾燥ＩＨＣ染色剤を含み得る。いくつかの態様において、デバイスは、第２のプレートの試料接触区域にコートされた乾燥ＩＨＣ染色剤を含み得、ＩＨＣ染色液は、乾燥ＩＨＣ染色剤を溶解させる液体を含む。いくつかの態様において、試料の厚さは２μｍ〜６μｍである。
【０１３３】
Ｈ＆Ｅ、特殊染色法および細胞生死判別染色法
いくつかの態様において、本発明のデバイスおよび方法は、Ｈ＆Ｅ染色法、特殊染色法および細胞生死判別染色法を実施する場合に有用である。
【０１３４】
ヘマトキシリン・エオシン染色法（Ｈ＆Ｅ染色法またはＨＥ染色法）は、組織学における主要な染色法の１つである。これは、医療診断においてもっとも広く使用されている染色法であり、多くの場合、ゴールドスタンダードである。たとえば、病理学者が、癌が疑われる生検組織を見るとき、組織学的切片は、Ｈ＆Ｅで染色されることが多く、「Ｈ＆Ｅ切片」、「Ｈ＋Ｅ切片」または「ＨＥ切片」と呼ばれる。ヘマトキシリンとエオシンの組み合わせが青、紫および赤を生成する。
【０１３５】
診断病理学において、用語「特殊染色法」とは、臨床環境において非常に一般的に使用され、単に、検体に色を付けるために使用される、Ｈ＆Ｅ法以外の任意の技術を指す。これはまた、免疫組織化学染色法およびインサイチューハイブリダイゼーション染色法を含む。他方、Ｈ＆Ｅ染色法は、組織学および医療診断検査機関においてもっともよく使われる染色法である。
【０１３６】
任意の態様において、乾燥結合部位は、抗体または核酸などの捕捉剤を含み得る。いくつかの態様において、放出可能な乾燥試薬は、標識された試薬、たとえば蛍光標識された試薬、たとえば蛍光標識された抗体または細胞染料、たとえばロマノフスキー染料、リーシュマン染料、メイ・グリュンワルド染料、ギムザ染料、ジェンナー染料、ライト染料またはそれらの任意の組み合わせ（たとえばライト・ギムザ染料）であり得る。このような染料は、メチレンブルーとのエオシンＹまたはエオシンＢを含み得る。特定の態様において、染料は、ヘマトキシリンなどのアルカリ染料であってもよい。
【０１３７】
いくつかの態様において、特殊染料は、酸性フクシン、アルシアンブルー８ＧＸ、アリザリンレッドＳ、アニリンブルーＷＳ、オーラミンＯ、アゾカルミンＢ、アゾカルミンＧ、アズールＡ、アズールＢ、アズールＣ、塩基性フクシン、ビスマルクブラウンＹ、ブリリアントクレシルブルー、ブリリアントグリーン、カルミン、クロラゾールブラックＥ、コンゴレッド、Ｃ．Ｉ．クレシルバイオレット、クリスタルバイオレット、ダローレッド、エオシンＢ、エオシンＹ、エリスロシン、エチルエオシン、エチルグリーン、ファストグリーンＦＣＦ、フルオレセインイソチオシアネート、ギムザ染料、ヘマトキシリン、ヘマトキシリン＆エオシン、インジゴカルミン、ヤヌスグリーンＢ、ジェンナー染料１８９９、ライトグリーンＳＦ、マラカイトグリーン、マルチウスイエロー、メチルオレンジ、メチルバイオレット２Ｂ、メチレンブルー、メチレンブルー、メチレンバイオレット、（ベルントゼン）、ニュートラルレッド、ニグロシン、ナイルブルーＡ、ヌクレアファストレッド、オイルレッド、オレンジＧ、オレンジＩＩ、オルセイン、パラロサニリン、フロキシンＢ、プロタルゴールＳ、ピロニンＢ、ピロニン、レサズリン、ローズベンガル、サフラニンＯ、スーダンブラックＢ、スーダンＩＩＩ、スーダンＩＶ、テトラクロム染料（ＭａｃＮｅａｌ）、チオニン、トルイジンブルー、ワイゲルト、ライト染料およびそれらの任意の組み合わせを含むが、これらに限定されない。
【０１３８】
用語「細胞生死判別染色法」とは、組織試料内の生細胞と死細胞とを示差的に染色するために使用される染色技術を指す。通常、生細胞と死細胞との間の細胞膜および／または核膜透過性の差が示差的染色に利用される。他の場合には、アポトーシスまたは壊死のマーカー（死にかけている細胞または細胞の死骸を示す）がそのような染色に使用される。
【０１３９】
いくつかの態様において、デバイスは、プレートの一方または両方上に、細胞生存能力に関して試料を染色するための色素を含む。いくつかの態様において、色素は、ヨウ化プロピジウム（ＰＩ）、７−ＡＡＤ（７−アミノアクチノマイシンＤ）、トリパンブルー、カルセインバイオレットＡＭ、カルセインＡＭ、様々なフルオロフォアと結合した固定可能な生死判別色素（ＦＶＤ）、ＳＹＴＯ９および他の核酸色素、レサズリンおよびホルマザン（ＭＴＴ／ＸＴＴ）および他のミトコンドリア色素ならびにそれらの任意の組み合わせなどを含むが、これらに限定されない。いくつかの態様において、試料は細菌を含み、試料中の細菌生存能力を測定することが望まれ、デバイスはさらに、プレートの一方または両方上に、生細胞と死細胞とを示差的に染色するための細菌生死判別色素、たとえばＰＩ、ＳＹＴＯ９などを含む。任意選択で、デバイスはさらに、プレートの一方または両方上に、全細菌染色のための色素、たとえばグラム染色試薬などを含む。
【０１４０】
インサイチューハイブリダイゼーション
いくつかの態様において、本発明のデバイスおよび方法は、組織学的試料に対してインサイチューハイブリダイゼーション（ＩＳＨ）を実施する場合に有用である。
【０１４１】
インサイチューハイブリダイゼーション（ＩＳＨ）は、標識された相補的ＤＮＡ、ＲＮＡまたは修飾された核酸鎖（すなわちプローブ）を使用して、組織の一部分または切片中（インサイチュー）の、または、組織が十分に小さいならば（たとえば植物の種子、ショウジョウバエ胚）、組織全体中（ホールマウントＩＳＨ）、細胞中および循環腫瘍細胞（ＣＴＣ）中の、特定のＤＮＡもしくはＲＮＡ配列をローカライズするタイプのハイブリダイゼーションである。
【０１４２】
インサイチューハイブリダイゼーションは、染色体上または組織中の特定の核酸配列の位置を明らかにするために使用される。これは、遺伝子の編成、調節および機能を理解するための決定的な工程である。現在使用されている主要な技術は、オリゴヌクレオチドおよびＲＮＡプローブ（いずれも放射能標識およびハプテン標識されている）を用いるｍＲＮＡへのインサイチューハイブリダイゼーション；光学および電子顕微鏡を用いる分析；ホールマウントインサイチューハイブリダイゼーション；ＲＮＡおよびＲＮＡ＋タンパク質のダブル検出；および染色体配列を検出するための蛍光インサイチューハイブリダイゼーションを含む。ＤＮＡ  ＩＳＨは、染色体の構造を決定するために使用することができる。蛍光ＤＮＡ  ＩＳＨ（ＦＩＳＨ）は、たとえば、染色体完全性を評価するために医療診断において使用することができる。ＲＮＡ  ＩＳＨ（ＲＮＡインサイチューハイブリダイゼーション）は、組織切片、細胞、ホールマウントおよび循環腫瘍細胞（ＣＴＣ）内のＲＮＡ（ｍＲＮＡ、ＩｎｃＲＮＡおよびｍｉＲＮＡ）を測定し、ローカライズするために使用される。
【０１４３】
いくつかの態様において、検出剤は、インサイチューハイブリダイゼーション染色のための核酸プローブを含む。核酸プローブは、試料中のＤＮＡおよび／またはＲＮＡに特異的に結合するように構成されたオリゴヌクレオチドプローブを含むが、これに限定されない。
【０１４４】
組織染色および細胞画像化のためのシステムおよび方法
同じく提供されるものは、携帯電話を使用して組織試料を速やかに染色し、分析するためのシステムであって、
（ａ）上記試料、染色液およびデバイス；
（ｂ）
ｉ．  試料を検出および／または画像化するための１つまたは複数のカメラと、
ｉｉ．  検出されたシグナルおよび／または試料の画像を受信および／または処理し、遠隔通信するための電子部品、シグナルプロセッサ、ハードウェアおよびソフトウェアと
を含む、モバイル通信デバイス；および
（ｃ）モバイル通信デバイスまたは外部光源からの光源
を含むシステムである。
【０１４５】
同じく提供されるものは、携帯電話を使用して組織試料を速やかに染色し、分析する方法であって、
（ａ）組織試料および染色液を上記システムのデバイスに付着させ、２枚のプレートを閉鎖構成に配置する工程；
（ｂ）画像化、データ処理および通信のハードウェアおよびソフトウェアを有する携帯電話を得る工程；
（ｃ）ＣＲＯＦデバイスに付着した組織試料により、携帯電話によってアッセイして結果を出す工程；および
（ｄ）結果を携帯電話から携帯電話から遠隔の地へ通信する工程
を含む、方法である。
【０１４６】
同じく提供されるものは、組織試料を染色する方法であって、
（ａ）組織試料を得る工程；
（ｂ）染色液を得る工程；
（ｃ）第１のプレートおよび第２のプレートを得る工程
（両プレートは、互いに対し、異なる構成へと動くことができ；
一方または両方のプレートは可撓性であり；
各プレートは、それぞれの表面に、組織試料またはＩＨＣ染色液と接触するための試料接触区域を有し；
第１のプレート中の試料接触区域は平滑かつ平面的であり；
第２のプレート中の試料接触区域は、実質的に均一な所定の高さおよび７μｍ〜２００μｍの範囲である所定の不変的なスペーサ間距離を有する、表面に固定されたスペーサを含む）；
（ｃ）プレートが開放構成にあるとき、組織試料および染色液をプレートに付着させる工程
（開放構成は、２枚のプレートが部分的または完全に離され、プレートの間隔がスペーサによって調節されない構成である）；
（ｄ）（ｃ）ののち、２枚のプレートを使用して、組織試料の少なくとも一部および染色液の少なくとも一部を閉鎖構成へと圧縮する工程
を含み、
閉鎖構成において、試料の少なくとも一部が２枚のプレートの間にあり、染色液の少なくとも一部の層が試料の少なくとも一部と第２のプレートとの間にあり、染色液層の少なくとも一部の厚さがプレート、試料およびスペーサによって調節され、試料表面と第２のプレートの表面との間の平均距離が、わずかな変動はあるが２５０μｍ以下である、方法である。
【０１４７】
ＱＭＡＸデバイスの他の態様の恩典および利点（たとえば反応の促進、より速い結果など）のすべてが、組織染色のために提供されるデバイス、システムおよび方法に当てはまり得る。
【０１４８】
たとえば、いくつかの態様において、均一な厚さの層を調節するスペーサ（すなわち、層中でプレートを互いから離間させるスペーサ）は、少なくとも１％、たとえば少なくとも２％または少なくとも５％の「充填率」を有する（充填率とは、均一な厚さの層と接触している全プレート面積に対する、均一な厚さの層と接触しているスペーサ面積の比率である）。いくつかの態様において、均一な厚さの層を調節するスペーサに関し、スペーサのヤング率にスペーサの充填率を乗じたものは１０ＭＰａ以上、たとえば少なくとも１５ＭＰａまたは少なくとも２０ＭＰａであり、充填率は、均一な厚さの層と接触している全プレート表面積に対する、均一な厚さの層と接触しているスペーサ面積の比率である。いくつかの態様において、可撓性プレートの厚さに可撓性プレートのヤング率を乗じたものは、６０〜５５０ＧＰａ−μｍ、たとえば１００〜３００ＧＰａ−μｍの範囲である。いくつかの態様において、可撓性プレートに関し、可撓性プレートの厚さ（ｈ）および可撓性プレートのヤング率（Ｅ）で割ったスペーサ間距離（ＩＳＤ）の４乗、ＩＳＤ４／（ｈＥ）は、５に等しい、または１０６μｍ３／ＧＰａ未満、たとえば１０５μｍ３／ＧＰａ未満、１０４μｍ３／ＧＰａ未満または１０３μｍ３／ＧＰａ未満である。
【０１４９】
いくつかの態様において、一方または両方のプレートは、プレートの位置、たとえば分析される位置または切片が付着されるべきである位置に関する情報を提供する位置マーカーをプレートの表面または内側に含む。場合によっては、一方または両方のプレートは、切片および／またはプレートの構造の横方向寸法の情報を提供するスケールマーカーをプレートの表面または内側に含んでもよい。いくつかの態様において、一方または両方のプレートは、試料の画像化を支援する画像化マーカーをプレートの表面または内側に含む。たとえば、画像化マーカーは、画像化デバイスをデバイス上の位置に合焦させる、または画像化デバイスをデバイス上の位置に向けることに役立つことができる。いくつかの態様において、スペーサは、位置マーカー、スケールマーカー、画像化マーカーまたはそれらの任意の組み合わせとして機能することができる。
【０１５０】
いくつかの態様において、スペーサ間距離は実質的に周期的であり得る。場合によっては、スペーサは規則的なパターンであり得、隣接するスペーサの間隔はほぼ同じであり得る。いくつかの態様において、スペーサは、丸、多角形、円形、正方形、長方形、卵形、楕円形またはそれらの任意の組み合わせから選択される断面形状を有するピラーであり、いくつかの態様において、スペーサは実質的に平坦な上面を有し得、スペーサごとに、スペーサの高さに対するスペーサの横方向寸法の比率は少なくとも１である。場合によっては、スペーサの最小横方向寸法は、試料中の分析対象物の最小寸法未満である、またはそれに実質的に等しい。スペーサの最小横方向寸法は、０．５μｍ〜１００μｍの範囲、たとえば２μｍ〜５０μｍまたは０．５μｍ〜１０μｍの範囲である。
【０１５１】
いくつかの態様において、スペーサはピラー形状を有し、スペーサの側壁角部は、少なくとも１μｍ、たとえば少なくとも１．２μｍ、少なくとも１．５μｍまたは少なくとも２．０μｍの曲率半径を有する丸みのある形状を有する。スペーサは、任意の好都合な密度、たとえば少なくとも１，０００／ｍｍ２の密度、たとえば少なくとも１，０００／ｍｍ２の密度、少なくとも２，０００／ｍｍ２の密度、少なくとも５，０００／ｍｍ２の密度または少なくとも１０，０００／ｍｍ２の密度を有し得る。
【０１５２】
本デバイスにおいて、プレートの少なくとも一方は透明であり得、それにより、アッセイを光学的に読み取ることを可能にする。同様に、本デバイスにおいて、プレートの少なくとも一方は可撓性ポリマー製であり得、それにより、プレートを一緒に圧縮することによって試料が効率的に広げられることを可能にする。いくつかの態様において、プレートを圧縮する圧力、スペーサは圧縮可能ではない、および／または独立して、プレートの一方だけが可撓性である。可撓性プレートは、２０μｍ〜２００μｍ、たとえば５０μｍ〜１５０μｍの範囲の厚さを有し得る。上記のように、閉鎖構成において、均一な厚さの層の厚さはわずかな変動を有し得る。
【０１５３】
いくつかの態様において、変動は１０％未満、５％未満または２％未満であり得、区域の厚さが平均厚さの±１０％、±５％または±２％を超えないことを意味する。
【０１５４】
いくつかの態様において、第１および第２のプレートは接続されており、デバイスは、プレートを折り重ねることによって開放構成から閉鎖構成へと変形させることができる。いくつかの態様において、第１および第２のプレートはヒンジによって接続されていることができ、デバイスは、デバイスがヒンジに沿って折れ曲がるようにプレートを折り重ねることによって開放構成から閉鎖構成へと変形させることができる。ヒンジは、プレートに取り付けられる別個の材料であってもよいし、場合によっては、プレートがプレートと一体であってもよい。
【０１５５】
いくつかの態様において、デバイスは、切片を非常に速やかに分析することができる。場合によっては、分析は、６０秒以内、３０秒以内、２０秒以内、１５秒以内または１０秒以内に実施され得る。
【０１５６】
いくつかの態様において、システムはさらに、（ｄ）試料を保持し、かつモバイル通信デバイスに取り付けられるように構成されたハウジングを含み得る。ハウジングは、モバイル通信デバイスによる試料の画像化および／またはシグナル処理を容易にするための光学系と、光学系をモバイル通信デバイス上に保持するように構成されたマウントとを含み得る。場合によっては、デバイスの光学系の素子（たとえばレンズ、フィルタ、ミラー、プリズムまたはビームスプリッタ）は、試料が少なくとも２つのチャネル中で画像化され得るように移動可能であり得る。
【０１５７】
いくつかの態様において、モバイル通信デバイスは、検査結果を医療専門家（たとえばＭＤ）、医療施設（たとえば病院または検査機関）または保険会社へ通信するように構成され得る。加えて、モバイル通信デバイスは、対象に関する情報（たとえば対象の年齢、性別、体重、住所、氏名、以前の検査結果、既往歴など）を医療専門家、医療施設または保険会社と通信するように構成され得る。特定の態様において、モバイル通信デバイスは、医療専門家から処方箋、診断または推薦状を受け取るように構成され得る。たとえば、いくつかの態様において、モバイル通信デバイスは、アッセイ結果を、医療専門家が診断を下す遠隔地に送ってもよい。診断は、モバイル通信デバイスを介して対象へ通信されてもよい。
【０１５８】
いくつかの態様において、モバイル通信デバイスは、それが、（ａ）試料の画像を捕捉し；（ｂ）画像中の検査位置および制御位置を分析し；（ｃ）検査位置の分析から得られた値を、高速診断検査を特徴付ける閾値と比較することを可能にするハードウェアおよびソフトウェアを含み得る。場合によっては、モバイル通信デバイスは無線またはセルラーネットワークを介して遠隔地と通信する。
【０１５９】
任意の態様において、モバイル通信デバイスは携帯電話であり得る。
【０１６０】
システムは、（ａ）システムのデバイス上の試料；（ｂ）デバイスに付着した試料をアッセイして結果を出す工程；および（ｃ）結果をモバイル通信デバイスからモバイル通信デバイスから遠隔の地へ通信する工程を含む方法において使用され得る。方法は、遠隔地で結果を分析して分析結果を出す工程；および分析結果を遠隔地からモバイル通信デバイスへ通信する工程を含み得る。上記のように、分析は、遠隔地にいる医療専門家によって実施され得る。いくつかの態様において、モバイル通信デバイスは、遠隔地にいる医療専門家から処方箋、診断または推薦状を受け取り得る。
【０１６１】
同じく提供されるものは、組織切片を分析する方法である。いくつかの態様において、この方法は、上記のようなデバイスを得る工程、デバイスの一方または両方のプレートに切片を付着させる工程；プレートを閉鎖構成に配置し、プレートの少なくとも一部に外力を加える工程；およびプレートが閉鎖構成にある間に均一な厚さの層中の試料を分析する工程を含み得る。
【０１６２】
いくつかの態様において、この方法は、
（ａ）組織切片を得る工程；
（ｂ）互いに対し、異なる構成へと動くことができる第１および第２のプレートを得る工程
（各プレートは、実質的に平面である試料接触面を有し、一方または両方のプレートは可撓性であり、プレートの一方または両方は、それぞれの試料接触面と固定されているスペーサを含み、スペーサは、
ｉ．  実質的に均一な所定の高さ；
ｉｉ．  実質的に均一な断面および平坦な上面を有するピラーの形状；
ｉｉｉ．  １以上の、高さに対する幅の比率；
ｉｖ．  １０μｍ〜２００μｍの範囲である所定の不変的なスペーサ間距離；および
ｖ．  １％以上の充填率
を有する）；
（ｃ）プレートが開放構成にある間に切片をプレートの一方または両方に付着させる工程
（開放構成は、２枚のプレートが部分的または完全に離され、プレートの間隔がスペーサによって調節されない構成である）；
（ｄ）（ｃ）ののち、２枚のプレートを使用して、切片の少なくとも一部を、プレートの試料接触面によって画定される実質的に均一な厚さの層へと圧縮する工程
（層の均一な厚さはスペーサおよびプレートによって調節され、１．８μｍ〜３μｍの範囲の平均値（変動１０％未満）を有し、圧縮する工程は、
２枚のプレートを合わせること；および
少なくとも一方のプレートの区域を、同時並行的または順次に、形状適合的に押圧して、プレートを一緒に閉鎖構成へと押圧すること
を含み、形状適合的に押圧することは、試料の少なくとも一部上でプレートに対して実質的に均一な圧力を生成し、押圧することは、試料の少なくとも一部をプレートの試料接触面の間で横方向に広げ、閉鎖構成は、均一な厚さの領域の層中のプレートの間隔がスペーサによって調節される構成である）；および
（ｅ）プレートが閉鎖構成にある間に均一な厚さの層中の切片を分析する工程
を含み得；
充填率は、全プレート面積に対するスペーサ接触面積の比率であり；
形状適合的に押圧することは、区域全体に加わる圧力を、プレートの外面の形状変動にかかわらず、実質的に一定にする方法であり；
同時並行的に押圧することは、所期の区域に同時に圧力を加え、順次に押圧することは、所期の区域の一部に圧力を加え、徐々に他の区域に移行する。
【０１６３】
いくつかの態様において、この方法は、プレートが閉鎖構成になったのち外力を解除する工程；プレートが閉鎖構成にある間に均一な厚さの層中の切片を画像化する工程、を含み得る。上記のように、これらの態様において、スペーサ間距離は、２０μｍ〜２００μｍまたは５μｍ〜２０μｍの範囲であり得る。これらの態様において、スペーサの充填率とヤング率との積は２ＭＰａ以上である。いくつかの態様において、表面変動は３０ｎｍ未満である。
【０１６４】
これらの態様のいずれにおいても、画像化および計数は、ｉ．  均一な厚さの層中の切片に光を照射し、ｉｉ．  ＣＣＤまたはＣＭＯＳセンサを使用して切片の１つまたは複数の画像を撮影することによって実施され得る。
【０１６５】
いくつかの態様において、外力は、ヒトの手によって、たとえば指、たとえば親指を使って押し下げる、または親指と同じ手の別の指、たとえば人差し指との間につまむことによって提供され得る。
【０１６６】
いくつかの態様において、プレートの１つまたは複数は、一方または両方のプレートにコートされた乾燥試薬（たとえば結合剤、染色剤、検出剤またはアッセイ反応体）を含み得る。
【０１６７】
いくつかの態様において、均一な厚さの試料の層は、±５％まで、たとえば±２％まで、または±１％までの、厚さの均一さを有し得る。
【０１６８】
いくつかの態様において、スペーサは、丸、多角形、円形、正方形、長方形、卵形、楕円形またはそれらの任意の組み合わせから選択される断面形状を有するピラーである。
【０１６９】
洗浄工程なしの、および／または単一工程での染色および画像化
本発明のもう１つの局面は、洗浄なしで、かついくつかの態様においては単一工程で生物学的材料を染色するための（たとえば、細胞もしくは組織の染色、核酸染色法、Ｈ／Ｅ染色法、特殊染色法および／または細胞生死判別染色法などのための）デバイス、システムおよび方法を提供することである。
【０１７０】
いくつかの態様において、シグナル増幅面を組み込む、および／または使用することにより、開示されるデバイス、システムおよび方法は、洗浄なしでのアッセイの実行を容易にし得る。表面増幅面は、表面から小さな距離（たとえば２０ｎｍまたは５０ｎｍまたは１００ｎｍ）で放出される光のみを増幅し得る。表面増幅層の一例がＤ２ＰＡである。
【０１７１】
シグナル増幅層は、標的分析対象物または標識が増幅層から１ｎｍ、１０ｎｍ、２０ｎｍ、３０ｎｍ、４０ｎｍ、５０ｎｍ、６０ｎｍ、７０ｎｍ、８０ｎｍ、９０ｎｍ、１００ｎｍ、２００ｎｍ、３００ｎｍ、４００ｎｍ、５００ｎｍ、１μｍ、２μｍ、５μｍ、１０μｍまたはこれらの数値の任意の２つの間の範囲；および１ｎｍ〜５０ｎｍ、５０ｎｍ〜１００ｎｍ、１００ｎｍ〜２００ｎｍ、２００ｎｍ〜５００ｎｍの好ましい範囲であるとき、標的分析対象物または標的分析対象物の標識からのシグナルを増幅する。
【０１７２】
用語「増幅」とは、シグナルの大きさの増大、たとえば少なくとも１０倍増、少なくとも１００倍増、少なくとも１，０００倍増、少なくとも１０，０００倍増または少なくとも１００，０００倍増を指す。
【０１７３】
いくつかの態様において、シグナル増幅層は、以下に記載されているシグナル増幅層を含むが、これらに限定されない。２０１３年３月１５日出願のＰＣＴ出願（米国指定）番号ＰＣＴ／ＵＳ２０１３／０３２３４７、２０１３年１０月１日出願のＰＣＴ出願（米国指定）番号ＰＣＴ／ＵＳ２０１３／０６２９２３、２０１４年３月１６日出願のＰＣＴ出願（米国指定）番号ＰＣＴ／ＵＳ２０１４／０３０１０８、２０１４年３月１４日出願のＰＣＴ出願（米国指定）番号ＰＣＴ／ＵＳ２０１４／０２９６７５、２０１４年３月１４日出願のＰＣＴ出願（米国指定）番号ＰＣＴ／ＵＳ２０１４／０２８４１７、２０１４年３月１５日出願のＰＣＴ出願（米国指定）番号ＰＣＴ／ＵＳ２０１４／０２９９７９、２０１５年１０月２０日出願のＰＣＴ出願（米国指定）番号ＰＣＴ／ＵＳ２０１５／０５６５１８、２０１６年９月２７日出願のＰＣＴ出願（米国指定）番号ＰＣＴ／ＵＳ２０１６／０５４０２５。これらの完全な開示があらゆる趣旨に関して参照により本明細書に組み入れられる。
【０１７４】
シグナル増幅層は、金、銀、銅、アルミニウム、それらの合金およびそれらの組み合わせからなる群より選択される材料でできている連続的な金属フィルムを含む。シグナル増幅層は高増幅領域および低増幅領域を含み、高増幅領域は前記表面のシグナルを低増幅領域よりも大きく増幅し、層の低増幅領域は選択的にマスキングされており、シグナル増幅層は、（ｉ）２つ以上の突出部、（ｉｉ）２つ以上の金属構造、および（ｉｉｉ）金属構造間の２つ以上の間隙を含み；それにより、標的分析対象物が高増幅領域に結合し、検出される確率を高める。
【０１７５】
シグナル増幅層は、
（ｉ）基板上の実質的に連続的な金属バックプレーン；
（ｉｉ）金属バックプレーンから延びる、または基板からバックプレーン中の穴を通って延びる１つまたは複数の誘電体または半導体ピラー；および
（ｉｉｉ）ピラーの上の金属ディスク（ディスクのエッジの少なくとも一部分は金属バックプレーンから、間隙によって離されている）
を含む。
【０１７６】
いくつかの態様において、間隙および金属エッジの一部分は高シグナル増幅区域の一部であり、金属ディスクは、丸、多角形、角錐形、楕円形、細長い棒の形またはそれらの任意の組み合わせからなる群より選択される形状を有する。金属ディスクは、金属フィルムから０．５〜３０ｎｍの範囲の距離だけ離され、ディスクの平均横方向寸法は２０ｎｍ〜２５０ｎｍの範囲であり；シグナル増幅層は、丸、多角形、角錐形、楕円形、細長い棒の形またはそれらの任意の組み合わせからなる群より選択される形状を有する１つまたは複数の金属ディスクを含み、ディスクの平均横方向寸法は２０ｎｍ〜２５０ｎｍの範囲であり、隣接するディスク間の間隙は０．５〜３０ｎｍの範囲である。
【０１７７】
いくつかの態様において、金属構造は、金、銀、銅、アルミニウム、それらの合金およびそれらの組み合わせからなる群より選択される材料でできている。
【０１７８】
いくつかの態様において、ピラーは周期的または非周期的である、または金属構造はランダムな形状を有する。
【０１７９】
いくつかの態様において、増幅されるシグナルは、ラマン散乱、色度、ルミネセンス、蛍光、エレクトロルミネセンス、ケミルミネセンスおよび／またはエレクトロケミルミネセンスである。
【０１８０】
哺乳動物の生細胞および死細胞を検出する例
この実験においては、生きている白血球および死んだ白血球をＱＭＡＸ（Ｑ−Ｃａｒｄ）中で１分以内に検出した。
【０１８１】
ＱＭＡＸデバイスは２枚のプレート、第１のプレートおよび第２のプレート（またはＸプレート）を有する。第１のプレートは、厚さ１ｍｍ、面積２４ｍｍ×３２ｍｍのＰＭＭＡ製である。Ｘプレートは、面積２２ｍｍ×２７ｍｍ、厚さ１７５μｍのＰＭＭＡフィルムであり、Ｘプレート上のスペーサアレイは、横方向面積３０×４０μｍ、高さ１０μｍ、スペーサ間距離８０μｍのピラースペーサを有するものであった。
【０１８２】
実験においては、ヨウ化プロピジウム溶液（Ｔｈｅｒｍｏ  Ｆｉｓｈｅｒ  Ｐ３５６６）およびアクリジンオレンジ（Ｔｈｅｒｍｏ  Ｆｉｓｈｅｒ  Ａ３５６８）を使用して、哺乳動物細胞の生存能力を検出する。ヨウ化プロピジウム（ＰＩ）は、細胞非透過性の核酸インターカレート色素である。しかし、損なわれた細胞膜が理由で、ＰＩは死細胞を染色し、オレンジレッド色を示す。アクリジンオレンジ（ＡＯ）は生細胞と死細胞の両方を染色し、緑色蛍光色を生成する。ＰＩとＡＯとを一緒に使用するとき、生細胞はＡＯ色素のみによって染色され、緑色を示すが、死細胞はＰＩ色素とＡＯ色素の両方で染色され、ＰＩはＡＯを消失させることができ、オレンジレッド色を示す。
【０１８３】
まず、１００μｇ／ｍｌのＰＩおよび２０μｇ／ｍｌのＡＯをＰＢＳ中に調製した。次いで、ＰＩ／ＡＯ色素溶液を、Ｘプレート上、周期０．６ｍｍの液滴アレイ（１６×１６、１液滴あたり１５ｎｌ量）へとプリントした。Ｘプレートを空気乾燥させ、室温の真空バッグに貯蔵した。試料を検査するとき、血液試料２．５μｌを基板プレートに添加し、Ｘプレートを閉じ、しっかりと押した。Ｑカード（基板プレートおよびＸプレート）を室温で１分間インキュベートした。ｉＰｈｏｎｅ  ６ｓを励起波長４７０〜４９０ｎｍおよび放出波長５２０ｎｍのロングパスフィルタとともに使用してｉＰｈｏｎｅ画像を撮影した。
【０１８４】
図３は、新鮮な血液２．５μｌを基板プレートに加え、Ｘプレートが、その上にプリントされたＰＩおよびＡＯ色素を有する実験プロセスを示す。次いで、２枚のプレートを押し合わせ、室温で１分間インキュベートした。顕微鏡検査法とＰｈｏｎｅベースの顕微鏡検査システムの両方を使用してデータを収集した。
【０１８５】
図４は、哺乳動物の生細胞および死細胞染色の顕微鏡画像を示す。生細胞は、青色の円によってマークされた緑に染色され、死細胞は、赤色の円によってマークされたオレンジレッドに染色された。
【０１８６】
図５は、スパイクされたＴ細胞（死細胞を含む）を有する／有しない、ＰＩおよびＡＯ色素によって染色された新鮮な血液試料のｉＰｈｏｎｅ画像を示す。死細胞はオレンジレッドに染色され、いくつかは赤色の円によってマークされた。生細胞は緑に染色され、いくつかは青色の円によってマークされた。
【０１８７】
いくつかの態様において、細胞生死判別色素は、ヨウ化プロピジウム、７−ＡＡＤ、トリパンブルー、カルセインバイオレットＡＭ、カルセインＡＭ、固定可能な生死判別色素、ＳＹＴＯ９および他の核酸色素、レサズリンおよびホルマザン（ＭＴＴ／ＸＴＴ）および他のミトコンドリア色素、ステラーゼ基質、アミン反応性色素、ＤＡＰＩ、ＤＲＡＱ７、７−ＡＡＤおよびＴＯ−ＰＲＯ−３ならびにそれらの任意の組み合わせからなる群より選択される。
【０１８８】
いくつかの態様において、細胞生死判別色素は、タンパク質結合色素からなる群より選択される。
【０１８９】
いくつかの態様において、生細胞を検出する色素は、アクリジンオレンジ、ＳＹＴＯ緑色核酸染料、たとえばＳＹＴＯ９、ＳＹＴＯ１１、ＳＹＴＯ１２、ＳＹＴＯ１３、ＳＹＴＯ１４、ＳＹＴＯ１６、ＳＹＴＯ２２１、ＳＹＴＯ２４、フルオレセインジアセテート（ＦＤＡ）およびそれらの任意の組み合わせから選択される。
【０１９０】
いくつかの態様において、死細胞を検出する色素はヨウ化プロピジウムから選択される。
【０１９１】
いくつかの態様において、死細胞を検出する色素はメチレンブルーから選択される。
【０１９２】
いくつかの態様において、死細胞を検出する色素はＹＯＹＯ色素群から選択される。
【０１９３】
いくつかの態様において、生細胞を検出する色素はＤｉＯＣ２（３）、ＣＦＤＡから選択される。
【０１９４】
いくつかの態様において、試料は細菌を含み、試料中の細菌生存能力を測定することが望まれ、デバイスはさらに、プレートの一方または両方上に、生細胞と死細胞とを示差的に染色するための細菌生死判別色素、たとえばＰＩ、ＳＹＴＯ９などを含む。任意選択で、デバイスはさらに、プレートの一方または両方上に、全細菌染色のための色素、たとえばグラム染色試薬などを含む。
【０１９５】
いくつかの態様において、死細胞を検出する色素は、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）４５０、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）５０６、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）６６０、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）５２０、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）７８０、ｅＢｉｏｓｃｉｅｎｃｅ（商標）Ｆｉｘａｂｌｅ  Ｖｉａｂｉｌｉｔｙ  Ｄｙｅ  ｅＦｌｕｏｒ（商標）４５５ＵＶから選択される。
【０１９６】
いくつかの態様において、細胞生死判別色素は、ＬＩＶＥ／ＤＥＡＤ（商標）Ｆｉｘａｂｌｅ  Ｙｅｌｌｏｗ  Ｄｅａｄ  Ｃｅｌｌ  Ｓｔａｉｎ  Ｋｉｔからなる群より選択される。
【０１９７】
いくつかの態様において、生細胞を検出する色素は、アクリジンオレンジ、ＳＹＴＯ緑色核酸染料、たとえばＳＹＴＯ９、ＳＹＴＯ１１、ＳＹＴＯ１２、ＳＹＴＯ１３、ＳＹＴＯ１４、ＳＹＴＯ１６、ＳＹＴＯ２２１、ＳＹＴＯ２４、フルオレセインジアセテート（ＦＤＡ）、ａｌａｍａｒＢｌｕｅ（商標）Ｃｅｌｌ  Ｖｉａｂｉｌｉｔｙ  Ｒｅａｇｅｎｔ、カルセイン、ＡＭ、細胞浸透性色素、ｅＢｉｏｓｃｉｅｎｃｅ（商標）Ｃａｌｃｅｉｎ  ＡＭ  Ｖｉａｂｉｌｉｔｙ  Ｄｙｅ、ｅＢｉｏｓｃｉｅｎｃｅ（商標）Ｃａｌｃｅｉｎ  Ｖｉｏｌｅｔ  ４５０  ＡＭ  Ｖｉａｂｉｌｉｔｙ  Ｄｙｅから選択される。
【０１９８】
いくつかの態様において、細胞生死判別色素は、ＬＩＶＥ／ＤＥＡＤ  Ｆｉｘａｂｌｅ（青、緑、紫、赤、近ＩＲ、遠赤）Ｄｅａｄ  Ｃｅｌｌ  Ｓｔａｉｎ、ＳＹＴＯ（商標）Ｏｒａｎｇｅ  Ｆｌｕｏｒｅｓｃｅｎｔ  Ｎｕｃｌｅｉｃ  Ａｃｉｄ  Ｓｔａｉｎ  Ｓａｍｐｌｅｒ  Ｋｉｔ、ＳＹＴＯ（商標）Ｇｒｅｅｎ  Ｆｌｕｏｒｅｓｃｅｎｔ  Ｎｕｃｌｅｉｃ  Ａｃｉｄ  Ｓｔａｉｎ  Ｓａｍｐｌｅｒ  Ｋｉｔ、ＳＹＴＯ（商標）Ｇｒｅｅｎ  Ｆｌｕｏｒｅｓｃｅｎｔ  Ｎｕｃｌｅｉｃ  Ａｃｉｄ  Ｓｔａｉｎ  Ｓａｍｐｌｅｒ  Ｋｉｔ、ＬＩＶＥ／ＤＥＡＤ（商標）Ｆｉｘａｂｌｅ  Ｖｉｏｌｅｔ  Ｄｅａｄ  Ｃｅｌｌ  Ｓｔａｉｎ  Ｋｉｔ、ＬＩＶＥ／ＤＥＡＤ（商標）Ｆｉｘａｂｌｅ  Ｙｅｌｌｏｗ  Ｄｅａｄ  Ｃｅｌｌ  Ｓｔａｉｎ  Ｋｉｔ、Ｔｒｙｐａｎ  Ｂｌｕｅ  Ｓｏｌｕｔｉｏｎ、０．４％からなる群より選択される。
【０１９９】
分析のための人工知能および／または機械学習
本発明の特定の態様においては、ＱＭＡＸベースのデバイスのための機械学習フレームワークが、ＱＭＡＸイメージャによって捕捉された疑似２Ｄ画像に基づいて分析対象物（たとえば血液細胞）を差別的に発見し、同定し、セグメント化し、計数するための、ディープラーニングなどのアルゴリズムを実行することができるデバイス中に実装される。
【０２００】
本発明の特定の態様において、機械学習は、ＱＭＡＸデバイス上のイメージャによって捕捉された画像を改善し、気泡、塵、影およびピラーをはじめとするノイズおよびアーチファクトの影響を減らす。
【０２０１】
本発明の特定の態様において、機械学習の訓練は、ＱＭＡＸカードのスペーサを使用して訓練セットのデータサイズを減らす。
【０２０２】
ディープラーニング
特定の態様においては、分析対象物検出およびローカリゼーションワークフローが２つの段階、訓練および予測からなるディープラーニングが使用される。
【０２０３】
（ｉ）訓練段階
本発明の訓練段階において、アノテーション付き訓練データが畳み込みニューラルネットワークに送られる。畳み込みニューラルネットワークとは、グリッド様のフィードフォワード階層型ネットワークトポロジーを有する、データを処理するための特殊なニューラルネットワークである。データの例は、規則的な時間間隔で試料を取得する１Ｄグリッドと見なすことができる時系列データおよびピクセルの２Ｄグリッドと見なすことができる画像データを含む。畳み込みネットワークは実用に成功している。「畳み込みニューラルネットワーク」という名称は、ネットワークが、畳み込みと呼ばれる数学的演算を用いることを示す。畳み込みは特殊な種類の線形演算である。畳み込みネットワークは単に、その層の少なくとも１つにおいて汎用行列乗算の代わりに畳み込みを使用するニューラルネットワークである。
【０２０４】
本発明のいくつかの態様において機械学習モデルを訓練するとき、試料を保持するＱＭＡＸデバイス上でイメージャによって撮影された分析対象物を含有する試料の１つまたは複数の画像を訓練データとして受け取る。訓練データは、アッセイされる分析対象物に関してアノテーションが付され、そのアノテーションが、分析対象物が訓練データ中にあるかどうか、また、画像中のどこに位置するのかを示す。アノテーションは、分析対象物を完全に含む、または分析対象物の中心位置を含むタイトなバウンディングボックスの形態で実施することができる。後者の場合、中心位置はさらに、分析対象物をカバーする円またはポイントマップ中のガウスカーネルに変換される。
【０２０５】
訓練データのサイズが大きい場合、機械学習モデルの訓練は２つの難題を呈する。アノテーション（通常はヒトが実施する）は時間を要し、訓練はコンピュータ的に費用を要する。これらの難題を克服するためには、訓練データを小さなサイズのパッチに分割したのち、これらのパッチまたはこれらのパッチの一部分にアノテーションを付け、訓練することができる。用語「機械学習」とは、統計学的技術と、明示的にプログラムされることなくデータから訓練された人工ニューラルネットワークとをしばしば使用する、人工知能の分野におけるアルゴリズム、システムおよび装置を指す。
【０２０６】
本発明のいくつかの態様において、アノテーション付き画像は機械学習（ＭＬ）訓練モジュールに送られ、機械学習モジュール中のモデルトレーナが訓練データ（アノテーション付き試料画像）からのＭＬモデルを訓練する。入力データは、特定の停止基準が満たされるまで、複数回の反復でモデルトレーナに送られる。ＭＬ訓練モジュールの出力がＭＬモデル―コンピュータが特定のタスク（たとえば物体を検出し、分類する）を自ら実行する能力をコンピュータに与える、データから機械学習中に訓練プロセスから構築される計算モデル―である。
【０２０７】
訓練された機械学習モデルは予測（または推論）段階中にコンピュータによって適用される。機械学習モデルの例はＲｅｓＮｅｔ、ＤｅｎｓｅＮｅｔなどを含む。これらは、ネットワーク構造中の接続された層の深さが理由で「ディープラーニングモデル」とも呼ばれる。いくつかの態様においては、完全畳み込みネットワーク（ＦＣＮ）を有するＣａｆｆｅライブラリをモデル訓練および予測に使用したが、ＴｅｎｓｏｒＦｌｏｗなどの他の畳み込みニューラルネットワークアーキテクチャおよびライブラリを使用することもできる。
【０２０８】
訓練段階は、予測段階において使用されるモデルを生成する。モデルは、入力をアッセイするために予測段階で繰り返し使用することができる。したがって、計算ユニットは、生成されたモデルにアクセスするだけでよい。訓練データにアクセスする必要はなく、訓練段階をコンピューティングユニット上で再び実行する必要もない。
【０２０９】
（ｉｉ）予測段階
予測／推論段階においては、検出コンポーネントが入力画像に適用され、入力画像は、訓練段階から生成された訓練済みモデルを事前にロードされた予測（推論）モジュールに送られる。予測段階の出力は、検出された分析対象物を、分析対象物の中心位置もしくは各分析対象物の位置を示すポイントマップまたは検出された分析対象物の情報を含むヒートマップとともに含むバウンディングボックスであることができる。
【０２１０】
予測段階の出力がバウンディングボックスのリストである場合、アッセイのための試料の画像中の分析対象物の数は、検出されたバウンディングボックスの数によって特徴付けられる。予測段階の出力がポイントマップである場合、アッセイのための試料の画像中の分析対象物の数は、ポイントマップの積分によって特徴付けられる。予測の出力がヒートマップである場合、ローカリゼーションコンポーネントを使用して位置が特定され、検出された分析対象物の数は、ヒートマップのエントリによって特徴付けられる。
【０２１１】
ローカリゼーションアルゴリズムの１つの態様は、ヒートマップ値を、一次元順序付きリスト中に、最高値から最低値へとソートすることである。次いで、最高値のピクセルを選択し、そのピクセルを、その隣接ピクセルとともに、リストから削除する。すべてのピクセルがリストから削除されるまでプロセスを繰り返して、リスト中の最高値を有するピクセルを選択する。
【０２１２】
ヒートマップを使用する検出コンポーネントにおいては、入力画像が、訓練段階から生成されたモデルとともに、畳み込みニューラルネットワークに送られ、検出段階の出力は、ヒートマップの形式の、ピクセルレベルの予測である。ヒートマップは、入力画像と同じサイズを有することもできるし、入力画像の縮小バージョンであることもでき、ローカリゼーションコンポーネントへの入力である。本発明者らは、分析対象物の中心をローカライズするためのアルゴリズムを開示する。主な概念は、ヒートマップからローカルピークを繰り返し検出することである。ピークがローカライズされたのち、そのピークを包囲するローカルエリアを計算することができる（ただし値はより小さい）。この領域をヒートマップから削除し、残りのピクセルから次のピークを見つける。すべてのピクセルがヒートマップから削除されるまでこのプロセスを繰り返す。
【０２１３】
特定の態様において、本発明は、ヒートマップ値を、一次元順序付きリスト中に、最高値から最低値へとソートするためのローカリゼーションアルゴリズムを提供する。次いで、最高値のピクセルを選択し、そのピクセルを、その隣接ピクセルとともに、リストから削除する。すべてのピクセルがリストから削除されるまでプロセスを繰り返して、リスト中の最高値を有するピクセルを選択する。
【０２１４】
Ａｌｇｏｒｉｔｈｍ  ＧｌｏｂａｌＳｅａｒｃｈ  （ｈｅａｔｍａｐ）
Ｉｎｐｕｔ：
ｈｅａｔｍａｐ
Ｏｕｔｐｕｔ：
ｌｏｃｉ
ｌｏｃｉ←｛｝
ｓｏｒｔ（ｈｅａｔｍａｐ）
ｗｈｉｌｅ  （ｈｅａｔｍａｐ  ｉｓ  ｎｏｔ  ｅｍｐｔｙ）  ｛
ｓ←ｐｏｐ（ｈｅａｔｍａｐ）
Ｄ←｛ｄｉｓｋ  ｃｅｎｔｅｒ  ａｓ  ｓ  ｗｉｔｈ  ｒａｄｉｕｓ  Ｒ｝
ｈｅａｔｍａｐ  ＝  ｈｅａｔｍａｐ  ＼  Ｄ  ／／  ｒｅｍｏｖｅ  Ｄ  ｆｒｏｍ  ｔｈｅ  ｈｅａｔｍａｐ
ａｄｄ  ｓ  ｔｏ  ｌｏｃ｝
【０２１５】
ソート後、ヒートマップは、ヒートマップ値が最高から最低の順に並ぶ一次元順序付きリストである。各ヒートマップ値は、その対応するピクセル座標と関連付けられる。ヒートマップの最初のアイテムは、最高値を有するアイテムであり、それがｐｏｐ（ｈｅａｔｍａｐ）関数の出力である。１つのディスクが作成され、その中心は、最高ヒートマップ値を有するもののピクセル座標である。次いで、ピクセル座標がディスク内にあるすべてのヒートマップ値をヒートマップから削除する。アルゴリズムは、現在のヒートマップ中の最高値を繰り返しポップアップし、アイテムがヒートマップから削除されるまで、その周囲のディスクを削除する。
【０２１６】
順序付きリストヒートマップ中、各アイテムは、先行アイテムおよび後続アイテムの知識を有する。順序付きリストからアイテムを削除する場合、以下の変更を加える。
・削除アイテムがｘｒであり、先行アイテムがｘｐであり、後続アイテムがｘｆであると仮定する。
・先行アイテムｘｐに関し、その後続アイテムを削除アイテムの後続アイテムに再定義する。したがって、ｘｐの後続アイテムはｘｆとなる。
・削除アイテムｘｒに関し、その先行アイテムおよび後続アイテムを定義解除し、それを順序付きリストから削除する。
・後続アイテムｘｆに関し、その先行アイテムを削除されたアイテムの先行アイテムに再定義する。したがって、ｘｆの先行アイテムはｘｐとなる。
【０２１７】
すべてのアイテムが順序付きリストから削除されたのち、ローカリゼーションアルゴリズムは完了する。設定位置中の要素の数が分析対象の数となり、位置情報は、設定位置中の各ｓのピクセル座標である。
【０２１８】
もう１つの態様は、必ずしも最高ヒートマップ値を有するものではないローカルピークを探索する。各ローカルピークを検出するためには、ランダムな出発点から出発し、ローカル最大値を探索する。ピークを見つけたのち、そのピークを包囲するローカルエリアを計算する（ただし値はより小さい）。この領域をヒートマップから削除し、残りのピクセルから次のピークを見つける。ヒートマップからすべてのピクセルが削除されるまでこのプロセスを繰り返す。
【０２１９】
Ａｌｇｏｒｉｔｈｍ  ＬｏｃａｌＳｅａｒｃｈ  （ｓ，  ｈｅａｔｍａｐ）
Ｉｎｐｕｔ：
ｓ：  ｓｔａｒｔｉｎｇ  ｌｏｃａｔｉｏｎ  （ｘ，  ｙ）
ｈｅａｔｍａｐ
Ｏｕｔｐｕｔ：
ｓ：  ｌｏｃａｔｉｏｎ  ｏｆ  ｌｏｃａｌ  ｐｅａｋ．
＞０の値のピクセルのみを考慮する。
【０２２０】
Ａｌｇｏｒｉｔｈｍ  Ｃｏｖｅｒ  （ｓ，  ｈｅａｔｍａｐ）
Ｉｎｐｕｔ：
ｓ：  ｌｏｃａｔｉｏｎ  ｏｆ  ｌｏｃａｌ  ｐｅａｋ，
ｈｅａｔｍａｐ：
Ｏｕｔｐｕｔ：
ｃｏｖｅｒ：  ａ  ｓｅｔ  ｏｆ  ｐｉｘｅｌｓ  ｃｏｖｅｒｅｄ  ｂｙ  ｐｅａｋ：
【０２２１】
これは、ｓから出発する幅優先探索アルゴリズムであるが、訪問点の条件が１つ変更されている。ｈｅａｔｍａｐ［ｐ］＞０かつｈｅａｔｍａｐ［ｐ］＜＝ｈｅａｔｍａｐ［ｑ］ならば、現在位置ｑの隣接位置ｐだけがカバーに加えられる。したがって、カバー中の各ピクセルは、ローカルピークｓに通じる非下降経路を有する。
【０２２２】
Ａｌｇｏｒｉｔｈｍ  Ｌｏｃａｌｉｚａｔｉｏｎ  （ｈｅａｔｍａｐ）
Ｉｎｐｕｔ：
ｈｅａｔｍａｐ
Ｏｕｔｐｕｔ：
ｌｏｃｉ
ｌｏｃｉ←｛｝
ｐｉｘｅｌｓ←｛ａｌｌ  ｐｉｘｅｌｓ  ｆｒｏｍ  ｈｅａｔｍａｐ｝
ｗｈｉｌｅ  ｐｉｘｅｌｓ  ｉｓ  ｎｏｔ  ｅｍｐｔｙ  ｛
ｓ←ａｎｙ  ｐｉｘｅｌ  ｆｒｏｍ  ｐｉｘｅｌｓ
ｓ←ＬｏｃａｌＳｅａｒｃｈ（ｓ，  ｈｅａｔｍａｐ）  ／／  ｓ  ｉｓ  ｎｏｗ  ｌｏｃａｌ  ｐｅａｋ
ｐｒｏｂｅ  ｌｏｃａｌ  ｒｅｇｉｏｎ  ｏｆ  ｒａｄｉｕｓ  Ｒ  ｓｕｒｒｏｕｎｄｉｎｇ  ｓ  ｆｏｒ  ｂｅｔｔｅｒ  ｌｏｃａｌ  ｐｅａｋ
ｒ←Ｃｏｖｅｒ（ｓ，  ｈｅａｔｍａｐ）
ｐｉｘｅｌｓ←ｐｉｘｅｌｓ  ＼  ｒ  ／／  ｒｅｍｏｖｅ  ａｌｌ  ｐｉｘｅｌｓ  ｉｎ  ｃｏｖｅｒ
ａｄｄ  ｓ  ｔｏ  ｌｏｃｉ
【０２２３】
特定の態様において、検出およびローカリゼーションがコンピュータビジョンアルゴリズムによって実現され、分類がディープラーニングアルゴリズムによって実現され、コンピュータビジョンアルゴリズムが分析対象物の可能な候補を検出し、見つけ、ディープラーニングアルゴリズムが各可能な候補を真の分析対象物と偽の分析対象物とに分類する、ディープラーニングとコンピュータビジョン手法の組み合わせを含む画像解析。すべての真の分析対象物の位置が（真の分析対象物の総数とともに）出力として記録される。
【０２２４】
検出
コンピュータビジョンアルゴリズムは、強度、色、サイズ、形状、分布などをはじめとする分析対象物の特徴に基づいて、可能な候補を検出する。前処理スキームが検出を改善することができる。前処理スキームは、コントラスト強調、ヒストグラム調整、色強調、ノイズ除去、スムージング、デフォーカスなどを含む。前処理後、入力画像は検出器に送られる。検出器は、分析対象物の可能な候補の存在を知らせ、その場所の推定を出す。検出は、適応的閾値処理などのスキームを使用して、分析対象物構造（たとえばエッジ検出、ライン検出、円検出など）、接続性（たとえばブロブ検出、接続コンポーネント、輪郭検出など）、強度、色、形状などに基づくことができる。
【０２２５】
ローカリゼーション
検出後、コンピュータビジョンアルゴリズムは、境界またはそれを含むタイトなバウンディングボックスを提供することにより、分析対象物の可能な候補それぞれを見つける。これは、物体セグメンテーションアルゴリズム、たとえば適応的閾値処理、背景差分法、ｆｌｏｏｄＦｉｌｌ、ＭｅａｎＳｈｉｆｔ、Ｗａｔｅｒｓｈｅｄなどによって達成することができる。非常に多くの場合、ローカリゼーションを検出と組み合わせて、分析対象物の可能な候補それぞれの場所とともに検出結果を出すことができる。
【０２２６】
分類
畳み込みニューラルネットワークなどのディープラーニングアルゴリズムは最先端の視覚的分類を達成する。本発明者らは、分析対象物の可能な候補それぞれの分類のためにディープラーニングアルゴリズムを用いる。ＶＧＧＮｅｔ、ＲｅｓＮｅｔ、ＭｏｂｉｌｅＮｅｔ、ＤｅｎｓｅＮｅｔなど、様々な畳み込みニューラルネットワークを分析対象物分類に利用することができる。
【０２２７】
分析対象物の可能な候補それぞれを仮定して、ディープラーニングアルゴリズムは、畳み込みフィルタおよび非線形フィルタを介してニューロンの層を通して計算を実行して、分析対象物を非分析対象物から区別する高レベル特徴を抽出する。完全畳み込みネットワークの層が高レベル特徴を分類結果へと組み合わせ、それが真の分析対象物であるかどうか、または分析対象物である確率を教える。
【０２２８】
ＱＭＡＸカードの寸法
ＱＭＡＸカードの２つ（またはそれ以上）のプレートの厚さ、幅および／または長さは、同じであることもできるし、異なることもできる。
【０２２９】
（１）カードの形状
いくつかの態様において、２枚のプレートの形状は、丸、楕円形、長方形、三角形、多角形、リング形またはそれらの形状の任意の重ね合わせである。
【０２３０】
いくつかの態様において、ＱＭＡＸカードの２つ（またはそれ以上）のプレートは、同じサイズおよび／または形状を有することもできるし、異なるサイズおよび／または形状を有することもできる。
【０２３１】
いくつかの態様において、ＱＭＡＸカードの２つ（またはそれ以上）のプレートの少なくとも１つは、ユーザの安全性を考慮して丸みのある角を有し、丸みのある角は、１００μｍ以下、２００μｍ以下、５００μｍ以下、１ｍｍ以下、２ｍｍ以下、５ｍｍ以下、１０ｍｍ以下、５０ｍｍ以下またはこれらの数値のいずれか２つの間の範囲の直径を有する。
【０２３２】
一般的に、プレートは、試料の圧縮開放流および試料厚さの調節が可能である限り、任意の形状を有することができる。しかし、いくつかの態様においては、特定の形状が有利である。
【０２３３】
（２）カードの厚さ
ＱＭＡＸカードの２つ（またはそれ以上）のプレートの厚さ、幅および／または長さは、同じであることもできるし、異なることもできる。
【０２３４】
いくつかの態様において、少なくとも１つのプレートの平均厚さは、２ｎｍ以下、１０ｎｍ以下、１００ｎｍ以下、２００ｎｍ以下、５００ｎｍ以下、１０００ｎｍ以下、２μｍ（ミクロン）以下、５μｍ以下、１０μｍ以下、２０μｍ以下、５０μｍ以下、１００μｍ以下、１５０μｍ以下、２００μｍ以下、３００μｍ以下、５００μｍ以下、８００μｍ以下、１ｍｍ（ミリメートル）以下、２ｍｍ以下、３ｍｍ以下、５ｍｍ以下、１０ｍｍ以下、２０ｍｍ以下、５０ｍｍ以下、１００ｍｍ以下、５００ｍｍ以下またはこれらの数値のいずれか２つの間の範囲である。
【０２３５】
いくつかの好ましい態様において、少なくとも１つのプレートの厚さは０．５〜１．５ｍｍの範囲である。
【０２３６】
いくつかの好ましい態様において、少なくとも１つのプレートの厚さは約１ｍｍである。
【０２３７】
いくつかの好ましい態様において、少なくとも１つのプレートの厚さは０．１５〜０．２ｍｍの範囲である。
【０２３８】
いくつかの好ましい態様において、少なくとも１つのプレートの厚さは約０．１７５ｍｍである。
【０２３９】
いくつかの態様において、いずれか１つのプレートの厚さはプレート全体で均一ではない。異なる位置で異なるプレート厚さを用いると、プレートの折り曲げ、折り畳み、試料厚さ調節などを制御することができる。
【０２４０】
（３）カードの面積、幅および長さ
いずれか１つのプレートの面積は特定の用途に依存する。
【０２４１】
いくつかの態様において、少なくとも１つのプレートの面積は、１ｍｍ２（平方ミリメートル）以下、１０ｍｍ２以下、２５ｍｍ２以下、５０ｍｍ２以下、７５ｍｍ２以下、１ｃｍ２（平方センチメートル）以下、２ｃｍ２以下、３ｃｍ２以下、４ｃｍ２以下、５ｃｍ２以下、１０ｃｍ２以下、１００ｃｍ２以下、５００ｃｍ２以下、１０００ｃｍ２以下、５０００ｃｍ２以下、１０，０００ｃｍ２以下、１０，０００ｃｍ２以下または２つの数値のいずれかの間の範囲である。
【０２４２】
いくつかの好ましい態様において、ＱＭＡＸカードの少なくとも１つのプレートの面積は５００ｍｍ２〜１，０００ｍｍ２の範囲である。
【０２４３】
いくつかの好ましい態様において、１つのプレートの面積は約６００ｍｍ２であり、もう１つのプレートの面積は約７５０ｍｍ２である。
【０２４４】
いくつかの態様において、ＱＭＡＸカードの少なくとも１つのプレートの幅は、１ｍｍ以下、５ｍｍ以下、１０ｍｍ以下、１５ｍｍ以下、２０ｍｍ以下、２５ｍｍ以下、３０ｍｍ以下、３５ｍｍ以下、４０ｍｍ以下、４５ｍｍ以下、５０ｍｍ以下、１００ｍｍ以下、２００ｍｍ以下、５００ｍｍ以下、１０００ｍｍ以下、５０００ｍｍ以下または２つの数値のいずれかの間の範囲である。
【０２４５】
いくつかの好ましい態様において、ＱＭＡＸカードの少なくとも１つのプレートの幅は２０〜３０ｍｍの範囲である。
【０２４６】
いくつかの好ましい態様において、１つのプレートの幅は約２２ｍｍであり、もう１つのプレートの幅は約２４ｍｍである。
【０２４７】
いくつかの態様において、ＱＭＡＸカードの少なくとも１つのプレートの長さは、１ｍｍ以下、５ｍｍ以下、１０ｍｍ以下、１５ｍｍ以下、２０ｍｍ以下、２５ｍｍ以下、３０ｍｍ以下、３５ｍｍ以下、４０ｍｍ以下、４５ｍｍ以下、５０ｍｍ以下、１００ｍｍ以下、２００ｍｍ以下、５００ｍｍ以下、１，０００ｍｍ以下、５，０００ｍｍ以下または２つの数値のいずれかの間の範囲である。
【０２４８】
いくつかの好ましい態様において、ＱＭＡＸカードの少なくとも１つのプレートの長さは２０〜４０ｍｍの範囲である。
【０２４９】
いくつかの好ましい態様において、１つのプレートの長さは約２７ｍｍであり、もう１つのプレートの長さは約３２ｍｍである。
【０２５０】
（４）ノッチ
いくつかの態様においては、一方のプレートの内側に、他方のプレートを容易に剥離させ、２枚のプレートを離すための１つまたは複数のノッチがある。
【０２５１】
いくつかの態様において、ノッチの形状は、丸、楕円形、長方形、三角形、多角形、リング形またはこれらの形状の任意の重ね合わせである。
【０２５２】
いくつかの態様において、ノッチのサイズは、１ｍｍ２（平方ミリメートル）以下、１０ｍｍ２以下、２５ｍｍ２以下、５０ｍｍ２以下、７５ｍｍ２以下または２つの値のいずれかの間の範囲である。
【０２５３】
いくつかの好ましい態様において、ＱＭＡＸカード上のノッチの面積は１０〜３０ｍｍ２の範囲である。
【０２５４】
いくつかの好ましい態様において、ノッチは、厚い方のプレートの短い幅の側に位置する。
【０２５５】
（５）トレンチ
いくつかの態様においては、一方のプレートの内側に、あふれを防ぐ、または本明細書に開示される保存剤／試薬を含むための１つまたは複数のトレンチがある。
【０２５６】
いくつかの態様において、トレンチは、開放形であり、直線、曲線、弧、枝分かれまたは開放端を有する任意の他の形状である。いくつかの態様において、トレンチは閉鎖形である。いくつかの態様において、トレンチの形状は、丸、楕円形、長方形、三角形、多角形、リング形またはこれらの形状の任意の重ね合わせである。トレンチは、均一または非均一である、任意の可能な断面形状を有することができる。
【０２５７】
いくつかの態様において、トレンチの長さは、０．００１ｍｍ以下、０．００５ｍｍ以下、０．０１ｍｍ以下、０．０５ｍｍ以下、０．１ｍｍ以下、０．５ｍｍ以下、１ｍｍ以下、２ｍｍ以下、５ｍｍ以下、１０ｍｍ以下、２０ｍｍ以下、５０ｍｍ以下、１００ｍｍ以下またはこれらの値のいずれか２つの間の範囲である。
【０２５８】
いくつかの態様において、トレンチの平均断面積は、０．００１ｍｍ２以下、０．００５ｍｍ２以下、０．０１ｍｍ２以下、０．０５ｍｍ２以下、０．１ｍｍ２以下、０．５ｍｍ２以下、１ｍｍ２以下、２ｍｍ２以下、５ｍｍ２以下、１０ｍｍ２以下、２０ｍｍ２以下またはこれらの値のいずれか２つの間の範囲である。
【０２５９】
（６）レセプタクルスロット
いくつかの態様において、レセプタクルスロットの受け取り区域、すなわちスライドトラックによってカバーされる横方向区域は、ＱＭＡＸデバイスの面積以上の面積を有する。
【０２６０】
いくつかの態様において、レセプタクルスロットの受け取り区域の形状は、丸、楕円形、長方形、三角形、多角形、リング形またはこれらの形状の任意の重ね合わせである。
【０２６１】
いくつかの態様において、スライドトラックの平均間隙サイズは、デバイスの平均厚さよりも１００ｎｍ、５００ｎｍ、１μｍ、２μｍ、５μｍ、１０μｍ、５０μｍ、１００μｍ、３００μｍ、５００μｍ、１ｍｍ、２ｍｍ、５ｍｍ、１ｃｍまたはこれらの数値のいずれか２つの間の範囲だけ大きい。
【０２６２】
いくつかの好ましい態様において、スロットの平均間隙サイズはデバイスの平均厚さよりも５０μｍ〜３００μｍ大きい。
【０２６３】
いくつかの態様において、レセプタクルスロットの受け取り区域はデバイスの面積よりも１ｍｍ２（平方ミリメートル）以下、１０ｍｍ２以下、２５ｍｍ２以下、５０ｍｍ２以下、７５ｍｍ２以下、１ｃｍ２（平方センチメートル）以下、２ｃｍ２以下、３ｃｍ２以下、４ｃｍ２以下、５ｃｍ２以下、１０ｃｍ２以下、１００ｃｍ２以下または２つの数値のいずれかの間の範囲だけ大きい。
【０２６４】
いくつかの態様において、プレートの一方またはプレートの両方の形状はレセプタクルスロットの形状と同じである。
【０２６５】
いくつかの態様において、ＱＭＡＸデバイスは、レセプタクルスロットと完全に係合したとき、専ら部分的にレセプタクルスロットの内側に来る。プレートの一方またはプレートの両方の一部の形状はレセプタクルスロットの形状と同じである。
【０２６６】
（７）その他
いくつかの態様において、プレートの少なくとも１つは、幅、厚さおよび長さを有するベルト（またはストリップ）の形態にある。いくつかの態様において、幅は最大で０．１ｃｍ（センチメートル）、最大で０．５ｃｍ、最大で１ｃｍ、最大で５ｃｍ、最大で１０ｃｍ、最大で５０ｃｍ、最大で１００ｃｍ、最大で５００ｃｍ、最大で１，０００ｃｍまたはこれらの数値のいずれか２つの間の範囲である。長さは必要なだけの長さである。いくつかの態様において、ベルトはロール状に巻かれている。
【０２６７】
（８）ディスポーザブルカード
いくつかの態様において、開示されるＱＭＡＸカードが廉価な材料でできており、低コストで製造され、したがって、ユーザに対する経済的負担が相対的に低レベルであることが本発明の有意な利点である。
【０２６８】
いくつかの態様において、ＱＭＡＸカードは、１回の使用ののち処分可能であるように構成されている。
【０２６９】
いくつかの態様において、ＱＭＡＸカードは、環境に安全であるように構成され、したがって、その処分は特別な処理を要しない。１つの局面において、いくつかの態様において本明細書に提供されるベーシックなＱＭＡＸカード（プレートおよび／またはヒンジ）のための材料のいずれも、ヒトまたは環境に対して毒性または危険ではないことが知られている。もう１つの局面において、いくつかの態様におけるプレートのために設計された丸みのある角は、ユーザまたはそれらにさらされるおそれのある他の人々、たとえばゴミ収集人に対する意図されない刺し傷または切り傷を回避するのに特に有用である。そのうえ、特定の態様におけるあふれ予防機構は、プレート間に付着される生物学的および／または化学的感受性試料物質との意図されない接触またはそれへの曝露を防ぐのに有用である。
【０２７０】
本発明の例
デバイス
本発明の特定の態様において、組織試料を分析するためのデバイスは、第１のプレート、第２のプレート、およびスペーサを含む。特定の態様において、両プレートは、互いに対し、異なる構成へと動くことができる。特定の態様において、一方または両方のプレートは可撓性である。特定の態様において、各プレートは、それぞれの内面に、染色液および／または標的分析対象物を含有することが疑われる組織試料と接触するための試料接触区域を有する。特定の態様において、プレートの一方または両方は、それぞれのプレートと固定されているスペーサを含む。特定の態様において、スペーサは、実質的に均一な所定の高さおよび所定のスペーサ間距離を有する。特定の態様において、スペーサの少なくとも１つは試料接触区域内にある。特定の態様において、構成の１つは開放構成であり、開放構成では、２枚のプレートが部分的または完全に離され、プレートの間隔がスペーサによって調節されず、染色液および試料がプレートの一方または両方に付着される。特定の態様において、構成のもう１つは、開放構成における染色液および試料の付着ののち形成される閉鎖構成であり、閉鎖構成において、試料の少なくとも一部は２枚のプレートの間にあり、染色液の少なくとも一部の層は試料の少なくとも一部と第２のプレートとの間にあり、染色液層の少なくとも一部の厚さは、プレート、試料およびスペーサによって調節され、試料表面と第２のプレートの表面との間の平均距離は、わずかな変動はあるが２５０μｍ以下である。
【０２７１】
本発明の特定の態様において、組織試料を分析するためのデバイスは、第１のプレート、第２のプレート、およびスペーサを含む。特定の態様において、両プレートは、互いに対し、異なる構成へと動くことができる。特定の態様において、一方または両方のプレートは可撓性である。特定の態様において、各プレートは、それぞれの内面に、トランスファー溶液および／または標的分析対象物を含有することが疑われる組織試料と接触するための試料接触区域を有する。特定の態様において、プレートの一方または両方は、トランスファー溶液と接触するとトランスファー溶液中に溶け出して組織試料を染色するように構成されている、それぞれの試料接触区域にコートされた染色剤を含む。特定の態様において、プレートの一方または両方は、それぞれのプレートと固定されているスペーサを含む。特定の態様において、スペーサは、実質的に均一な所定の高さおよび所定のスペーサ間距離を有する。特定の態様において、スペーサの少なくとも１つは試料接触区域内にある。特定の態様において、構成の１つは開放構成であり、開放構成では、２枚のプレートが部分的または完全に離され、プレートの間隔がスペーサによって調節されず、染色液および試料がプレートの一方または両方に付着される。特定の態様において、構成のもう１つは、開放構成における染色液および試料の付着ののち形成される閉鎖構成であり、閉鎖構成において、試料の少なくとも一部は２枚のプレートの間にあり、トランスファー溶液の少なくとも一部の層は試料の少なくとも一部と第２のプレートとの間にあり、トランスファー溶液層の少なくとも一部の厚さは、プレート、試料およびスペーサによって調節され、試料表面と第２のプレートの表面との間の平均距離は、わずかな変動はあるが２５０μｍ以下である。
【０２７２】
方法
本発明の特定の態様において、組織試料を分析するための方法は、標的分析対象物を含有することが疑われる組織試料および染色液を得る工程；第１のプレート、第２のプレート、およびスペーサを得る工程；プレートが開放構成にあるとき、染色液および組織試料をプレートの一方または両方に付着させる工程；２枚のプレートを合わせ、プレートを閉鎖構成へと押圧する工程；およびプレートが閉鎖構成にあるとき標的分析対象物を分析する工程、を含む。特定の態様において、両プレートは、互いに対し、異なる構成へと動くことができる。特定の態様において、一方または両方のプレートは可撓性である。特定の態様において、各プレートは、それぞれの内面に、染色液および／または組織試料と接触するための試料接触区域を有する。特定の態様において、プレートの一方または両方は、それぞれのプレートと固定されているスペーサを含む。特定の態様において、スペーサは、実質的に均一な所定の高さおよび所定のスペーサ間距離を有する。特定の態様において、スペーサの少なくとも１つは試料接触区域内にある。特定の態様において、開放構成は、２枚のプレートが部分的または完全に離され、プレートの間隔がスペーサによって調節されず、試料および染色液がプレートの一方または両方に付着される構成である。特定の態様において、押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部を両プレートの内面の間で横方向に広げる。特定の態様において、構成のもう１つは、開放構成における染色液および試料の付着ののち形成される閉鎖構成であり、閉鎖構成において、試料の少なくとも一部は２枚のプレートの間にあり、染色液の少なくとも一部の層は試料の少なくとも一部と第２のプレートとの間にあり、染色液層の少なくとも一部の厚さは、プレート、試料およびスペーサによって調節され、試料表面と第２のプレートの表面との間の平均距離が、わずかな変動はあるが２５０μｍ以下である。
【０２７３】
本開示の特定の態様においては、組織試料を分析するための方法であって、標的分析対象物を含有することが疑われる組織試料およびトランスファー溶液を得る工程；第１のプレート、第２のプレート、およびスペーサを得る工程；プレートが開放構成にあるとき、染色液および組織試料をプレートの一方または両方に付着させる工程；２枚のプレートを合わせ、プレートを閉鎖構成へと押圧する工程；およびプレートが閉鎖構成にあるとき標的分析対象物を分析する工程、を含む、方法。特定の態様において、両プレートは、互いに対し、異なる構成へと動くことができる。特定の態様において、一方または両方のプレートは可撓性である。特定の態様において、各プレートは、それぞれの内面に、染色液および／または標的分析対象物を含有することが疑われる組織試料と接触するための試料接触区域を有する。特定の態様において、プレートの一方または両方は、トランスファー溶液と接触するとトランスファー溶液中に溶け出して組織試料を染色するように構成されている、それぞれの試料接触区域にコートされた染色剤を含む。特定の態様において、プレートの一方または両方は、それぞれのプレートと固定されているスペーサを含む。特定の態様において、スペーサは、実質的に均一な所定の高さおよび所定のスペーサ間距離を有する。特定の態様において、スペーサの少なくとも１つが試料接触区域内にある。特定の態様において、開放構成は、２枚のプレートが部分的または完全に離され、２枚のプレートの間隔がスペーサによって調節されず、試料および染色液がプレートの一方または両方に付着される構成である。特定の態様において、押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部を両プレートの内面の間で横方向に広げる。特定の態様において、構成のもう１つは、開放構成における染色液および試料の付着ののち形成される閉鎖構成であり、閉鎖構成において、試料の少なくとも一部は２枚のプレートの間にあり、染色液の少なくとも一部の層は試料の少なくとも一部と第２のプレートとの間にあり、染色液層の少なくとも一部の厚さは、プレート、試料およびスペーサによって調節され、試料表面と第２のプレートの表面との間の平均距離は、わずかな変動はあるが２５０μｍ以下である。
【０２７４】
本発明の特定の態様において、組織試料を分析するための方法は、標的分析対象物を含有することが疑われる組織試料およびトランスファー溶液を得る工程；第１のプレート、第２のプレート、およびスペーサを得る工程；プレートが開放構成にあるとき、染色液および組織試料をプレートの一方または両方に付着させる工程；２枚のプレートを合わせ、プレートを閉鎖構成へと押圧する工程；およびプレートが閉鎖構成にあるとき、洗浄することなく、標的分析対象物を分析する工程、を含む。特定の態様において、両プレートは、互いに対し、異なる構成へと動くことができる。特定の態様において、一方または両方のプレートは可撓性である。特定の態様において、各プレートは、それぞれの内面に、染色液および／または標的分析対象物を含有することが疑われる組織試料と接触するための試料接触区域を有する。特定の態様において、プレートの一方または両方は、トランスファー溶液と接触するとトランスファー溶液中に溶け出して組織試料を染色するように構成されている、それぞれの試料接触区域にコートされた染色剤を含む。特定の態様において、プレートの一方または両方は、それぞれのプレートと固定されているスペーサを含む。特定の態様において、スペーサは、実質的に均一な所定の高さおよび所定のスペーサ間距離を有する。特定の態様において、スペーサの少なくとも１つは試料接触区域内にある。特定の態様において、開放構成は、２枚のプレートが部分的または完全に離され、２枚のプレートの間隔がスペーサによって調節されず、試料および染色液がプレートの一方または両方に付着される構成である。特定の態様において、押圧する工程は、少なくとも一方のプレートの区域を、同時並行的または順次に、形状適合的に押圧して、プレートを一緒に閉鎖構成へと押圧することを含み、形状適合的に押圧することは、試料の少なくとも一部上でプレートに対して実質的に均一な圧力を生成し、押圧することは、試料の少なくとも一部を両プレートの内面の間で横方向に広げる。特定の態様において、構成のもう１つは、開放構成における染色液および試料の付着ののち形成される閉鎖構成であり、閉鎖構成において、試料の少なくとも一部は２枚のプレートの間にあり、染色液の少なくとも一部の層は試料の少なくとも一部と第２のプレートとの間にあり、染色液層の少なくとも一部の厚さは、プレート、試料およびスペーサによって調節され、試料表面と第２のプレートの表面との間の平均距離は、わずかな変動はあるが２５０μｍ以下である。
【０２７５】
システム
本発明の特定の態様において、組織試料を分析するためのシステムは、任意の前記態様のデバイス、および均一な厚さの層中の分析対象物のシグナルを検出する検出器を含む。
【０２７６】
スマートフォンシステム
本発明の特定の態様において、高速ホモジニアスアッセイのためのスマートフォンシステムは、任意の前記態様のデバイスと、モバイル通信デバイスとを含む。特定の態様において、モバイル通信デバイスは、試料を検出および／または画像化するための１つまたは複数のカメラと、検出されたシグナルおよび／または試料の画像を受信および／または処理し、遠隔通信するための電子部品、シグナルプロセッサ、ハードウェアおよびソフトウェアと、閉鎖構成にあるデバイスを収容し、モバイル通信デバイスと係合可能であるように構成されているアダプタとを含む。特定の態様において、アダプタは、モバイル通信デバイスと係合すると、閉鎖構成において試料中の分析対象物の検出および／または画像化を容易にするように構成されている。
【０２７７】
特定の態様において、プレートの一方または両方は、開放構成において試料をその上で乾燥させることができるように構成されることができ、試料は、羊水、眼房水、硝子体液、血液（たとえば全血、分画された血液、血漿または血清）、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液（鼻漏および痰を含む）、心膜液、腹膜液、胸膜液、膿、粘膜分泌液、唾液、呼気凝縮液、皮脂、精液、痰、汗、滑液、涙液、嘔吐物、尿およびそれらの任意の組み合わせからなる群より選択される体液を含む。
【０２７８】
特定の態様において、染色液は０．１〜３．５ｍＰａ  Ｓの範囲の粘度を有することができる。
【０２７９】
特定の態様において、一方または両方のプレートの試料接触区域は、開放構成において試料をその上で乾燥させることができるように構成されることができ、試料は、一方または両方のプレート上で乾燥させる血液スメアを含む。
【０２８０】
特定の態様において、一方または両方のプレートの試料接触区域は試料に対して接着性であり得、試料は、１μｍ〜２００μｍの範囲の厚さを有する組織切片である。
【０２８１】
特定の態様において、試料はパラフィン包埋されていることができる。
【０２８２】
特定の態様において、試料は固定されていることができる。
【０２８３】
特定の態様において、染色液は、試料を固定することができる固定剤を含むことができる。
【０２８４】
特定の態様において、染色液はブロッキング剤を含むことができ、試料中の非特異的内在性種が、標的分析対象物を特異的に標識するために使用される検出剤と反応できないように、ブロッキング剤は構成されている。
【０２８５】
特定の態様において、染色液は、試料中のパラフィンを除去することができる脱パラフィン剤を含むことができる。
【０２８６】
特定の態様において、染色液は、標的分析対象物を含有する組織試料中の細胞を浸透化することができる浸透化剤を含むことができる。
【０２８７】
特定の態様において、染色液は、抗原の賦活化を促進することができる抗原賦活化剤を含むことができる。
【０２８８】
特定の態様において、染色液は、試料中の標的分析対象物を特異的に標識する検出剤を含むことができる。
【０２８９】
特定の態様において、一方または両方のプレートの試料接触区域は、ブロッキング剤を含む貯蔵部位を含むことができ、試料中の非特異的内在性種が、標的分析対象物を特異的に標識するために使用される検出剤と反応できないように、ブロッキング剤は構成されている。
【０２９０】
特定の態様において、一方または両方のプレートの試料接触区域は、試料中のパラフィンを除去することができる脱パラフィン剤を含む貯蔵部位を含む。
【０２９１】
特定の態様において、一方または両方のプレートの試料接触区域は、標的分析対象物を含有する組織試料中の細胞を浸透化することができる浸透化剤を含む貯蔵部位を含むことができる。
【０２９２】
特定の態様において、一方または両方のプレートの試料接触区域は、抗原の賦活化を促進することができる抗原賦活化剤を含む貯蔵部位を含むことができる。
【０２９３】
一方または両方のプレートの試料接触区域は、試料中の標的分析対象物を特異的に標識する検出剤を含む貯蔵部位を含む。
【０２９４】
特定の態様において、検出剤は、酸性フクシン、アルシアンブルー８ＧＸ、アリザリンレッドＳ、アニリンブルーＷＳ、オーラミンＯ、アゾカルミンＢ、アゾカルミンＧ、アズールＡ、アズールＢ、アズールＣ、塩基性フクシン、ビスマルクブラウンＹ、ブリリアントクレシルブルー、ブリリアントグリーン、カルミン、クロラゾールブラックＥ、コンゴレッド、Ｃ．Ｉ．クレシルバイオレット、クリスタルバイオレット、ダローレッド、エオシンＢ、エオシンＹ、エリスロシン、エチルエオシン、エチルグリーン、ファストグリーンＦＣＦ、フルオレセインイソチオシアネート、ギムザ染料、ヘマトキシリン、ヘマトキシリン＆エオシン、インジゴカルミン、ヤヌスグリーンＢ、ジェンナー染料１８９９、ライトグリーンＳＦ、マラカイトグリーン、マルチウスイエロー、メチルオレンジ、メチルバイオレット２Ｂ、メチレンブルー、メチレンブルー、メチレンバイオレット、（ベルントゼン）、ニュートラルレッド、ニグロシン、ナイルブルーＡ、ヌクレアファストレッド、オイルレッド、オレンジＧ、オレンジＩＩ、オルセイン、パラロサニリン、フロキシンＢ、プロタルゴールＳ、ピロニンＢ、ピロニン、レサズリン、ローズベンガル、サフラニンＯ、スーダンブラックＢ、スーダンＩＩＩ、スーダンＩＶ、テトラクロム染料（ＭａｃＮｅａｌ）、チオニン、トルイジンブルー、ワイゲルト、ライト染料およびそれらの任意の組み合わせからなる群より選択される染料のための色素を含む。
【０２９５】
特定の態様において、プレートの一方または両方はさらに、それぞれの試料接触区域に、ヨウ化プロピジウム、７−ＡＡＤ、トリパンブルー、カルセインバイオレットＡＭ、カルセインＡＭ、固定可能な生死判別色素、ＳＹＴＯ９および他の核酸色素、レサズリンおよびホルマザン（ＭＴＴ／ＸＴＴ）および他のミトコンドリア色素ならびにそれらの組み合わせからなる群より選択される細胞生死判別色素を含むことができる。
【０２９６】
特定の態様において、検出剤は、試料中のタンパク質分析対象物に特異的に結合するように構成された抗体を含む。
【０２９７】
特定の態様において、検出剤は、試料中のＤＮＡおよび／またはＲＮＡに特異的に結合するように構成されたオリゴヌクレオチドプローブを含むことができる。
【０２９８】
特定の態様において、検出剤はレポータ分子で標識されており、レポータ分子は、読み取られて分析される検出可能なシグナルを提供するように構成されている。
【０２９９】
特定の態様において、シグナルは、フォトルミネセンス、エレクトロルミネセンスおよびエレクトロケミルミネセンスから選択されるルミネセンス、光の吸収、反射、透過、回折、散乱または拡散、表面ラマン散乱、抵抗、キャパシタンスおよびインダクタンスから選択される電気インピーダンス、磁気緩和能ならびにそれらの組み合わせからなる群より選択されることができる。
【０３００】
特定の態様において、一方または両方のプレートの試料接触区域は、捕捉剤を含む結合部位を含むことができ、捕捉剤は、試料中の細胞の表面上の標的分析対象物に結合し、細胞を固定化するように構成されている。
【０３０１】
特定の態様において、付着させる工程（ｃ）は、試料をプレートの一方または両方に付着させ、乾燥させたのち、乾燥した試料の上に染色液の残りを付着させることを含むことができ、試料は、一方または両方のプレート上で乾燥させる血液スメアを含む。
【０３０２】
特定の態様において、付着させる工程（ｃ）は、試料をプレートの一方または両方に付着させたのち、試料の上に染色液を付着させることを含むことができ、一方または両方のプレートの試料接触区域は試料に対して接着性であり、試料は、１μｍ〜２００μｍの範囲の厚さを有する組織切片である。
【０３０３】
特定の態様において、工程（ｅ）の前に、方法は、閉鎖構成で、検出剤が均一な厚さの層および試料にわたって拡散するために要する時間よりも長い期間、試料をインキュベートする工程を含むことができる。
【０３０４】
特定の態様において、工程（ｅ）の前に、方法はさらに、閉鎖構成で、３０〜７５℃の範囲の所定の温度で試料をインキュベートする工程を含むことができる。
【０３０５】
特定の態様において、染色液はトランスファー溶液を含むことができる。
【０３０６】
特定の態様において、モバイル通信デバイスは、検査結果を医療専門家、医療施設または保険会社へ通信するように構成されることができる。
【０３０７】
特定の態様において、モバイル通信デバイスはさらに、対象に関する情報を医療専門家、医療施設または保険会社と通信するように構成されることができる。
【０３０８】
特定の態様において、モバイル通信デバイスは、医療専門家から処方箋、診断または推薦状を受け取るように構成されることができる。
【０３０９】
特定の態様において、モバイル通信デバイスはＷｉ−Ｆｉまたはセルラーネットワークを介して遠隔地と通信することができる。
【０３１０】
特定の態様において、モバイル通信デバイスは携帯電話であることができる。
【０３１１】
特定の態様において、２枚のプレートおよびスペーサを含むデバイスにおいて、押圧することはヒトの手によることができる。
【０３１２】
特定の態様において、２枚のプレートおよびスペーサを含むデバイスにおいて、一方のプレートまたは両方のプレートの内面の少なくとも一部分が親水性であることができる。
【０３１３】
特定の態様において、２枚のプレートおよびスペーサを含むデバイスにおいて、スペーサ間距離は周期的であることができる。
【０３１４】
特定の態様において、２枚のプレートおよびスペーサを含むデバイスにおいて、試料は、いかなる移送デバイスも使用することなく直接、対象からプレートに付着されることができる。
【０３１５】
特定の態様において、２枚のプレートおよびスペーサを含むデバイスにおいて、閉鎖構成における試料変形ののち、圧縮力のいくらかまたはすべてが解除されたとき、試料は同じ最終試料厚さを維持する。
【０３１６】
特定の態様において、２枚のプレートおよびスペーサを含むデバイスにおいて、スペーサはピラー形状およびほぼ均一な断面を有する。
【０３１７】
特定の態様において、２枚のプレートおよびスペーサを含むデバイスにおいて、スペーサ間距離（ＩＳＤ）は、約１２０μｍ（マイクロメートル）以下であることができる。
【０３１８】
特定の態様において、２枚のプレートおよびスペーサを含むデバイスにおいて、スペーサ間距離（ＩＳＤ）は、約１００μｍ（マイクロメートル）以下である。
【０３１９】
特定の態様において、２枚のプレートおよびスペーサを含むデバイスにおいて、可撓性プレートの厚さ（ｈ）およびヤング率（Ｅ）で割ったスペーサ間距離（ＩＳＤ）の４乗（ＩＳＤ４／（ｈＥ））は、５×１０６μｍ３／ＧＰａ以下である。
【０３２０】
特定の態様において、２枚のプレートおよびスペーサを含むデバイスにおいて、可撓性プレートの厚さ（ｈ）およびヤング率（Ｅ）で割ったスペーサ間距離（ＩＳＤ）の４乗（ＩＳＤ４／（ｈＥ））は、５×１０５μｍ３／ＧＰａ以下である。
【０３２１】
特定の態様において、２枚のプレートおよびスペーサを含むデバイスにおいて、スペーサは、ピラー形状と、実質的に平坦な上面と、実質的に均一な所定の高さと、分析対象物のサイズの少なくとも約２倍の大きさである所定の不変的なスペーサ間距離とを有し、スペーサのヤング率にスペーサの充填率を乗じたものは２ＭＰａ以上であり、充填率は、全プレート面積に対するスペーサ接触面積の比率であり、スペーサごとに、スペーサの高さに対するスペーサの横方向寸法の比率は少なくとも１であることができる。
【０３２２】
特定の態様において、２枚のプレートおよびスペーサを含むデバイスにおいて、スペーサは、ピラー形状と、実質的に平坦な上面と、実質的に均一な所定の高さと、分析対象物のサイズの少なくとも約２倍の大きさである所定の不変的なスペーサ間距離とを含み、スペーサのヤング率にスペーサの充填率を乗じたものは２ＭＰａ以上であり、充填率は、全プレート面積に対するスペーサ接触面積の比率であり、スペーサごとに、スペーサの高さに対するスペーサの横方向寸法の比率は少なくとも１であり、可撓性プレートの厚さ（ｈ）およびヤング率（Ｅ）で割ったスペーサ間距離（ＩＳＤ）の４乗（ＩＳＤ４／（ｈＥ））は、５×１０６μｍ３／ＧＰａ以下であることができる。
【０３２３】
特定の態様において、スペーサの平均幅に対するスペーサのスペーサ間距離の比率は２以上であることができ、スペーサの充填率にスペーサのヤング率を乗じたものは２ＭＰａ以上であることができる。
【０３２４】
特定の態様において、分析対象物はタンパク質、ペプチド、核酸、合成化合物および無機化合物の５検出における分析対象物であることができる。
【０３２５】
特定の態様において、試料は、羊水、眼房水、硝子体液、血液（たとえば全血、分画された血液、血漿または血清）、母乳、脳脊髄液（ＣＳＦ）、耳垢（ｃｅｒｕｍｅｎ）（耳垢（ｅａｒｗａｘ））、乳糜、糜粥、内リンパ、外リンパ、糞便、息、胃酸、胃液、リンパ、粘液（鼻漏および痰を含む）、心膜液、腹膜液、胸膜液、膿、粘膜分泌液、唾液、呼気凝縮液、皮脂、精液、痰、汗、滑液、涙液、嘔吐物および尿から選択される生物学的試料であることができる。
【０３２６】
特定の態様において、スペーサはピラーの形状を有することができ、ピラーの高さに対する幅の比率は１以上であることができる。
【０３２７】
特定の態様において、プレートの一方または両方に付着される試料は未知の量を有することができる。
【０３２８】
特定の態様において、スペーサはピラーの形状を有することができ、ピラーは実質的に均一な断面を有することができる。
【０３２９】
特定の態様において、試料は、特定の疾患の病期と相関する化合物または生体分子の検出、精製および定量化のための試料であることができる。
【０３３０】
特定の態様において、試料は、感染症および寄生虫症、外傷、心血管疾患、癌、精神障害、神経精神障害、肺疾患、腎疾患および他の器質性疾患に関連することができる。
【０３３１】
特定の態様において、試料は微生物の検出、精製および定量化に関連することができる。
【０３３２】
特定の態様において、試料は環境、たとえば水、土壌または生物学的試料からのウイルス、真菌および細菌に関連することができる。
【０３３３】
特定の態様において、試料は、食品安全性または国家安全保障に対して危険を呈する化合物または生物学的試料、たとえば有毒廃棄物、炭疽菌の検出、定量化に関連する。
【０３３４】
特定の態様において、試料は、医学的または生理学的モニターにおけるバイタルパラメータの定量化に関連する。
【０３３５】
特定の態様において、試料はグルコース、血液、酸素レベル、全血球数に関連する。
【０３３６】
特定の態様において、試料は、生体試料からの特定のＤＮＡまたはＲＮＡの検出および定量化に関連する。
【０３３７】
特定の態様において、試料は、ゲノム解析のための染色体およびミトコンドリア中のＤＮＡ中の遺伝子配列の配列決定および比較に関連する。
【０３３８】
特定の態様において、試料は、たとえば医薬品の合成または精製中の反応生成物の検出に関連する。
【０３３９】
特定の態様において、試料は細胞、組織、体液および糞便である。
【０３４０】
特定の態様において、試料は、タンパク質、ペプチド、核酸、合成化合物、無機化合物の検出における試料である。
【０３４１】
特定の態様において、試料は、ヒト、獣医学、農業、食品、環境および薬物検査の分野における試料である。
【０３４２】
特定の態様において、試料は、血液、血清、血漿、鼻腔ぬぐい液、鼻咽頭洗浄液、唾液、尿、胃液、脊髄液、涙液、糞便、粘液、汗、耳垢（ｅａｒｗａｘ）、油、腺分泌物、脳脊髄液、組織、精液、膣液、腫瘍組織に由来する間質液、眼液、脊髄液、咽頭ぬぐい液、息、毛髪、爪、皮膚、生検組織、胎盤液、羊水、臍帯血、リンパ液、腔液、痰、膿、微生物叢、胎便、母乳、呼気凝縮液、鼻咽頭洗浄液、鼻腔ぬぐい液、咽頭ぬぐい液、糞便試料、毛髪、爪、耳垢（ｅａｒｗａｘ）、息、結合組織、筋組織、神経組織、上皮組織、軟骨、癌性試料または骨から選択される生物学的試料である。
【０３４３】
高い均一性を有するデバイスおよびアッセイ
試料粘度
本発明において、操作および／または分析される試料は、様々な範囲の粘度を有することができる。例えば、典型的な粘度範囲は、水の場合、１０〜１００℃で１．３１〜０．２８（ｍＰａ  ｓ）；ＰＢＳバッファーの場合、１９〜３７℃で１．０５〜０．７０（ｍＰａ  ｓ）；血漿の場合、１７〜４５℃で２．４〜１．４５（ｍＰａ  ｓ）；全血の場合、３５〜４２℃で２．８７〜２．３５（ｍＰａ  ｓ）；およびメタノールの場合、０〜１００℃で０．７９７〜０．２２７（ｍＰａ  ｓ）である。いくつかの実施形態では、試料は、０．１〜４（ｍＰａ  ｓ）の粘度を有する。いくつかの実施形態では、試料は、４〜５０（ｍＰａ  ｓ）の粘度を有する。好ましい実施形態では、試料は、０．５〜３．５（ｍＰａ  ｓ）の粘度を有する。
【０３４４】
柱状スペーサの平坦な上部
本発明のある特定の実施形態では、スペーサは、１つのプレート上に固定された平坦な上部および脚部を有する柱であり、平坦な上部は、小さな表面変動を伴う滑らかさを有し、変動は、５、１０ｎｍ、２０ｎｍ、３０ｎｍ、５０ｎｍ、１００ｎｍ、２００ｎｍ、３００ｎｍ、４００ｎｍ、５００ｎｍ、６００ｎｍ、７００ｎｍ、８００ｎｍ、１０００ｎｍ未満、または任意の２つの値の間の範囲内である。好ましい平坦な柱上部の滑らかさは、５０ｎｍ以下の表面変動である。
【０３４５】
さらに、表面変動は、スペーサの高さに対して相対的であり、柱の平坦な上面変動とスペーサの高さとの比率は、０．５％、１％、３％、５％、７％、１０％、１５％、２０％、３０％、４０％未満、またはこれら値のうちのいずれか２つの間の範囲内である。好ましい平坦な柱上部の平滑度は、２％、５％、または１０％未満である、柱の平らな上面変動とスペーサの高さとの比率を有する。
【０３４６】
柱状スペーサの側壁角度
本発明のある特定の実施形態では、スペーサは側壁角度を有する柱である。いくつかの実施形態では、側壁角度は、５度（表面の法線から測定）、１０度、２０度、３０度、４０度、５０度、７０度未満、または任意の２つの値の間の範囲内である。好ましい実施形態では、側壁角度は、５度、１０度、または２０度未満である。
【０３４７】
不正確な押圧力による均一な薄い流体層の形成
本発明のある特定の実施形態では、不正確な力による押圧を使用することにより、均一な薄い流体試料層が形成される。詳細を追加せずに不正確な押圧力の定義を追加しない「不正確な押圧力」という用語。本明細書で使用される場合、力の文脈における「不正確な」という用語（例えば、「不正確な押圧力」）は、
（ａ）力が加えられた時点で正確に知られていないか、または正確に予測できない大きさを有し、（ｂ）０．０１ｋｇ／ｃｍ２（平方センチメートル）〜１００ｋｇ／ｃｍ２の範囲内の圧力を有し、（ｃ）力の１つの適用から次の適用で大きさが変動し、（ｄ）（ａ）および（ｃ）の力の不正確さ（すなわち、変動）は、実際に加えられる力の合計の少なくとも２０％である、力を指す。
【０３４８】
不正確な力は、例えば、親指と人差し指の間で物体をつまむことによって、または親指と人差し指の間で物体をつまんだり擦ったりすることによって、ヒトの手によって加えることができる。
【０３４９】
いくつかの実施形態では、手押圧による不正確な力は、０．０１ｋｇ／ｃｍ２、０．１ｋｇ／ｃｍ２、０．５ｋｇ／ｃｍ２、１ｋｇ／ｃｍ２、２ｋｇ／ｃｍ２、ｋｇ／ｃｍ２、５ｋｇ／ｃｍ２、１０ｋｇ／ｃｍ２、２０ｋｇ／ｃｍ２、３０ｋｇ／ｃｍ２、４０ｋｇ／ｃｍ２、５０ｋｇ／ｃｍ２、６０ｋｇ／ｃｍ２、１００ｋｇ／ｃｍ２、１５０ｋｇ／ｃｍ２、２００ｋｇ／ｃｍ２、またはいずれの２つの値間の範囲；および０．１ｋｇ／ｃｍ２〜０．５ｋｇ／ｃｍ２、０．５ｋｇ／ｃｍ２〜１ｋｇ／ｃｍ２、１ｋｇ／ｃｍ２〜５ｋｇ／ｃｍ２、５ｋｇ／ｃｍ２〜１０ｋｇ／ｃｍ２（圧力）の好ましい範囲の圧力を有する。
【０３５０】
スペーサ充填率
「スペーサ充填率」または「充填率」という用語は、スペーサの接触面積と全プレート面積との比率を指し、スペーサの接触面積は、閉鎖構成で、スペーサの上面がプレートの内面に接触する接触範囲を指し、全プレート面積は、スペーサの平坦な上部が接触するプレートの内面の全面積を指す。２つのプレートが存在し、各スペーサが、各々が１つのプレートに接触する２つの接触表面を有するため、充填率は、最小の充填率である。
【０３５１】
例えば、スペーサが正方形（１０μｍ×１０μｍ）の平坦な上部、ほぼ均一な断面、および２μｍの高さを有する柱であり、スペーサが１００μｍの周期で周期的である場合、スペーサの充填率は、１％である。上記の例で、柱状スペーサの脚部が１５μｍ×１５μｍの正方形である場合、充填率は、定義によって１％のままである。
【０３５２】
ＩＤＳ４／ｈＥ
押圧することによって均一な所定の厚さの薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、流体試料と接触するための試料接触区域を有する内表面を含み、
ｉｖ．プレートの各々が、そのそれぞれの外表面上に、プレートを一緒に押し付ける押圧力を加えるための力区域を含み、
ｖ．プレートの一方または両方が、それぞれのプレートの内表面上に恒久的に固定されているスペーサを含み、
ｖｉ．スペーサが、２００ミクロン以下の所定の実質的に均一な高さ、および所定の固定スペーサ間距離を有し、
ｖｉｉ．可撓性プレートの厚さ（ｈ）およびヤング率（Ｅ）で割ったスペーサ間距離（ＩＳＤ）の４乗（ＩＳＤ４／（ｈＥ））が、５×１０６μｍ３／ＧＰａ以下であり、
ｖｉｉｉ．スペーサの少なくとも１つが、試料接触区域内にあり、
構成のうちの１つが開放構成であり、開放構成において、２つのプレートが部分的または完全に離され、プレート間の間隔は、スペーサによって調節されず、試料は、プレートの一方または両方に付着し、
構成の別の構成は、開放構成において試料が付着した後に構成される閉鎖構成であり、プレートは、力区域に押圧力を加えることによって閉鎖構成へと押し付けられ、閉鎖構成において、試料の少なくとも一部は、２つのプレートによって非常に均一な厚さの層に圧縮され、プレートに対して実質的に停滞し、層の均一な厚さは、２つのプレートの試料接触区域によって限定され、プレートおよびスペーサによって調節される、デバイス。
【０３５３】
押圧することによって均一な所定の厚さの薄い流体試料層を形成する方法であって、
（ａ）任意の前記実施形態に記載のデバイスを取得するステップと、
（ｂ）プレートの一方または両方に流体試料を付着させるステップであって、プレートが開放構成において構成されている場合、開放構成は、２つのプレートが部分的または完全に離され、プレート間の間隔がスペーサによって調節されていない構成である、付着させるステップと、
（ｃ）（ｂ）の後、試料の少なくとも一部が２つのプレートによって実質的に均一な厚さの層に圧縮される閉鎖構成で２つのプレートを押し付けるステップであって、層の均一な厚さが、プレートの試料接触区域によって限定され、プレートおよびスペーサによって調節される、押し付けるステップと、を含む、方法。
【０３５４】
流体試料を分析するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するための試料接触区域を有し、
ｉｖ．プレートの一方または両方が、それぞれのプレートの内表面上に固定されているスペーサを含み、
ｖ．スペーサが、２００ミクロン以下である所定の実質的に均一な高さを有し、スペーサ間距離が事前に決定されており、
ｖｉ．スペーサのヤング率にスペーサの充填率を乗じた値が、少なくとも２ＭＰａであり、
ｖｉｉ．スペーサの少なくとも１つが、試料接触区域内にあり、
構成のうちの１つが開放構成であり、開放構成において、２つのプレートが部分的または完全に離され、プレート間の間隔は、スペーサによって調節されず、試料は、プレートの一方または両方に付着し、
構成の別の構成は、開放構成において試料が付着した後に構成される閉鎖構成であり、閉鎖構成において、試料の少なくとも一部は、２つのプレートによって非常に均一な厚さの層に圧縮され、層の均一な厚さは、プレートの試料接触表面によって限定され、プレートおよびスペーサによって調節される、デバイス。
【０３５５】
押圧することによって均一な所定の厚さの薄い流体試料層を形成する方法であって、
（ａ）任意の前記実施形態に記載のデバイスを取得するステップと、
（ｂ）プレートの一方または両方に流体試料を付着させるステップであって、プレートが開放構成において構成されている場合、開放構成は、２つのプレートが部分的または完全に離され、プレート間の間隔がスペーサによって調節されていない構成である、付着させるステップと、
（ｃ）（ｂ）の後、試料の少なくとも一部が２つのプレートによって実質的に均一な厚さの層に圧縮される閉鎖構成で２つのプレートを押し付けるステップであって、層の均一な厚さが、プレートの試料接触区域によって限定され、プレートおよびスペーサによって調節される、押し付けるステップと、を含む、方法。
【０３５６】
流体試料を分析するためのデバイスであって、
第１のプレートと、第２のプレートと、を備え、
ｉ．プレートが、異なる構成へと互いに相対的に移動可能であり、
ｉｉ．一方または両方のプレートが可撓性であり、
ｉｉｉ．プレートの各々が、そのそれぞれの表面上に、分析物を含む試料と接触するための試料接触区域を有し、
ｉｖ．プレートの一方または両方が、試料接触区域内のプレートに恒久的に固定されるスペーサを含み、スペーサは、所定の実質的に均一な高さ、および分析物のサイズの少なくとも約２倍大きく、最大２００μｍである所定の固定スペーサ間距離を有し、スペーサの少なくとも１つが、試料接触区域内にあり、
構成のうちの１つが開放構成であり、開放構成において、２つのプレートが離され、プレート間の間隔がスペーサによって調節されず、試料が、プレートの一方または両方に付着し、
構成の別の構成は、開放構成において試料が付着した後に構成される閉鎖構成であり、閉鎖構成において、試料の少なくとも一部は、２つのプレートによって非常に均一な厚さの層に圧縮され、層の均一な厚さは、プレートの試料接触表面によって限定され、プレートおよびスペーサによって調節される、デバイス。
【０３５７】
押圧することによって均一な所定の厚さの薄い流体試料層を形成する方法であって、
（ａ）任意の前記実施形態に記載のデバイスを取得するステップと、
（ｂ）プレートの一方または両方に流体試料を付着させるステップであって、プレートが開放構成において構成されている場合、開放構成は、２つのプレートが部分的または完全に離され、プレート間の間隔がスペーサによって調節されていない構成である、付着させるステップと、
（ｃ）（ｂ）の後、試料の少なくとも一部が２つのプレートによって実質的に均一な厚さの層に圧縮される閉鎖構成で２つのプレートを押し付けるステップであって、層の均一な厚さが、プレートの試料接触区域によって制限され、プレートおよびスペーサによって調節される、押し付けるステップと、を含む、方法。
【０３５８】
押圧することによって均一な所定の厚さの薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触区域を含み、
ｉｖ．プレートの各々が、そのそれぞれの外表面上に、プレートを一緒に押し付ける力を加えるための区域を含み、
ｖ．プレートの一方または両方が、それぞれのプレートの内表面上に恒久的に固定されているスペーサを含み、
ｖｉ．スペーサが、２００ミクロン以下の所定の実質的に均一な高さ、所定の幅、および所定の固定スペーサ間距離を有し、
ｖｉｉ．スペーサ間距離とスペーサ幅との比率が、１．５以上であり、
ｖｉｉｉ．スペーサの少なくとも１つが、試料接触区域内にあり、
構成のうちの１つが開放構成であり、開放構成において、２つのプレートが部分的または完全に離され、プレート間の間隔は、スペーサによって調節されず、試料は、プレートの一方または両方に付着し、
構成の別の構成は、開放構成において試料が付着した後に構成される閉鎖構成であり、閉鎖構成において、試料の少なくとも一部は、２つのプレートによって非常に均一な厚さの層に圧縮され、プレートに対して実質的に停滞し、層の均一な厚さは、２つのプレートの試料接触区域によって限定され、プレートおよびスペーサによって調節される、デバイス。
【０３５９】
不正確な押圧力で押圧することによって均一な所定の厚さの薄い流体試料層を形成する方法であって、
（ａ）任意の前記実施形態に記載のデバイスを取得するステップと、
（ｂ）流体試料を取得するステップと、
（ｃ）プレートの一方または両方に試料を付着させるステップであって、プレートが開放構成において構成されている場合、開放構成は、２つのプレートが部分的または完全に離され、プレート間の間隔がスペーサによって調節されていない構成である、付着させるステップと、
（ｄ）（ｃ）の後、試料の少なくとも一部が２つのプレートによって実質的に均一な厚さの層に圧縮される閉鎖構成で２つのプレートを押し付けるステップであって、層の均一な厚さが、プレートの試料接触区域によって限定され、プレートおよびスペーサによって調節される、押し付けるステップと、を含む、方法。
【０３６０】
スペーサが、プレートの一方に固定された脚部および他方のプレートに接触するための平坦な上面を備えた柱形状を有する、先行する実施形態のいずれかに記載のデバイスまたは方法。
【０３６１】
スペーサが、プレートの一方に固定された脚部、他方のプレートに接触するための平坦な上面、実質的に均一な断面を備えた柱形状を有する、先行する実施形態のいずれかに記載のデバイスまたは方法。
【０３６２】
スペーサが、プレートの一方に固定された脚部および他方のプレートに接触するための平坦な上面を備えた柱形状を有し、柱の平坦な上面が、１０ｎｍ未満の変動を有する、先行する実施形態のいずれかに記載のデバイスまたは方法。
【０３６３】
スペーサが、プレートの一方に固定された脚部および他方のプレートに接触するための平坦な上面を備えた柱形状を有し、柱の平坦な上面が、５０ｎｍ未満の変動を有する、先行する実施形態のいずれかに記載のデバイスまたは方法。
【０３６４】
スペーサが、プレートの一方に固定された脚部および他方のプレートに接触するための平坦な上面を備えた柱形状を有し、柱の平坦な上面が、５０ｎｍ未満の変動を有する、先行する実施形態のいずれかに記載のデバイスまたは方法。
【０３６５】
スペーサが、プレートの一方に固定された脚部および他方のプレートに接触するための平坦な上面を備えた柱形状を有し、柱の平坦な上面が、１０ｎｍ、２０ｎｍ、３０ｎｍ、１００ｎｍ、２００ｎｍ未満、またはいずれの２つの値間の範囲内の変動を有する、先行する実施形態のいずれかに記載のデバイスまたは方法。
【０３６６】
スペーサのヤング率にスペーサの充填率を乗じた値が、少なくとも２ＭＰａである、先行する実施形態のいずれかに記載のデバイスまたは方法。
【０３６７】
試料が分析物を含み、所定の一定のスペーサ間距離が、分析物のサイズより少なくとも約２倍大きく、最大２００μｍである、先行する実施形態のいずれかに記載のデバイスまたは方法。
【０３６８】
試料が分析物を含み、所定の一定のスペーサ間距離が、分析物のサイズより少なくとも約２倍大きく、最大２００μｍであり、スペーサのヤング率にスペーサの充填率を乗じた値が、少なくとも２ＭＰａである、先行する実施形態のいずれかに記載のデバイスまたは方法。
【０３６９】
可撓性プレートの厚さ（ｈ）およびヤング率（Ｅ）で割ったスペーサ間距離（ＩＤＳ）の４乗（ＩＳＤ４／（ｈＥ））が、５×１０６μｍ３／ＧＰａ以下である、先行する実施形態のいずれかに記載のデバイスまたは方法。
【０３７０】
可撓性プレートの厚さ（ｈ）およびヤング率（Ｅ）で割ったスペーサ間距離（ＩＤＳ）の４乗（ＩＳＤ４／（ｈＥ））が、１×１０６μｍ３／ＧＰａ以下である、先行する実施形態のいずれかに記載のデバイスまたは方法。
【０３７１】
可撓性プレートの厚さ（ｈ）およびヤング率（Ｅ）で割ったスペーサ間距離（ＩＤＳ）の４乗（ＩＳＤ４／（ｈＥ））が、５×１０５μｍ３／ＧＰａ以下である、先行する実施形態のいずれかに記載のデバイスまたは方法。
【０３７２】
スペーサのヤング率にスペーサの充填率を乗じた値が、少なくとも２ＭＰａであり、可撓性プレートの厚さ（ｈ）およびヤング率（Ｅ）で割ったスペーサ間距離（ＩＤＳ）の４乗（ＩＳＤ４／（ｈＥ））が、１×１０５μｍ３／ＧＰａ以下である、先行する実施形態のいずれかに記載のデバイスまたは方法。
【０３７３】
スペーサのヤング率にスペーサの充填率を乗じた値が、少なくとも２ＭＰａであり、可撓性プレートの厚さ（ｈ）およびヤング率（Ｅ）で割ったスペーサ間距離（ＩＤＳ）の４乗（ＩＳＤ４／（ｈＥ））が、１×１０４μｍ３／ＧＰａ以下である、先行する実施形態のいずれかに記載のデバイスまたは方法。
【０３７４】
スペーサのヤング率にスペーサの充填率を乗じた値が、少なくとも２０ＭＰａである、先行する実施形態のいずれかに記載のデバイスまたは方法。
【０３７５】
スペーサの間隔間距離とスペーサの平均幅との比率が２以上である、先行する実施形態のいずれかに記載のデバイスまたは方法。
【０３７６】
スペーサの間隔間距離とスペーサの平均幅との比率が２以上であり、スペーサのヤング率にスペーサの充填率を乗じた値が、少なくとも２ＭＰａである、先行する実施形態のいずれかに記載のデバイスまたは方法。
【０３７７】
最大２００μｍの分析物のサイズより少なくとも約２倍大きいスペーサ間距離である、先行する実施形態のいずれかに記載のデバイスまたは方法。
【０３７８】
スペーサ間距離とスペーサ幅との比率が１．５以上である、先行する実施形態のいずれかに記載のデバイスまたは方法。
【０３７９】
スペーサの幅と高さとの比率が１以上である、先行する実施形態のいずれかに記載のデバイスまたは方法。
【０３８０】
スペーサの幅と高さとの比率が１．５以上である、先行する実施形態のいずれかに記載のデバイスまたは方法。
【０３８１】
スペーサの幅と高さとの比率が２以上である、先行する実施形態のいずれかに記載のデバイスまたは方法。
【０３８２】
スペーサの幅と高さとの比率が、２、３、５、１０、２０、３０、５０より大きいか、またはいずれの２つの値間の範囲内である、先行する実施形態のいずれかに記載のデバイスまたは方法。
【０３８３】
２つのプレートを閉鎖構成へと押圧する力は、不正確な押圧力である、先行する実施形態のいずれかに記載の方法。
【０３８４】
２つのプレートを閉鎖構成へと押圧する力は、ヒトの手によって提供される不正確な押圧力である、先行する実施形態のいずれかに記載の方法。
【０３８５】
試料の少なくとも一部を実質的に均一な厚さの層に圧縮するため２つのプレートを押し付けることが、
並行または順次のいずれかで、プレートのうちの少なくとも１つの区域を形状適合的に押圧し、プレートを一緒に閉鎖構成へと押圧すること
を含み、形状適合的に押圧することは、試料の少なくとも一部にわたってプレートに実質的に均一な圧力を発生させ、押圧することは、試料の少なくとも一部をプレートの試料接触表面間で横方向に広げ、閉鎖構成は、均一な厚さの領域の層におけるプレート間の間隔がスペーサによって調節される構成であり、試料の低減された厚さが、貯蔵部位上の試薬を試料と混合する時間を低減させる、先行する実施形態のいずれかに記載の方法。
【０３８６】
押圧力が、力が加えられた時点で、（ａ）未知で予測不可能、または（ｂ）知ることができない、のいずれかであり、加えられる平均押圧力の２０％以上の精度内で予測不可能である大きさを有する不正確な力である、先行する実施形態のいずれかに記載の方法。
【０３８７】
押圧力が、力が加えられた時点で、（ａ）未知で予測不可能、または（ｂ）知ることができない、のいずれかであり、加えられる平均押圧力の３０％以上の精度内で予測不可能である大きさを有する不正確な力である、先行する実施形態のいずれかに記載の方法。
【０３８８】
押圧力が、力が加えられた時点で、（ａ）未知で予測不可能、または（ｂ）知ることができない、のいずれかであり、加えられる平均押圧力の３０％以上の精度内で予測不可能である大きさを有する不正確な力であり、非常に均一な厚さの層が、２０％以下の厚さの均一で変動を有する、先行する実施形態のいずれかに記載の方法。
【０３８９】
押圧力が、力が加えられた時点で、３０％、４０％、５０％、７０％、１００％、２００％、３００％、５００％、１０００％、２０００％以上、または２つの値のうちのいずれかの間の範囲内の精度内で決定することができない大きさを有する不正確な力である、先行する実施形態のいずれかに記載の方法。
【０３９０】
可撓性プレートが、１０μｍ〜２００μｍの範囲内の厚さを有する、先行する実施形態のいずれかに記載のデバイスまたは方法。
【０３９１】
可撓性プレートが、２０μｍ〜１００μｍの範囲内の厚さを有する、先行する実施形態のいずれかに記載のデバイスまたは方法。
【０３９２】
可撓性プレートが、２５μｍ〜１８０μｍの範囲内の厚さを有する、先行する実施形態のいずれかに記載のデバイスまたは方法。
【０３９３】
可撓性プレートが、２００μｍ〜２６０μｍの範囲内の厚さを有する、先行する実施形態のいずれかに記載のデバイスまたは方法。
【０３９４】
可撓性プレートが、２５０μｍ、２２５μｍ、２００μｍ、１７５μｍ、１５０μｍ、１２５μｍ、１００μｍ、７５μｍ、５０μｍ、２５μｍ、１０μｍ、５μｍ、１μｍ以下、またはいずれの２つの値間の範囲内の厚さを有する、先行する実施形態のいずれかに記載のデバイスまたは方法。
【０３９５】
試料が、０．１〜４（ｍＰａ  ｓ）の範囲内の粘度を有する、先行する方法のいずれかに記載のデバイスまたは方法。
【０３９６】
可撓性プレートが、２００μｍ〜２６０μｍの範囲内の厚さを有する、先行する実施形態のいずれかに記載のデバイスまたは方法。
【０３９７】
可撓性プレートが、２０μｍ〜２００μｍの範囲内の厚さおよび０．１〜５ＧＰａの範囲内のヤング率を有する、先行する実施形態のいずれかに記載のデバイスまたは方法。
【０３９８】
ステップ（ｂ）の試料付着が、いかなる移送デバイスも使用しない、対象からプレートへの直接的な付着である、先行する請求項のいずれかに記載の方法。
【０３９９】
ステップ（ｂ）の付着中、プレートに付着した試料の量は未知である、先行する請求項のいずれかに記載の方法。
【０４００】
方法が、試料を分析する分析ステップ（ｅ）をさらに含む、先行する請求項のいずれかに記載の方法。
【０４０１】
分析ステップ（ｅ）が、適切な試料体積の横方向の面積を測定し、横方向の面積および所定のスペーサの高さから体積を計算することによって、適切な試料体積の体積を計算することを含む、先行する請求項のいずれかに記載の方法。
【０４０２】
分析ステップ（ｅ）が、
ｉ．イメージング、フォトルミネセンス、エレクトロルミネセンス、および電気化学ルミネセンスから選択されるルミネセンス、
ｉｉｉ．表面ラマン散乱、
ｉｖ．抵抗、静電容量、およびインダクタンスから選択される電気インピーダンス、または
ｖ．ｉ〜ｉｖの任意の組み合わせ
を測定することを含む、先行する請求項のいずれかに記載の方法。
【０４０３】
分析ステップ（ｅ）が、分析物の読み取り、画像分析、もしくは計数、またはそれらの組み合わせを含む、先行する請求項のいずれかに記載の方法。
【０４０４】
試料が、１つまたは複数の分析物を含み、一方または両方のプレート試料接触表面が、それぞれの分析物をそれぞれ結合および固定化する１つまたは複数の結合部位を含む、先行する請求項のいずれかに記載の方法。
【０４０５】
一方または両方のプレート試料接触表面が、試薬をそれぞれ貯蔵する１つまたは複数の貯蔵部位を含み、試薬が、ステップ（ｃ）の間または後に試料内で溶解および拡散する、先行する請求項のいずれかに記載の方法。
【０４０６】
一方または両方のプレート試料接触表面が、分析物または標識が増幅部位から５００ｎｍ以内にある場合、分析物または分析物の標識からの信号をそれぞれ増幅することができる１つまたは複数の増幅部位を含む、先行する請求項のいずれかに記載の方法。
【０４０７】
ｉ．一方もしくは両方のプレート試料接触表面が、それぞれの分析物をそれぞれ結合および固定化する１つまたは複数の結合部位を含むか、あるいは
ｉｉ．一方もしくは両方のプレート試料接触表面が、試薬をそれぞれ貯蔵する１つまたは複数の貯蔵部位を含み、試薬（複数可）が、ステップ（ｃ）の間または後に試料内で溶解および拡散し、試料が１つまたは複数の分析物を含むか、あるいは
ｉｉｉ．分析物または標識が増幅部位から５００ｎｍ以内にある場合、分析物または分析物の標識からの信号をそれぞれ増幅することができる１つまたは複数の増幅部位、あるいは
ｉｖ．ｉ〜ｉｉｉの任意の組み合わせである、先行する請求項のいずれかに記載の方法。
【０４０８】
液体試料が、羊水、房水、硝子体液、血液（例えば、全血、画分血液、血漿、または血清）、母乳、脳脊髄液（ＣＳＦ）、耳垢（ｃｅｒｕｍｅｎ）（耳垢（ｅａｒｗａｘ））、乳液、チャイム、内リンパ、外リンパ、糞便、息、胃酸、胃液、リンパ、粘液（鼻漏および痰を含む）、心膜液、腹膜液、胸膜液、膿、粘膜分泌物、唾液、呼気凝縮物、皮脂、精液、痰、汗、滑液、涙、嘔吐物、および尿から選択される生体試料である、先行する実施形態のいずれかに記載のデバイスまたは方法。
【０４０９】
閉鎖構成における均一な厚さの層が１５０μｍ未満である、先行する実施形態のいずれかに記載のデバイスまたは方法。
【０４１０】
押圧することが、加圧液体、加圧ガス、または適合可能な材料によって提供される、先行する請求項のいずれかに記載の方法。
【０４１１】
分析することが、均一な厚さの層における細胞を計数することを含む、先行する請求項のいずれかに記載の方法。
【０４１２】
分析することが、均一な厚さの層においてアッセイを実行することを含む、先行する請求項のいずれかに記載の方法。
【０４１３】
アッセイが、結合アッセイまたは生化学アッセイである、先行する実施形態のいずれかに記載のデバイスまたは方法。
【０４１４】
付着した試料が、０．５μＬ未満の総体積を有する、先行する実施形態のいずれかに記載の方法。
【０４１５】
数滴の試料が、プレートの一方または両方に付着する、先行する実施形態のいずれかに記載の方法。
【０４１６】
スペーサ間距離が、１μｍ〜１２０μｍの範囲内である、先行する実施形態のいずれかに記載のデバイスまたは方法。
【０４１７】
スペーサ間距離が、１２０μｍ〜５０μｍの範囲内である、先行する実施形態のいずれかに記載のデバイスまたは方法。
【０４１８】
スペーサ間距離が、１２０μｍ〜２００μｍの範囲内である、先行する実施形態のいずれかに記載のデバイスまたは方法。
【０４１９】
可撓性プレートが、２０ｕｍ〜２５０ｕｍの範囲内の厚さおよび０．１〜５ＧＰａの範囲内のヤング率を有する、先行するデバイス請求項のいずれかに記載のデバイス。
【０４２０】
可撓性プレートについて、可撓性プレートの厚さに可撓性プレートのヤング率を乗じたものが、６０〜７５０ＧＰａ−ｕｍの範囲内である、先行するデバイス請求項のいずれかに記載のデバイス。
【０４２１】
均一な厚さの試料の層が、少なくとも１ｍｍ２である横方向の面積にわたって均一である、先行するデバイス請求項のいずれかに記載のデバイス。
【０４２２】
均一な厚さの試料の層が、少なくとも３ｍｍ２である横方向の面積にわたって均一である、先行するデバイス請求項のいずれかに記載のデバイス。
【０４２３】
均一な厚さの試料の層が、少なくとも５ｍｍ２である横方向の面積にわたって均一である、先行するデバイス請求項のいずれかに記載のデバイス。
【０４２４】
均一な厚さの試料の層が、少なくとも１０ｍｍ２である横方向の面積にわたって均一である、先行するデバイス請求項のいずれかに記載のデバイス。
【０４２５】
均一な厚さの試料の層が、少なくとも２０ｍｍ２である横方向の面積にわたって均一である、先行するデバイス請求項のいずれかに記載のデバイス。
【０４２６】
均一な厚さの試料の層が、２０ｍｍ２〜１００ｍｍ２の範囲内である横方向の面積にわたって均一である、先行するデバイス請求項のいずれかに記載のデバイス。
【０４２７】
均一な厚さの試料の層が、最大＋／−５％以上の厚さの均一性を有する、先行するデバイス請求項のいずれかに記載のデバイス。
【０４２８】
均一な厚さの試料の層が、最大＋／−１０％以上の厚さの均一性を有する、先行するデバイス請求項のいずれかに記載のデバイス。
【０４２９】
均一な厚さの試料の層が、最大＋／−２０％以上の厚さの均一性を有する、先行するデバイス請求項のいずれかに記載のデバイス。
【０４３０】
均一な厚さの試料の層が、最大＋／−３０％以上の厚さの均一性を有する、先行するデバイス請求項のいずれかに記載のデバイス。
【０４３１】
均一な厚さの試料の層が、最大＋／−４０％以上の厚さの均一性を有する、先行するデバイス請求項のいずれかに記載のデバイス。
【０４３２】
均一な厚さの試料の層が、最大＋／−５０％以上の厚さの均一性を有する、先行するデバイス請求項のいずれかに記載のデバイス。
【０４３３】
スペーサが、円形、多角形、円形、正方形、長方形、楕円形、長円形、またはそれらの任意の組み合わせから選択される断面形状を有する柱である、先行するデバイス請求項のいずれかに記載のデバイス。
【０４３４】
スペーサが柱形状を有し、実質的に平坦な上面を有し、実質的に均一な断面を有し、各スペーサについて、スペーサの横方向寸法とその高さとの比率が少なくとも１である、先行するデバイス請求項のいずれかに記載のデバイス。
【０４３５】
スペーサ間距離が周期的である、先行するデバイス請求項のいずれかに記載のデバイス。
【０４３６】
スペーサが、１％以上の充填率を有し、充填率が、スペーサの接触面積と、全プレート面積との比率である、先行するデバイス請求項のいずれかに記載のデバイス。
【０４３７】
スペーサのヤング率にスペーサの充填率を乗じたものが、２０ＭＰａ以上であり、充填率が、スペーサの接触面積と、全プレート面積との比率である、先行するデバイス請求項のいずれかに記載のデバイス。
【０４３８】
閉鎖構成での２つのプレート間の間隔が、２００μｍ未満である、先行するデバイス請求項のいずれかに記載のデバイス。
【０４３９】
閉鎖構成での２つのプレート間の間隔が、１．８μｍ〜３．５μｍから選択される値である、先行するデバイス請求項のいずれかに記載のデバイス。
【０４４０】
間隔が、プレートを直接エンボス加工するか、またはプレートを射出成形することによってプレートに固定される、先行するデバイス請求項のいずれかに記載のデバイス。
【０４４１】
プレートおよびスペーサの材料が、ポリスチレン、ＰＭＭＡ、ＰＣ、ＣＯＣ、ＣＯＰ、または別のプラスチックから選択される、先行するデバイス請求項のいずれかに記載のデバイス。
【０４４２】
スペーサが柱形状を有し、スペーサの側壁角が少なくとも１μｍの曲率半径を有する丸い形状を有する、先行するデバイス請求項のいずれかに記載のデバイス。
【０４４３】
スペーサが少なくとも１０００／ｍｍ２の密度を有する、先行するデバイス請求項のいずれかに記載のデバイス。
【０４４４】
プレートのうちの少なくとも１つが透明である、先行するデバイス請求項のいずれかに記載のデバイス。
【０４４５】
スペーサの作製するために使用される金型が、（ａ）直接反応性イオンエッチングもしくはイオンビームエッチング、または（ｂ）反応性イオンエッチングもしくはイオンビームエッチングの特徴の複製または複数の複製のいずれかによって製造される特徴を含む金型によって製造される、先行するデバイス請求項のいずれかに記載のデバイス。
【０４４６】
充填率が１％〜５％の範囲になるようにスペーサが構成されている、先行する実施形態のいずれかに記載のデバイスまたは方法。
【０４４７】
表面変動が、スペーサの高さに対して相対的であり、柱の平坦な上面変動とスペーサの高さとの比率が、０．５％、１％、３％、５％、７％、１０％、１５％、２０％、３０％、４０％未満、または任意の２つの値の間の範囲内である、先行する実施形態のいずれかに記載のデバイスまたは方法。好ましい平坦な柱上部の平滑度は、２％、５％、または１０％未満である柱の平らな上面変動とのスペーサの高さとの比率を有する。
【０４４８】
充填率が１％〜５％の範囲になるようにスペーサが構成されている、先行する実施形態のいずれかに記載のデバイスまたは方法。
【０４４９】
充填率が５％〜１０％の範囲になるようにスペーサが構成されている、先行する実施形態のいずれかに記載のデバイスまたは方法。
【０４５０】
充填率が１０％〜２０％の範囲になるようにスペーサが構成されている、先行する実施形態のいずれかに記載のデバイスまたは方法。
【０４５１】
充填率が２０％〜３０％の範囲になるようにスペーサが構成されている、先行する実施形態のいずれかに記載のデバイスまたは方法。
【０４５２】
スペーサが、充填率が５％、１０％、２０％、３０％、４０％、５０％、またはいずれの２つの値間の範囲内になるように構成されている、先行する実施形態のいずれかに記載のデバイスまたは方法。
【０４５３】
スペーサが、充填率が５０％、６０％、７０％、８０％、またはいずれの２つの値間の範囲内になるように構成されている、先行する実施形態のいずれかに記載のデバイスまたは方法。
【０４５４】
スペーサが、充填率にスペーサのヤング率を乗じた値が２ＭＰａ〜１０ＭＰａの範囲になるように構成されている、先行する実施形態のいずれかに記載のデバイスまたは方法。
【０４５５】
スペーサが、充填率にスペーサのヤング率を乗じた値が１０ＭＰａ〜２０ＭＰａの範囲になるように構成されている、先行する実施形態のいずれかに記載のデバイスまたは方法。
【０４５６】
スペーサが、充填率にスペーサのヤング率を乗じた値が２０ＭＰａ〜４０ＭＰａの範囲になるように構成されている、先行する実施形態のいずれかに記載のデバイスまたは方法。
【０４５７】
スペーサが、充填率にスペーサのヤング率を乗じた値が４０ＭＰａ〜８０ＭＰａの範囲になるように構成されている、先行する実施形態のいずれかに記載のデバイスまたは方法。
【０４５８】
スペーサが、充填率にスペーサのヤング率を乗じた値が８０ＭＰａ〜１２０ＭＰａの範囲になるように構成されている、先行する実施形態のいずれかに記載のデバイスまたは方法。
【０４５９】
スペーサが、充填率にスペーサのヤング率を乗じた値が１２０ＭＰａ〜１５０ＭＰａの範囲になるように構成されている、先行する実施形態のいずれかに記載のデバイスまたは方法。
【０４６０】
デバイスが、一方または両方のプレート上にコーティングされた乾燥試薬をさらに含む、先行する実施形態のいずれかに記載のデバイスまたは方法。
【０４６１】
デバイスが、一方または両方のプレート上に、所定の面積を有する乾燥結合部位をさらに含み、乾燥結合部位が、試料中の分析物に結合し、固定化する、先行する実施形態のいずれかに記載のデバイスまたは方法。
【０４６２】
デバイスが、一方または両方のプレート上に、放出可能な乾燥試薬、および放出可能な乾燥試薬が試料中に放出される時間を遅延させる放出時間制御材料をさらに含む、先行する実施形態のいずれかに記載のデバイスまたは方法。
【０４６３】
放出時間制御材料が、乾燥試薬が試料中に放出される時間を少なくとも３秒遅らせる、先行する実施形態のいずれかに記載のデバイス。
【０４６４】
試薬が、抗凝固剤および／または染色試薬（複数可）を含む、先行する実施形態のいずれかに記載のデバイス。
【０４６５】
試薬が細胞溶解試薬（複数可）を含む、先行する実施形態のいずれかに記載のデバイス。
【０４６６】
デバイスが、一方または両方のプレート上に、１つもしくは複数の乾燥結合部位および／または１つもしくは複数の試薬部位をさらに含む、先行する実施形態のいずれかに記載のデバイスまたは方法。
【０４６７】
分析物が、分子（例えば、タンパク質、ペプチド、ＤＮＡ、ＲＮＡ、核酸、または他の分子）、細胞、組織、ウイルス、および様々な形状のナノ粒子を含む、先行するデバイス実施形態のいずれかに記載のデバイス。
【０４６８】
分析物が、白血球、赤血球、および血小板を含む、先行する実施形態のいずれかに記載のデバイス。
【０４６９】
分析物が、染色されている、先行するデバイス実施形態のいずれかに記載のデバイス。
【０４７０】
均一な厚さの層を調節するスペーサが、少なくとも１％の充填率を有し、充填率が、均一な厚さの層に接触するスペーサ面積と、均一な厚さの層に接触する全プレート面積との比率である、先行する実施形態のいずれかに記載のデバイスまたは方法。
【０４７１】
均一な厚さの層を調節するスペーサに関して、スペーサのヤング率にスペーサの充填率を乗じたものが、１０ＭＰａ以上であり、充填率が、均一な厚さの層と接触するスペーサ面積と、均一な厚さの層と接触する全プレート面積との比率である、先行する実施形態のいずれかに記載のデバイスまたは方法。
【０４７２】
可撓性プレートについて、可撓性プレートの厚さに可撓性プレートのヤング率を乗じたものが、６０〜７５０ＧＰａ−μｍの範囲内である、先行する実施形態のいずれかに記載のデバイスまたは方法。
【０４７３】
可撓性プレートについて、可撓性プレートの厚さ（ｈ）および可撓性プレートのヤング率（Ｅ）で割ったスペーサ間距離（ＩＳＤ）の４乗、ＩＳＤ４／（ｈＥ）が、１０６μｍ３／ＧＰａ以下である、先行する実施形態のいずれかに記載のデバイスまたは方法。
【０４７４】
プレートの一方または両方が、プレートの位置の情報を提供するプレートの表面上または内側のいずれかに位置マーカーを含む、先行する実施形態のいずれかに記載のデバイスまたは方法。
【０４７５】
一方または両方のプレートが、試料および／またはプレートの構造の横方向寸法の情報を提供するプレートの表面上または内側のいずれかにスケールマーカーを含む、先行する実施形態のいずれかに記載のデバイスまたは方法。
【０４７６】
一方または両方のプレートが、試料の撮像を補助するプレートの表面上または内側に撮像マーカーを含む、先行する実施形態のいずれかに記載のデバイスまたは方法。
【０４７７】
スペーサが、位置マーカー、スケールマーカー、撮像マーカー、またはそれらの任意の組み合わせとして機能する、先行する実施形態のいずれかに記載のデバイスまたは方法。
【０４７８】
均一な厚さの層の平均厚さが、試料中の分析物の最小寸法にほぼ等しい、先行する実施形態のいずれかに記載のデバイスまたは方法。
【０４７９】
スペーサ間距離が、７μｍ〜５０μｍの範囲内である、先行する実施形態のいずれかに記載のデバイスまたは方法。
【０４８０】
スペーサ間距離が、５０μｍ〜１２０μｍの範囲内である、先行する実施形態のいずれかに記載のデバイスまたは方法。
【０４８１】
スペーサ間距離が、１２０μｍ〜２００μｍ（ミクロン）の範囲内である、先行する実施形態のいずれかに記載のデバイスまたは方法。
【０４８２】
スペーサ間距離が実質的に周期的である、先行する実施形態のいずれかに記載のデバイスまたは方法。
【０４８３】
スペーサが、円形、多角形、円形、正方形、長方形、楕円形、長円形、またはそれらの任意の組み合わせから選択される断面形状を有する柱である、先行する実施形態のいずれかに記載のデバイスまたは方法。
【０４８４】
スペーサが柱形状を有し、実質的に平坦な上面を有し、各スペーサについて、スペーサの横方向寸法とその高さとの比率が少なくとも１である、先行する実施形態のいずれかに記載のデバイスまたは方法。
【０４８５】
各スペーサが、
少なくとも１である、スペーサの横方向寸法とその高さとの比率
を有する、先行する実施形態のいずれかに記載のデバイスまたは方法。
【０４８６】
スペーサの最小横方向寸法が、試料中の分析物の最小寸法未満またはそれと実質的に等しい、先行する実施形態のいずれかに記載のデバイスまたは方法。
【０４８７】
スペーサの最小横方向寸法が０．５μｍ〜１００μｍの範囲内である、先行する実施形態のいずれかに記載のデバイスまたは方法。
【０４８８】
スペーサの最小横方向寸法が０．５μｍ〜１０μｍの範囲内である、先行する実施形態のいずれかに記載のデバイスまたは方法。
【０４８９】
試料が血液である、先行する実施形態のいずれかに記載のデバイスまたは方法。
【０４９０】
試料が、液体による希釈のない全血である、先行する実施形態のいずれかに記載のデバイスまたは方法。
【０４９１】
試料が、羊水、房水、硝子体液、血液（例えば、全血、画分血液、血漿、または血清）、母乳、脳脊髄液（ＣＳＦ）、耳垢（ｃｅｒｕｍｅｎ）（耳垢（ｅａｒｗａｘ））、乳液、チャイム、内リンパ、外リンパ、糞便、息、胃酸、胃液、リンパ、粘液（鼻漏および痰を含む）、心膜液、腹膜液、胸膜液、膿、粘膜分泌物、唾液、呼気凝縮物、皮脂、精液、痰、汗、滑液、涙、嘔吐物、および尿から選択される生体試料である、先行する実施形態のいずれかに記載のデバイスまたは方法。
【０４９２】
試料が、生物学的試料、環境試料、化学試料、または臨床試料である、先行する実施形態のいずれかに記載のデバイスまたは方法。
【０４９３】
スペーサが柱形状を有し、スペーサの側壁角が少なくとも１μｍの曲率半径を有する丸い形状を有する、先行する実施形態のいずれかに記載のデバイスまたは方法。
【０４９４】
スペーサが少なくとも１００／ｍｍ２の密度を有する、先行する実施形態のいずれかに記載のデバイスまたは方法。
【０４９５】
スペーサが少なくとも１０００／ｍｍ２の密度を有する、先行する実施形態のいずれかに記載のデバイスまたは方法。
【０４９６】
プレートのうちの少なくとも１つが透明である、先行する実施形態のいずれかに記載のデバイスまたは方法。
【０４９７】
プレートのうちの少なくとも１つが、可撓性ポリマーから作製される、先行する実施形態のいずれかに記載のデバイスまたは方法。
【０４９８】
プレートを圧縮する圧力について、スペーサは圧縮可能ではなく、かつ／または独立して、プレートの一方のみが可撓性である、先行する実施形態のいずれかに記載のデバイスまたは方法。
【０４９９】
可撓性プレートが、１０μｍ〜２００μｍの範囲内の厚さを有する、先行する実施形態のいずれかに記載のデバイス。
【０５００】
変動が３０％未満である、先行する実施形態のいずれかに記載のデバイスまたは方法。
【０５０１】
変動が１０％未満である、先行する実施形態のいずれかに記載のデバイスまたは方法。
【０５０２】
変動が５％未満である、先行する実施形態のいずれかに記載のデバイスまたは方法。
【０５０３】
第１および第２のプレートが、接続され、プレートを折り畳むことによって開放構成から閉鎖構成へと変更されるように構成されている、先行する実施形態のいずれかに記載のデバイスまたは方法。
【０５０４】
第１および第２のプレートがヒンジによって接続され、ヒンジに沿ってプレートを折り畳むことによって開放構成から閉鎖構成へと変更されるように構成されている、先行する実施形態のいずれかに記載のデバイスまたは方法。
【０５０５】
第１および第２のプレートが、プレートに対して別個の材料であるヒンジによって接続され、ヒンジに沿ってプレートを折り畳むことによって開放構成から閉鎖構成へと変更されるように構成されている、先行する実施形態のいずれかに記載のデバイスまたは方法。
【０５０６】
第１および第２のプレートが単一の材料で作製されており、プレートを折り畳むことによって開放構成から閉鎖構成へと変更されるように構成されている、先行する実施形態のいずれかに記載のデバイスまたは方法。
【０５０７】
均一な厚さの試料の層が、少なくとも１ｍｍ２である横方向区域にわたって均一である、先行する実施形態のいずれかに記載のデバイスまたは方法。
【０５０８】
デバイスが、６０秒以下で試料を分析するように構成されている、先行する実施形態のいずれかに記載のデバイスまたは方法。
【０５０９】
閉鎖構成で、最終試料厚さのデバイスが、６０秒以下で試料を分析するように構成されている、先行する実施形態のいずれかに記載のデバイスまたは方法。
【０５１０】
閉鎖構成で、最終試料厚さのデバイスが、１０秒以下で試料を分析するように構成されている、先行する実施形態のいずれかに記載のデバイスまたは方法。
【０５１１】
乾燥結合部位が捕捉剤を含む、先行する実施形態のいずれかに記載のデバイスまたは方法。
【０５１２】
乾燥結合部位が、抗体または核酸を含む、先行する実施形態のいずれかに記載のデバイスまたは方法。
【０５１３】
放出可能な乾燥試薬が標識試薬である、先行する実施形態のいずれかに記載のデバイスまたは方法。
【０５１４】
放出可能な乾燥試薬が蛍光標識試薬である、先行する実施形態のいずれかに記載のデバイスまたは方法。
【０５１５】
放出可能な乾燥試薬が蛍光標識抗体である、先行する実施形態のいずれかに記載のデバイスまたは方法。
【０５１６】
放出可能な乾燥試薬が細胞染色である、先行する実施形態のいずれかに記載のデバイスまたは方法。
【０５１７】
放出可能な乾燥試薬が細胞溶解である、先行する実施形態のいずれかに記載のデバイスまたは方法。
【０５１８】
検出器が、光信号を検出する光検出器である、先行する実施形態のいずれかに記載のデバイスまたは方法。
【０５１９】
検出器が、電気信号を検出する電気検出器である、先行する実施形態のいずれかに記載のデバイスまたは方法。
【０５２０】
間隔が、プレートを直接エンボス加工するか、またはプレートを射出成形することによってプレートに固定される、先行するデバイス実施形態のいずれかに記載のデバイス。
【０５２１】
プレートおよびスペーサの材料が、ポリスチレン、ＰＭＭＡ、ＰＣ、ＣＯＣ、ＣＯＰ、または別のプラスチックから選択される、先行する実施形態のいずれかに記載のデバイス。
【０５２２】
携帯電話を使用して試料を迅速に分析するためのシステムであって、
（ａ）先行する実施形態のいずれかに記載のデバイスと、
（ｂ）モバイル通信デバイスであって、
ｉ．試料を検出および／または撮像するための１つまたは複数のカメラ、
ｉｉ．検出された信号および／または試料の画像を受信および／または処理し、遠隔通信するための電子機器、信号プロセッサ、ハードウェアおよびソフトウェアを備える、モバイル通信デバイスと、
（ｃ）モバイル通信デバイスまたは外部ソースからの光源と、を含み、
先行する実施形態のいずれかに記載のデバイスまたは方法における検出器が、モバイル通信デバイスによって提供され、閉鎖構成で試料中の分析物を検出する、システム。
【０５２３】
プレートのうちの１つが、分析物と結合する結合部位を有し、均一な試料厚さの層の少なくとも一部が、結合部位の上にあり、結合部位の平均横方向直線寸法よりも実質的に小さい、先行するシステム実施形態のいずれかに記載のシステム。
【０５２４】
（ｄ）試料を保持し、モバイル通信デバイスに取り付けられるように構成されたハウジングをさらに含む、先行するシステム実施形態のいずれかに記載のシステム。
【０５２５】
ハウジングが、モバイル通信デバイスによる試料の撮像および／または信号処理を容易にするための光学系と、モバイル通信デバイス上に光学系を保持するように構成されたマウントとを含む、先行するシステム実施形態のいずれかに記載のシステム。
【０５２６】
ハウジング内の光学系の要素が、ハウジングに相対的に移動可能である、先行するシステム実施形態のいずれかに記載のシステム。
【０５２７】
モバイル通信デバイスが、試験結果を医療専門家、医療施設、または保険会社に通信するように構成されている、先行するシステム実施形態のいずれかに記載のシステム。
【０５２８】
モバイル通信デバイスが、試験および対象に関する情報を医療専門家、医療施設、または保険会社と通信するようにさらに構成されている、先行するシステム実施形態のいずれかに記載のシステム。
【０５２９】
モバイル通信デバイスが、試験の情報をクラウドネットワークに通信するようにさらに構成され、クラウドネットワークが情報を処理して試験結果を精密化する、先行するシステム実施形態のいずれかに記載のシステム。
【０５３０】
モバイル通信デバイスが、試験および対象の情報をクラウドネットワークに通信するようにさらに構成され、クラウドネットワークが情報を処理して試験結果を精密化し、精密化された試験結果を対象に送り返す、先行するシステム実施形態のいずれかに記載のシステム。
【０５３１】
モバイル通信デバイスが、医療専門家から処方、診断、または推奨を受け取るように構成されている、先行するシステム実施形態のいずれかに記載のシステム。
【０５３２】
モバイル通信デバイスが、
（ａ）試料の画像をキャプチャし、
（ｂ）画像内の試験位置および制御位置を分析し、
（ｃ）試験位置の分析から得られた値を、迅速な診断試験を特徴付けるしきい値と比較するように、ハードウェアおよびソフトウェアで構成されている、先行するシステム実施形態のいずれかに記載のシステム。
【０５３３】
プレートのうちの少なくとも１つが、アッセイ試薬が貯蔵される貯蔵部位を含む、先行するシステム実施形態のいずれかに記載のシステム。
【０５３４】
カメラのうちの少なくとも１つが、デバイスから信号を読み取る、先行するシステム実施形態のいずれかに記載のシステム。
【０５３５】
モバイル通信デバイスが、Ｗｉ−Ｆｉまたはセルラーネットワークを介して遠隔地と通信する、先行するシステム実施形態のいずれかに記載のシステム。
【０５３６】
モバイル通信デバイスが携帯電話である、先行するシステム実施形態のいずれかに記載のシステム。
【０５３７】
携帯電話を使用して試料中の分析物を迅速に分析するための方法であって、
（ａ）先行するシステム実施形態のいずれかに記載のデバイスに試料を付着させることと、
（ｂ）デバイスに付着した試料中の分析物を分析して結果を生成することと、
（ｃ）結果をモバイル通信デバイスから、モバイル通信デバイスから離れた場所に通信することと、を含む、方法。
【０５３８】
分析物が、分子（例えば、タンパク質、ペプチド、ＤＮＡ、ＲＮＡ、核酸、または他の分子）、細胞、組織、ウイルス、および様々な形状のナノ粒子を含む、先行する実施形態のいずれかに記載の方法。
【０５３９】
分析物が、白血球、赤血球、および血小板を含む、先行する実施形態のいずれかに記載の方法。
【０５４０】
アッセイが、白血球示差アッセイを実施することを含む、先行する実施形態のいずれかに記載の方法。
【０５４１】
方法が、
遠隔地で結果を分析して、分析結果を提供することと、
分析結果を遠隔地からモバイル通信デバイスへ通信することと、を含む、先行する実施形態のいずれかに記載の方法。
【０５４２】
分析が、遠隔地で医療専門家によって行われる、先行する実施形態のいずれかに記載の方法。
【０５４３】
モバイル通信デバイスが、遠隔地の医療専門家から処方、診断、または推奨を受信する、先行する実施形態のいずれかに記載の方法。
【０５４４】
試料が体液である、先行する実施形態のいずれかに記載の方法。
【０５４５】
体液が、血液、唾液、または尿である、先行する実施形態のいずれかに記載の方法。
【０５４６】
試料が、液体による希釈のない全血である、先行する実施形態のいずれかに記載の方法。
【０５４７】
アッセイのステップが、試料中の分析物を検出することを含む、先行する実施形態のいずれかに記載の方法。
【０５４８】
分析物がバイオマーカーである、先行する実施形態のいずれかに記載の方法。
【０５４９】
分析物が、タンパク質、核酸、細胞、または代謝産物である、先行する実施形態のいずれかに記載の方法。
【０５５０】
方法が、赤血球の数を計数することを含む、先行する実施形態のいずれかに記載の方法。
【０５５１】
方法が、白血球の数を計数することを含む、先行する実施形態のいずれかに記載の方法。
【０５５２】
方法が、試料中の細胞を染色することと、好中球、リンパ球、単球、好酸球、および好塩基球の数を計数ことと、を含む、先行する実施形態のいずれかに記載の方法。
【０５５３】
ステップ（ｂ）で行われるアッセイが、結合アッセイまたは生化学アッセイである、先行する実施形態実施形態のいずれかに記載の方法。
【０５５４】
試料を分析するための方法であって、
先行するデバイス実施形態のいずれかに記載のデバイスを得ることと、
デバイスのうちの一方または両方のプレート上に試料を付着させることと、
プレートを閉鎖構成に置き、プレートの少なくとも一部に外力を加えることと、
プレートが閉鎖構成である間、均一な厚さの層を分析することと、を含む、方法。
【０５５５】
第１のプレートが、その表面上に、第１の所定のアッセイ部位および第２の所定のアッセイ部位をさらに含み、アッセイ部位の縁部間の距離が、プレートが閉鎖位置にある場合に、均一な厚さの層の厚さよりも実質的に大きく、均一な厚さの層の少なくとも一部が、所定のアッセイ部位の上にあり、試料が、試料中で拡散することができる１つまたは複数の分析物を有する、先行する実施形態のいずれかに記載のデバイスまたは方法。
【０５５６】
第１のプレートが、その表面上に、少なくとも３つの分析物アッセイ部位を有し、任意の２つの隣接するアッセイ部位の縁部間の距離が、プレートが閉鎖位置にある場合に、均一な厚さの層の厚さよりも実質的に大きく、均一な厚さの層の少なくとも一部が、アッセイ部位の上にあり、試料が、試料中で拡散することができる１つまたは複数の分析物を有する、先行する実施形態のいずれかに記載のデバイスまたは方法。
【０５５７】
第１のプレートは、その表面上に、プレートが閉鎖位置にあるときの均一な厚さの層の厚さよりも実質的に大きな距離によって離されていない少なくとも２つの隣接する分析物アッセイ部位を有し、均一な厚さの層の少なくとも一部が、アッセイ部位の上にあり、試料が、試料中で拡散することができる１つまたは複数の分析物を有する、先行する実施形態のいずれかに記載のデバイスまたは方法。
【０５５８】
分析物アッセイ区域が、一対の電極の間にある、先行する実施形態のいずれかに記載のデバイスまたは方法。
【０５５９】
アッセイ区域が、乾燥試薬のパッチによって定義される、先行する実施形態のいずれかに記載のデバイスまたは方法。
【０５６０】
アッセイ区域が、分析物と結合し、固定化する、先行する実施形態のいずれかに記載のデバイスまたは方法。
【０５６１】
アッセイ区域が、試料に接触すると、試料中に溶解し、試料内で拡散し、分析物と結合する結合試薬のパッチによって定義される、先行する実施形態のいずれかに記載のデバイスまたは方法。
【０５６２】
スペーサ間距離が、１４μｍ〜２００μｍの範囲内である、先行する実施形態のいずれかに記載のデバイスまたは方法。
【０５６３】
スペーサ間距離が、７μｍ〜２０μｍの範囲内である、先行する実施形態のいずれかに記載のデバイスまたは方法。
【０５６４】
スペーサが、円形、多角形、円形、正方形、長方形、楕円形、長円形、またはそれらの任意の組み合わせから選択される断面形状を有する柱である、先行する実施形態のいずれかに記載のデバイスまたは方法。
【０５６５】
スペーサが柱形状を有し、実質的に平坦な上面を有し、各スペーサについて、スペーサの横方向寸法とその高さとの比率が少なくとも１である、先行する実施形態のいずれかに記載のデバイスまたは方法。
【０５６６】
スペーサが柱形状を有し、スペーサの側壁角が少なくとも１μｍの曲率半径を有する丸い形状を有する、先行する実施形態のいずれかに記載のデバイスまたは方法。
【０５６７】
スペーサが少なくとも１０００／ｍｍ２の密度を有する、先行する実施形態のいずれかに記載のデバイスまたは方法。
【０５６８】
プレートのうちの少なくとも１つが透明である、先行する実施形態のいずれかに記載のデバイスまたは方法。
【０５６９】
プレートのうちの少なくとも１つが、可撓性ポリマーから作製される、先行する実施形態のいずれかに記載のデバイスまたは方法。
【０５７０】
プレートのうちの１つのみが可撓性である、先行する実施形態のいずれかに記載のデバイスまたは方法。
【０５７１】
面積決定デバイスがカメラである、先行する実施形態のいずれかに記載のデバイス。
【０５７２】
変形可能な試料が、液体試料を含む、先行する実施形態のいずれかに記載のデバイスまたは方法。
【０５７３】
不正確な力が、実際に加えられる力の合計の少なくとも３０％の変動を有する、先行する実施形態のいずれかに記載のデバイスまたは方法。
【０５７４】
不正確な力が、実際に加えられる力の合計の少なくとも２０％、３０％、４０％、５０％、６０、７０％、８０％、９０％１００％、１５０％、２００％、３００％、５００％、またはいずれの２つの値間の範囲内の変動を有する、先行する実施形態のいずれかに記載のデバイスまたは方法。
【０５７５】
スペーサが平坦な上部を有する、先行する実施形態のいずれかに記載のデバイス。
【０５７６】
デバイスが、押圧力が取り除かれた後、力が加えられたときと実質的に同じ厚さおよび均一性である試料厚さを有するようにさらに構成されている、先行する実施形態のいずれかに記載のデバイス。
【０５７７】
不明確な力が、ヒトの手によって提供される、先行する実施形態のいずれかに記載のデバイス。
【０５７８】
スペーサ間距離が、実質的に一定である、先行する実施形態のいずれかに記載のデバイス。
【０５７９】
スペーサ間距離が、均一な試料厚さ区域の区域において実質的に周期的である、先行する実施形態のいずれかに記載のデバイス。
【０５８０】
充填率とスペーサのヤング率の乗算積が、２ＭＰａ以上である、先行する実施形態のいずれかに記載のデバイス。
【０５８１】
力が、直接または間接的に手によって加えられる、先行する実施形態のいずれかに記載のデバイス。
【０５８２】
加えられる力が、１Ｎ〜２０Ｎの範囲内である、先行する実施形態のいずれかに記載のデバイス。
【０５８３】
加えられる力が、２０Ｎ〜２００Ｎの範囲内である、先行する実施形態のいずれかに記載のデバイス。
【０５８４】
非常に均一な層が、平均厚さの１５％、１０％、または５％未満異なる厚さを有する、先行する実施形態のいずれかに記載のデバイス。
【０５８５】
不正確な力が、親指および人差し指の間でデバイスをつまむことによって加えられる、先行する実施形態のいずれかに記載のデバイス。
【０５８６】
所定の試料厚さが、スペーサの高さよりも大きい、先行する実施形態のいずれかに記載のデバイス。
【０５８７】
押圧力が除去された後、デバイスが、閉鎖構成においてそれ自身を保持する、先行する実施形態のいずれかに記載のデバイス。
【０５８８】
均一な厚さの試料層区域が、押圧力が加えられる区域よりも大きい、先行する実施形態のいずれかに記載のデバイス。
【０５８９】
スペーサが、押圧力を加えている間に著しく変形しない、先行する実施形態のいずれかに記載のデバイス。
【０５９０】
押圧力が、事前に決まっておらず、測定されていない、先行する実施形態のいずれかに記載のデバイス。
【０５９１】
いくつかの実施形態では、流体試料は、変形可能な試料によって置き換えられ、流体試料の少なくとも一部を均一な厚さの層にするための実施形態は、変形可能な試料の少なくとも一部を均一な厚さの層にすることができる。
【０５９２】
スペーサ間距離が周期的である、先行するデバイス請求項のいずれかに記載のデバイスまたは方法。
【０５９３】
スペーサが平坦な上部を有する、先行するデバイス請求項のいずれかに記載のデバイスまたは方法。
【０５９４】
スペーサ間距離が、試料中の標的分析物のサイズより少なくとも２倍大きい、先行するデバイス請求項のいずれかに記載のデバイスまたは方法。
【０５９５】
Ｑカードの製造
第１のプレート、第２のプレート、およびヒンジを含むＱカードの実施形態であって、
ｉ．約２００ｎｍ〜１５００ｎｍの厚さである第１のプレートが、その内表面に、（ａ）試料と接触するための試料接触区域、および（ｂ）ダムの外側の試料の流れを表すように構成されている試料接触区域を囲む試料オーバーフローダムを含み、
ｉｉ．第２のプレートが、１０μｍ
ｉｉｉ．〜２５０μｍの厚さであり、その内表面に、（ａ）試料と接触するための試料接触区域、および（ｂ）試料接触区域上のスペーサを含み、
ｉｖ．ヒンジが、第１および第２のプレートを接続し、
第１および第２のプレートが、ヒンジの軸の周りで互いに相対的に移動可能である、実施形態。
【０５９６】
第１のプレート、第２のプレート、およびヒンジを含むＱカードの実施形態であって、
ｉ．約２００ｎｍ〜１５００ｎｍの厚さである第１のプレートが、その内表面に、（ａ）試料と接触するための試料接触区域、（ｂ）ダムの外側の試料の流れを表すように構成されている試料接触区域を囲む試料オーバーフローダム、および（ｃ）試料接触区域上のスペーサを含み、
ｉｉ．１０μｍ〜２５０μｍの厚さである第２のプレートが、その内表面に、試料と接触するための試料接触区域を含み、
ｉｉｉ．ヒンジが、第１および第２のプレートを接続し、
第１および第２のプレートが、ヒンジの軸の周りで互いに相対的に移動可能である、実施形態。
【０５９７】
第１のプレート、第２のプレート、およびヒンジを含むＱカードの実施形態であって、
ｉ．約２００ｎｍ〜１５００ｎｍの厚さである第１のプレートが、その内表面に、（ａ）試料と接触するための試料接触区域、および（ｂ）試料接触区域上のスペーサを含み、
ｉ．約１０μｍ〜２５０μｍの厚さである第２のプレートが、その内表面に、（ａ）試料と接触するための試料接触区域、および（ｂ）ダムの外側の試料の流れを表すように構成されている試料接触区域を囲む試料オーバーフローダムを含み、
ｉｉｉ．ヒンジが、第１および第２のプレートを接続し、
第１および第２のプレートが、ヒンジの軸の周りで互いに相対的に移動可能である、実施形態。
【０５９８】
第１のプレート、第２のプレート、およびヒンジを含むＱカードの実施形態であって、
ｉ．約２００ｎｍ〜１５００ｎｍの厚さである第１のプレートが、その内表面に、試料と接触するための試料接触区域を含み、
ｉｉ．約１０μｍ〜２５０μｍの厚さである第２のプレートが、その内表面に、（ａ）試料と接触するための試料接触区域、（ｂ）ダムの外側の試料の流れを表すように構成されている試料接触区域を囲む試料オーバーフローダム、（ｃ）試料接触区域上のスペーサを含み、
ｉｉｉ．ヒンジが、第１および第２のプレートを接続し、
第１および第２のプレートが、ヒンジの軸の周りで互いに相対的に移動可能である、実施形態。
【０５９９】
本開示のいずれかの実施形態のＱカードを製造する方法の実施形態であって、
（ａ）第１のプレートの射出成形、
（ｂ）第２のプレートのナノインプリントまたは押出印刷を含む、実施形態。
【０６００】
本開示のいずれかの実施形態のＱカードを製造する方法の実施形態であって、
（ａ）第１のプレートをレーザー切断すること、
（ｂ）第２のプレートのナノインプリントまたは押出印刷を含む、実施形態。
【０６０１】
本開示のいずれかの実施形態のＱカードを製造する方法の実施形態であって、
（ａ）第１のプレートを射出成形およびレーザー切断すること、
（ｂ）第２のプレートのナノインプリントまたは押出印刷を含む、実施形態。
【０６０２】
本開示のいずれかの実施形態のＱカードを製造する方法の実施形態であって、第１および第２のプレートの両方を製造するためのナノインプリントまたは押出印刷を含む、実施形態。
【０６０３】
本開示のいずれかの実施形態のＱカードを製造する方法の実施形態であって、射出成形、第１のプレートのレーザー切断、ナノインプリンティング、押出印刷、またはそれらの組み合わせを使用して第１のプレートまたは第２のプレートを製造することを含む、実施形態。
【０６０４】
方法が、第１および第２のプレートの製造後に、ヒンジを第１および第２のプレート上に取り付けるステップをさらに含む、Ｍ１〜Ｍ５のいずれかの実施形態の方法。
【０６０５】
圧縮調節開放流（ＣＲＯＦ）
アッセイにおいて、試料または試薬の操作がアッセイの改善につながることがある。操作は、試料および／または試薬の幾何学的形状および位置、試料と試薬の混合または結合ならびにプレートへの試料または試薬の接触の面積を操作することを含むが、これらに限定されない。
【０６０６】
本発明の多くの態様は、「圧縮調節開放流（ＣＲＯＦ）」と呼ばれる方法およびＣＲＯＦを実施するデバイスを使用して、試料および／または試薬の幾何学的サイズ、位置、接触面積および混合を操作する。
【０６０７】
用語「圧縮開放流（ＣＯＦ）」とは、一方のプレートに付着した流動性試料の形状を、（ｉ）その試料の少なくとも一部の上に他方のプレートを配置し、（ｉｉ）次いで、２枚のプレートを互いに向けて押すことによって２枚のプレートの間で試料を圧縮することにより、変化させる方法であって、圧縮が、試料の少なくとも一部の厚さを減らし、試料をプレート間の空間に流入させる方法を指す。
【０６０８】
用語「圧縮調節開放流」または「ＣＲＯＦ」（または「自己校正圧縮開放流」または「ＳＣＯＦ」または「ＳＣＣＯＦ」）とは、圧縮後の試料の一部または全体の最終厚さが、２枚のプレートの間に配置されるスペーサによって「調節」される、特定のタイプのＣＯＦを指す。
【０６０９】
ＣＲＯＦにおける用語「試料の一部または全体の最終厚さがスペーサによって調節される」とは、ＣＲＯＦ中、指定の試料の厚さに達したならば、２枚のプレートの相対運動、ひいては試料厚さの変化が停止し、指定の厚さがスペーサによって決まることを意味する。
【０６１０】
図Ａ１に示すＣＲＯＦの方法の１つの態様は、
（ａ）流動性である試料を得る工程；
（ｂ）互いに対し、異なる構成へと動くことができる第１のプレートおよび第２のプレートを得る工程（各プレートは、実質的に平面である試料接触面を有し、プレートの一方または両方はスペーサを含み、スペーサは所定の高さを有し、スペーサはそれぞれの試料接触面にある）；
（ｃ）プレートが開放構成にあるとき、プレートの一方または両方に試料を付着させる工程（開放構成は、２枚のプレートが部分的または完全に離され、プレートの間隔がスペーサによって調節されない構成である）；および
（ｄ）（ｃ）ののち、プレートを閉鎖構成に至らせることによって試料を広げる工程（閉鎖構成において、両プレートは互いに対面し、スペーサおよび適切な量の試料がプレートの間にあり、適切な量の試料の厚さがプレートおよびスペーサによって調節され、適切な量は試料の全量の少なくとも一部分であり、試料を広げる間、試料は２枚のプレートの間を横方向に流れる）
を含む。
【０６１１】
用語「プレート」とは、別段の指定がない限り、表面を有する固体を別のプレートとともに使用して、２枚のプレートの間に配置された試料を圧縮して試料の厚さを減らすことができる、ＣＲＯＦプロセスに使用されるプレートを指す。
【０６１２】
用語「両プレート」または「プレート対」とは、ＣＲＯＦプロセスにおける２枚のプレートを指す。
【０６１３】
用語「第１のプレート」および「第２のプレート」とは、ＣＲＯＦプロセスに使用されるプレートを指す。
【０６１４】
用語「両プレートは互いに対面する」とは、プレート対が少なくとも部分的に互いに対面する場合を指す。
【０６１５】
用語「スペーサ」または「ストッパ」とは、別段の記述がない限り、２枚のプレートの間に配置されたとき、２枚のプレートを一緒に圧縮したときに達することができる２枚のプレート間の最小間隔の限界を設定する機械的物体を指す。すなわち、圧縮時、スペーサは２枚のプレートの相対運動を停止させて、プレート間隔が設定値（すなわち所定値）よりも小さくなることを防ぐ。２つのタイプのスペーサ：「開放型スペーサ」および「閉鎖型スペーサ」がある。
【０６１６】
用語「開放型スペーサ」とは、液体がスペーサの全周囲を流れ、スペーサを通り過ぎることが可能である形状を有するスペーサを意味する。たとえば、ピラーはオープン型スペーサである。
【０６１７】
用語「閉鎖型スペーサ」とは、液体がスペーサの全周囲を流れることができず、スペーサを通り過ぎることができない形状を有するスペーサを意味する。たとえば、リング形スペーサは、その中の液体がリング内に留まり、外に（周囲から外に）に出ることができない、リング内の液体のための閉鎖型スペーサである。
【０６１８】
用語「スペーサは所定の高さを有する」および「スペーサは所定のスペーサ間距離を有する」とは、それぞれ、スペーサ高さおよびスペーサ間距離の値がＣＲＯＦプロセスの前に既知であることを意味する。スペーサ高さおよびスペーサ間距離の値がＣＲＯＦプロセスの前に未知であるならば、それは「所定」ではない。たとえば、ビーズがスペーサとしてプレートにスプレーされ、ビーズがプレートのランダムな位置に付着する場合、スペーサ間距離は所定ではない。所定ではないスペーサ間距離のもう１つの例は、ＣＲＯＦプロセス中にスペーサが移動する場合である。
【０６１９】
ＣＲＯＦプロセスにおける用語「スペーサはそれぞれのプレートに固定されている」とは、スペーサがプレートのある位置に取り付けられ、その位置への取り付けがＣＲＯＦ中に維持される（すなわち、それぞれのプレート上のスペーサの位置が変化しない）ことを意味する。「スペーサがそれぞれのプレートと固定されている」例は、スペーサが１つのプレート材料片でモノリシックに作られ、プレート表面に対するスペーサの位置がＣＲＯＦ中に変化しない場合である。「スペーサがそれぞれのプレートと固定されていない」例は、スペーサが接着剤によってプレートに接着されているが、ＣＲＯＦ中のプレートの使用中、接着剤がスペーサをプレート表面上のその元の位置に保持することができず、スペーサがプレート表面上のその元の位置から移動する場合である。
【０６２０】
用語「スペーサがプレートにモノリシックに固定されている」とは、スペーサとプレートとが１個の物体のように振る舞い、使用中、スペーサがプレート上の元の位置から移動または分離しないことを意味する。
【０６２１】
ＣＲＯＦプロセスにおける２枚のプレートの「開放構成」とは、２枚のプレートが部分的または完全に離され、プレートの間隔がスペーサによって調節されない、構成を意味する。
【０６２２】
ＣＲＯＦプロセスにおける２枚のプレートの「閉鎖構成」とは、両プレートが互いに対面し、スペーサおよび適切な量の試料がプレートの間にあり、適切な量の試料の厚さがプレートおよびスペーサによって調節される、構成を意味する。適切な量は試料の全量の少なくとも一部分である。
【０６２３】
ＣＲＯＦプロセスにおける用語「試料の厚さがプレートおよびスペーサによって調節される」とは、プレート、試料、スペーサおよびプレートの圧縮法の所与の条件の場合、プレートの閉鎖構成における試料の少なくとも一部分の厚さがスペーサおよびプレートの性質から予め決まることを意味する。
【０６２４】
ＣＲＯＦデバイス中のプレートの「内面」または「試料面」とは、試料に接触するプレートの面を指し、プレートの他方の面（試料に接触しない面）は「外面」と呼ばれる。
【０６２５】
ＣＲＯＦデバイスの「Ｘプレート」とは、プレートの試料面にあるスペーサを含む、スペーサが所定のスペーサ間距離およびスペーサ高さを有し、スペーサの少なくとも１つが試料の接触区域内にある、プレートを指す。
【０６２６】
用語「ＣＲＯＦデバイス」とは、ＣＲＯＦプロセスを実施するデバイスを指す。用語「ＣＲＯＦされた」とは、ＣＲＯＦプロセスが使用されていることを意味する。たとえば、用語「試料がＣＲＯＦされた」とは、試料がＣＲＯＦデバイス内に配置され、ＣＲＯＦプロセスが実施され、試料が、別段の記述がない限り、ＣＲＯＦの最終構成で保持されたことを意味する。
【０６２７】
用語「ＣＲＯＦプレート」とは、ＣＲＯＦプロセスの実施に使用される２枚のプレートを指す。
【０６２８】
平面の「表面平滑度」または「表面平滑度変動」とは、約数マイクロメートル以下である小さい短い距離にわたる完璧な平坦面からの平面の平均偏差を指す。表面平滑度は表面平面度変動とは異なる。平面は、良好な表面平面度を有することができるが、表面平滑度は劣る。
【０６２９】
平面の「表面平面度」または「表面平面度変動」とは、約１０μｍ以上である長い距離にわたる完璧な平坦面からの平面の平均偏差を指す。表面平面度変動は表面平滑度とは異なる。平面は、良好な表面平滑度を有することができるが、表面平面度は劣る（すなわち、表面平面度変動は大きい）。
【０６３０】
プレートまたは試料の「相対表面平面度」とは、最終試料厚さに対するプレート表面平面度変動の比率である。
【０６３１】
ＣＲＯＦプロセスにおける用語「最終試料厚さ」とは、別段の指定がない限り、ＣＯＲＦプロセスにおけるプレートの閉鎖構成における試料の厚さを指す。
【０６３２】
ＣＲＯＦにおける用語「圧縮法」とは、２枚のプレートを開放構成から閉鎖構成に至らせる方法を指す。
【０６３３】
プレートの「対象区域」または「関心対象区域」とは、プレートが果たす機能に関連するプレートの区域を指す。
【０６３４】
用語「最大で」は、「以下」を意味する。たとえば、スペーサ高さが最大で１μｍとは、スペーサ高さが１μｍ以下であることを意味する。
【０６３５】
用語「試料区域」とは、プレート間の空間に対してほぼ平行かつ試料厚さに対して垂直な方向の試料の区域を意味する。
【０６３６】
用語「試料厚さ」とは、互いに対面するプレートの表面に対して垂直な方向（たとえばプレート間隔の方向）の試料寸法を指す。
【０６３７】
用語「プレート間隔」とは、２枚のプレートの内面間の距離を指す。
【０６３８】
ＣＲＯＦにおける用語「最終試料厚さの偏差」とは、所定のスペーサ高さ（スペーサの製造から決定）と最終試料厚さの平均との差を意味する。平均最終試料厚さは所与の区域で平均化される（たとえば、１．６ｃｍ×１．６ｃｍ区域上の２５の異なる地点（４ｍｍ離間）の平均）。
【０６３９】
ＣＲＯＦプロセスにおける用語「測定された最終試料厚さの均一さ」とは、所与の試料区域上で測定された最終試料厚さの標準偏差（たとえば、平均に対する標準偏差）を意味する。
【０６４０】
ＣＲＯＦプロセスにおける用語「試料の適切な量」および「試料の適切な区域」とは、それぞれ、それぞれの方法またはデバイスによって実施される機能に関連する、ＣＲＰＦプロセス中にプレートに付着された試料の一部分または全量の量および区域を指し、機能は、分析対象物または実体の結合時間の短縮、分析対象物の検出、量の定量化、濃度の定量化、試薬の混合または濃度（分析対象物、実体または試薬）の制御を含むが、これらに限定されない。
【０６４１】
用語「いくつかの態様」、「いくつかの態様における」、「本発明における、いくつかの態様における」、「態様」、「１つの態様」、「もう１つの態様」、「特定の態様」、「多くの態様」などは、別段の記述がない限り、開示全体（すなわち発明全体）に適用される態様を指す。
【０６４２】
ＣＲＯＦプロセスにおける物体の「高さ」または「厚さ」とは、別段の記述がない限り、プレートの表面に対して垂直な方向にある物体の寸法を指す。たとえば、スペーサ高さは、プレートの表面に対して垂直な方向のスペーサの寸法であり、スペーサ高さとスペーサ厚さは同じものを指す。
【０６４３】
ＣＲＯＦプロセスにおける物体の「区域」とは、別段の記述がない限り、プレートの表面に対して平行である物体の区域を指す。たとえば、スペーサ区域は、プレートの表面に対して平行であるスペーサの区域である。
【０６４４】
ＣＲＯＦプロセスにおける「横方向」または「横方向に」とは、別段の記述がない限り、プレートの表面に対して平行である方向を指す。
【０６４５】
ＣＲＯＦプロセスにおけるスペーサの「幅」とは、別段の記述がない限り、スペーサの横方向寸法を指す。
【０６４６】
用語「試料内のスペーサ」とは、スペーサが試料によって包囲されていることを意味する（たとえば、試料内のピラースペーサ）。
【０６４７】
ＣＲＯＦプロセスにおけるプレートの「臨界曲げスパン」とは、所与の可撓性プレート、試料および圧縮力の場合にプレートの曲げが許容曲げに等しくなる、２つの支持体の間のプレートのスパン（すなわち距離）を指す。たとえば、所与の可撓性プレート、試料および圧縮力の場合に許容曲げが５０ｎｍであり、臨界曲げスパンが４０μｍであるならば、４０μｍ離れた２つの隣接するスペーサ間のプレートの曲げは５０ｎｍになり、２つの隣接するスペーサが４０μｍ未満であるならば、曲げは５０ｎｍ未満になる。
【０６４８】
試料の「流動性」とは、試料の厚さが減ると、横方向寸法が増すことを意味する。たとえば、便試料は流動性と見なされる。
【０６４９】
本発明のいくつかの態様において、ＣＲＯＦプロセス下の試料は、ＣＲＯＦプロセス下で試料厚さを減らすことができる限り、プロセスの恩恵を得るために流動性である必要はない。たとえば、ＣＲＯＦプレートの表面に色素を付けることによって組織を染色するために、ＣＲＯＦプロセスは、組織厚さを減らし、ひいては、色素による染色のための飽和インキュベーション時間を加速することができる。
【０６５０】
用語「ＣＲＯＦカード（またはカード）」、「ＣＯＦカード」、「ＱＭＡＸカード」、「Ｑカード」、「ＣＲＯＦデバイス」、「ＣＯＦデバイス」、「ＱＭＡＸデバイス」、「ＣＲＯＦプレート」、「ＣＯＦプレート」および「ＱＭＡＸプレート」は互換可能であるが、いくつかの態様において、ＣＯＦカードはスペーサを含まない。これらの語は、互いに対し、異なる構成（開放構成および閉鎖構成を含む）へと動くことができる第１プレートおよび第２のプレートを含み、プレートの間隔を調節するスペーサを含む（ＣＯＦのいくつかの態様を除き）デバイスを指す。用語「Ｘプレート」とは、ＣＲＯＦカード中の２枚のプレートの、スペーサが固定されている一方を指す。ＣＯＦカード、ＣＲＯＦカードおよびＸプレートのさらなる説明は、あらゆる趣旨に関して参照により本明細書に組み入れられる、２０１７年２月７日に出願された仮出願番号６２／４５６０６５に記載されている。
【０６５１】
追加の留意点
本開示による本発明の主題のさらなる例は、以下に列挙される段落に記載される。
【０６５２】
本明細書および添付の特許請求の範囲で使用される場合、単数形「１つの（ａ）」、「１つの（ａｎ）」、および「その（ｔｈｅ）」は、「単一」という語が使用される場合などの文脈がそうではないことを明確に指示しない限り、複数の指示対象を含むことに留意しなければならない。例えば、「分析物」への言及は単一の分析物および複数の分析物を含み、「捕捉剤」への言及は単一の捕捉剤および複数の捕捉剤を含み、「検出剤」への言及は単一の検出剤および複数の検出剤を含み、「剤」への言及には、単一の剤および複数の剤を含む。
【０６５３】
本明細書で使用される場合、「適合させる」および「構成される」という用語は、要素、構成要素、または他の対象物が所与の機能を果たすように設計および／または意図されることを意味する。したがって、「適応された」および「構成された」という用語の使用は、所与の要素、構成要素、または他の主題が所与の機能を単に実行する「ことができる」ことを意味すると解釈されるべきではない。同様に、特定の機能を実行するように構成されていると列挙されている主題は、加えてまたは代替として、その機能を実行するように作動するものとして説明され得る。
【０６５４】
本明細書で使用される、「例えば」という語句、「例として」という語句、ならびに／または単に「例」および「例示」という用語は、本開示による１つ以上の構成要素、特徴、詳細、構造、実施形態、および／または方法に関して使用される場合、記載される構成要素、特徴、詳細、構造、実施形態、および／または方法が、本開示による構成要素、特徴、詳細、構造、実施形態、および／または方法の例示的で非排他的な例であることを伝えることを意図している。したがって、説明される構成要素、機能、詳細、構造、実施形態、および／または方法は、限定的、必須、または排他的／網羅的であることを意図しておらず、構造的および／または機能的に類似および／または同等の構成要素、機能、詳細、構造、実施形態、および／または方法を含む他の構成要素、機能、詳細、構造、実施形態、および／または方法も、本開示の範囲内である。
【０６５５】
本明細書で使用される、２つ以上の実体のリストに関して「〜の少なくとも１つ」および「〜の１つ以上」という語句は、実体のリスト内の実体の任意の１つ以上を意味し、実体のリスト内に具体的に列記されているあらゆる実体の少なくとも１つに限定されない。例えば、「ＡおよびＢの少なくとも１つ」（または、同等に「ＡまたはＢの少なくとも１つ」、または同等に「Ａおよび／またはＢの少なくとも１つ」）は、Ａのみ、Ｂのみ、またはＡおよびＢの組み合わせを指す場合がある。
【０６５６】
本明細書で使用される、第１の実体と第２の実体との間に置かれる「および／または」という用語は、（１）第１の実体、（２）第２の実体、ならびに（３）第１の実体および第２の実体の１つを意味する。「および／または」により列記された複数の実体は、同じように、つまり、そのように結合された実体の「１つ以上」と解釈されるべきである。具体的に特定されたそれらの実体に関連するか無関係であるかにかかわらず、「および／または」節で具体的に特定された実体以外に、他の実体が任意選択で存在する場合がある。
【０６５７】
数値範囲が本明細書で言及される場合、本発明は、エンドポイントが含まれる実施形態、両方のエンドポイントが除外される実施形態、および一方のエンドポイントが含まれ他方が除外される実施形態を含む。特に指定のない限り、両方のエンドポイントが含まれると想定するべきである。さらに、特に指示のない限り、または文脈および当業者の理解から明白でない限り。
【０６５８】
任意の特許、特許出願、または他の参考文献が、参照により本明細書に組み込まれ、かつ（１）本開示の組み込まれていない部分または他の組み込まれた参考文献のいずれかと矛盾する方法で用語を定義する場合、および／または（２）本開示の組み込まれない部分または他の組み込まれた参考文献のいずれかと別様に矛盾する場合、本開示の組み込まれていない部分が優先するものとし、本明細書における用語または組み込まれた開示は、その用語が定義されている、および／または組み込まれた開示が元々存在していた参考文献に関してのみ優先するものとする。
【０６５９】
本開示を読むと当業者には明らかであるように、本明細書で説明および図示される個々の実施形態のそれぞれは、本教示の範囲または精神から逸脱することなく他のいくつかの実施形態のうちのいずれかの特徴から容易に分離またはそれと組み合わせることができる個別の構成要素および特徴を有する。任意の列挙された方法は、列挙された事象の順序、または論理的に可能な任意の他の順序で実施され得る。
【０６６０】
当業者は、本発明が、その応用において、構造の詳細、構成要素の配置、カテゴリー選択、重み付け、所定の信号制限、または本明細書における説明もしくは図面に記載されたステップに限定されないことを理解するであろう。本発明は、他の実施形態が可能であり、多くの異なる方法で実施または実行することができる。
【０６６１】
本開示の様々な態様の実施は、別段の指示がない限り、当技術分野の技能の範囲内である、免疫学、生化学、化学、分子生物学、微生物学、細胞生物学、ゲノミクスおよび組換えＤＮＡの従来技術を用いる。Ｇｒｅｅｎ  ａｎｄ  Ｓａｍｂｒｏｏｋ，  ＭＯＬＥＣＵＬＡＲ  ＣＬＯＮＩＮＧ：  Ａ  ＬＡＢＯＲＡＴＯＲＹ  ＭＡＮＵＡＬ，  ４ｔｈ  ｅｄｉｔｉｏｎ  （２０１２）；ＣＵＲＲＥＮＴ  ＰＲＯＴＯＣＯＬＳ  ＩＮ  ＭＯＬＥＣＵＬＡＲ  ＢＩＯＬＯＧＹ  （Ｆ．  Ｍ．  Ａｕｓｕｂｅｌ，  ｅｔ  ａｌ．  ｅｄｓ．，  （１９８７））；ｔｈｅ  ｓｅｒｉｅｓ  ＭＥＴＨＯＤＳ  ＩＮ  ＥＮＺＹＭＯＬＯＧＹ  （Ａｃａｄｅｍｉｃ  Ｐｒｅｓｓ，  Ｉｎｃ．）：  ＰＣＲ  ２：  Ａ  ＰＲＡＣＴＩＣＡＬ  ＡＰＰＲＯＡＣＨ  （Ｍ．  Ｊ．  ＭａｃＰｈｅｒｓｏｎ，  Ｂ．  Ｄ．  Ｈａｍｅｓ  ａｎｄ  Ｇ．  Ｒ．  Ｔａｙｌｏｒ  ｅｄｓ．  （１９９５））；Ｈａｒｌｏｗ  ａｎｄ  Ｌａｎｅ，  ｅｄｓ．  （１９８８）  ＡＮＴＩＢＯＤＩＥＳ，  Ａ  ＬＡＢＯＲＡＴＯＲＹ  ＭＡＮＵＡＬおよびＡＮＩＭＡＬ  ＣＥＬＬ  ＣＵＬＴＵＲＥ  （Ｒ．  Ｉ．  Ｆｒｅｓｈｎｅｙ，  ｅｄ．  （１９８７））を参照すること。
【０６６２】
関連文書および追加の例
本発明は、様々な構成要素が互いに矛盾しない限り、複数の方法で組み合わせることができる様々な実施形態を含む。実施形態は、単一の発明出願とみなされるべきであり、各出願は、個別に独立しているものとしてではなく、参考文献として他の出願を有し、その全体およびすべての目的のためにも参照される。これらの実施形態は、現在の出願の開示だけでなく、本明細書で参照されるか、組み込まれるか、または優先権が主張される文書も含む。
【０６６３】
（１）定義
本明細書で開示されるデバイス／装置、システム、および方法の説明に使用される用語は、現在の出願、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において定義されている。
【０６６４】
「ＣＲＯＦカード（またはカード）」、「ＣＯＦカード」、「ＱＭＡＸカード」、「Ｑカード」、「ＣＲＯＦデバイス」、「ＣＯＦデバイス」、「ＱＭＡＸデバイス」、「ＣＲＯＦプレート」、「ＣＯＦプレート」、および「ＱＭＡＸプレート」という用語は、交換可能であるが、例外として、いくつかの実施形態では、ＣＯＦカードはスペーサを含まず、また、これらの用語は、異なる構成（開放構成および閉鎖構成を含む）へと互いに相対的に移動可能な第１のプレートと、第２のプレートと、を備え、かつプレート間の間隔を調節するスペーサ（ＣＯＦカードのいくつかの実施形態を除く）を備えるデバイスを指す。「Ｘプレート」という用語は、ＣＲＯＦカードの２つのプレートのうちの１つを指し、スペーサはこのプレートに固定されている。ＣＯＦカード、ＣＲＯＦカード、およびＸプレートのさらなる説明は、２０１７年２月７日に出願された仮出願第６２／４５６０６５号に記載されており、全ての目的のためにその全体が本明細書に組み込まれる。
【０６６５】
（２）試料
本明細書に開示されるデバイス／装置、システム、および方法は、様々な種類の試料の操作および検出に適用することができる。試料は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０６６６】
本明細書で開示されるデバイス、装置、システム、および方法は、これらに限定されないが、診断試料、臨床試料、環境試料、および食品試料などの試料に使用することができる。試料の種類には、これらに限定されないが、それぞれ２０１６年８月１０日および２０１６年９月１４日に出願され、それらの全体において参照により本明細書に組み込まれるＰＣＴ出願（米国指定）第ＰＣＴ／ＵＳ２０１６／０４５４３７号および第ＰＣＴ／ＵＳ０２１６／０５１７７５号に列挙、説明、および／または要約されている試料を含む。
【０６６７】
例えば、いくつかの実施形態では、本明細書で開示されるデバイス、装置、システム、および方法は、細胞、組織、体液、および／またはそれらの混合物を含む試料に使用される。いくつかの実施形態では、試料はヒトの体液を含む。いくつかの実施形態では、試料は、細胞、組織、体液、糞便、羊水、房水、硝子体液、血液、全血、画分血液、血漿、血清、母乳、脳脊髄液、耳垢（ｃｅｒｕｍｅｎ）、乳糜、糜汁、内リンパ、外リンパ、糞便、息、胃酸、胃液、リンパ、粘液、鼻漏、痰、心膜液、腹膜液、胸膜液、膿、粘膜分泌物、唾液、皮脂、精液、痰、汗、滑液、涙、嘔吐物、尿、および呼気凝縮物のうちの少なくとも１つを含む。
【０６６８】
いくつかの実施形態では、本明細書に開示されるデバイス、装置、システム、および方法は、以下に限定されないが、河川、湖、池、海、氷河、氷山、雨、雪、下水、貯水池、水道水、または飲料水などの任意の好適な供給源から得られる環境試料；土壌、堆肥、砂、岩、コンクリート、木材、レンガ、下水などからの固体試料；および空気、水中熱排気口、産業排気、車両排気などの気体試料に使用される。ある特定の実施形態では、環境試料は、供給源からの新鮮なものであり、ある特定の実施形態では、環境試料は処理される。例えば、液体ではない試料は、主題のデバイス、装置、システム、および方法が適用される前に液体に変換される。
【０６６９】
いくつかの実施形態では、本明細書に開示されるデバイス、装置、システム、および方法は、動物の消費、例えば、人間の消費に好適であるか、または好適となる可能性を有する食品試料に使用される。いくつかの実施形態では、食品試料は、生の材料、調理済みまたは処理済みの食品、植物および動物源の食糧、前処理済みの食品、ならびに部分的または完全に処理済みの食品などを含む。ある特定の実施形態では、液体ではない試料は、主題のデバイス、装置、システム、および方法が適用される前に液体に変換される。
【０６７０】
主題のデバイス、装置、システム、および方法を使用して、任意の体積の試料を分析することができる。体積の例は、これらに限定されないが、約１０ｍＬ以下、５ｍＬ以下、３ｍＬ以下、１マイクロリットル（μＬ、本明細書では「ｕＬ」）以下、５００μＬ以下、３００μＬ以下、２５０μＬ以下、２００μＬ以下、１７０μＬ以下、１５０μＬ以下、１２５μＬ以下、１００μＬ以下、７５μＬ以下、５０μＬ以下、２５μＬ以下、２０μＬ以下、１５μＬ以下、１０μＬ以下、５μＬ以下、３μＬ以下、１μＬ以下、０．５μＬ以下、０．１μＬ以下、０．０５μＬ以下、０．００１μＬ以下、０．０００５μＬ以下、０．０００１μＬ以下、１０ｐＬ以下、１ｐＬ以下、または任意の２つの値の間の範囲を含む。
【０６７１】
いくつかの実施形態では、試料の体積は、これらに限定されないが、約１００μＬ以下、７５μＬ以下、５０μＬ以下、２５μＬ以下、２０μＬ以下、１５μＬ以下、１０μＬ以下、５μＬ以下、３μＬ以下、１μＬ以下、０．５μＬ以下、０．１μＬ以下、０．０５μＬ以下、０．００１μＬ以下、０．０００５μＬ以下、０．０００１μＬ以下、１０ｐＬ以下、１ｐＬ以下、または任意の２つの値の間の範囲を含む。いくつかの実施形態では、試料の体積は、これらに限定されないが、約１０μＬ以下、５μＬ以下、３μＬ以下、１μＬ以下、０．５μＬ以下、０．１μＬ以下、０．０５μＬ以下、０．００１μＬ以下、０．０００５μＬ以下、０．０００１μＬ以下、１０ｐＬ以下、１ｐＬ以下、または任意の２つの値の間の範囲を含む。
【０６７２】
いくつかの実施形態において、試料の量は、ほぼ一滴の液体である。ある特定の実施形態では、試料の量は、刺された指または指先から収集された量である。ある特定の実施形態では、試料の量は、マイクロニードル、マイクロピペットまたは静脈吸引から収集された量である。
【０６７３】
ある特定の実施形態では、試料ホルダーは、流体試料を保持するように構成されている。ある特定の実施形態では、試料ホルダーは、流体試料の少なくとも一部を薄い層へと圧縮するように構成されている。ある特定の実施形態では、試料ホルダーは、試料を加熱および／または冷却するように構成されている構造を含む。ある特定の実施形態では、加熱源は、試料ホルダー内のある特定の構造によって吸収されて試料の温度を変化させることができる電磁波を提供する。ある特定の実施形態では、信号センサは、試料からの信号を検出および／または測定するように構成されている。ある特定の実施形態では、信号センサは、試料中の分析物を検出および／または測定するように構成されている。ある特定の実施形態では、ヒートシンクは、試料ホルダーおよび／または加熱源から熱を吸収するように構成されている。ある特定の実施形態では、ヒートシンクは、試料ホルダーを少なくとも部分的に囲むチャンバーを含む。
【０６７４】
（３）Ｑカード、スペーサ、および均一な試料厚さ
本明細書で開示されるデバイス／装置、システム、および方法は、試料の検出、分析、および定量化のために、Ｑカード、スペーサ、および均一な試料厚さの実施形態を含むか、または使用することができる。いくつかの実施形態では、Ｑカードは、試料の少なくとも一部を非常に均一性の層にするのに役立つスペーサを備える。スペーサの構造、材料、機能、変形、および寸法、ならびにスペーサおよび試料層の均一性は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０６７５】
ＱＭＡＸプロセスにおける２つのプレートの「開放構成」という用語は、２つのプレートが部分的または完全のいずれかで離され、プレート間の間隔がスペーサによって調節されない構成を意味する。
【０６７６】
ＱＭＡＸプロセスにおける２つのプレートの「閉鎖構成」という用語は、プレートが互いに向かい合っている構成を意味し、スペーサおよび試料の適切な体積がプレート間にあり、プレート間の適切な間隔、したがって、試料の適切な体積の厚さは、プレートおよびスペーサによって調節され、適切な体積は、試料の全体積の少なくとも一部である。
【０６７７】
ＱＭＡＸプロセスにおける「試料厚さはプレートおよびスペーサによって調節される」という用語は、プレート、試料、スペーサ、プレートの圧縮方法の一定の条件である場合、プレートの閉鎖構成での試料の少なくとも一部の厚さが、スペーサおよびプレートの特性から事前に決定することができることを意味する。
【０６７８】
ＱＭＡＸカードのプレートの「内表面」または「試料表面」という用語は、試料に接触するプレートの表面を指すが、プレートの他の表面（試料に接触しない）は「外表面」と称される。
【０６７９】
ＱＭＡＸプロセスにおける物体の「高さ」または「厚さ」という用語は、特に明記しない限り、プレートの表面に垂直な方向にある物体の寸法を指す。例えば、スペーサの高さは、プレートの表面に垂直な方向にあるスペーサの寸法であり、スペーサの高さおよびスペーサの厚さは同じことを意味する。
【０６８０】
ＱＭＡＸプロセスにおける物体の「面積」という用語は、特に明記しない限り、プレートの表面に平行な物体の区域を指す。例えば、スペーサ面積は、プレートの表面に平行なスペーサの面積である。
【０６８１】
ＱＭＡＸカードという用語は、試料に対してＱＭＡＸ（例えば、ＣＲＯＦ）プロセスを行い、２つのプレートを接続するヒンジを有する、または有しないデバイスを指す。
【０６８２】
「ヒンジを備えるＱＭＡＸカード」および「ＱＭＡＸカード」という用語は交換可能である。
【０６８３】
「角度を自己維持する」、「角度の自己維持」、または「回転角度の自己維持」という用語は、プレートを最初の角度からその角度に動かす外力が取り除かれた後に２つのプレート間の角度を実質的に維持するヒンジの特性を指す。
【０６８４】
ＱＭＡＸカードを使用する場合、試料の付着のために２つのプレートを最初に開く必要がある。しかしながら、いくつかの実施形態では、パッケージのＱＭＡＸカードは、２枚のプレートが互いに接触しており（例えば、近接位置）、一方または両方のプレートが非常に薄いため、それらを分離することは困難である。ＱＭＡＸカードの開口部を容易にするために、第１のプレートまたは両方のプレートの端部または角に開口ノッチが作成され、プレートの近接位置で、第２のプレートの一部が開口ノッチの上に配置され、したがって、第１のプレートのノッチにおいて、第２のプレートは、第１のプレートをブロックすることなく持ち上げて開くことができる。
【０６８５】
ＱＭＡＸアッセイプラットフォームにおいて、ＱＭＡＸカードは、２つのプレートを使用して試料の形状を操作して薄い層にする（例えば、圧縮することにより）。ある特定の実施形態では、プレートの操作は、ヒトの手または他の外力によって２つのプレートの相対位置（プレート構成と呼ばれる）を数回変更する必要がある。手による操作を簡単かつ迅速にするように、ＱＭＡＸカードを設計する必要がある。
【０６８６】
ＱＭＡＸアッセイでは、プレート構成の１つは開放構成であり、開放構成では、２つのプレートが完全または部分的に離され（プレート間の間隔はスペーサによって制御されない）、試料が付着し得る。別の構成は閉鎖構成であり、開放構成において付着した試料の少なくとも一部が、２つのプレートによって非常に均一な厚さの層に圧縮され、層の均一な厚さが、プレートの内表面によって限定され、プレートおよびスペーサによって調節される。いくつかの実施形態では、２つのプレートの間の平均間隔は３００μｍを超える。
【０６８７】
ＱＭＡＸアッセイ操作では、オペレーターは、最初に２つのプレートを開放構成で試料付着ができるようにし、次いでプレートの一方または両方に試料を付着させて、最後にプレートを閉鎖位置に閉じる必要がある。ある特定の実施形態では、ＱＭＡＸカードの２つのプレートは、最初は互いの上部にあり、試料付着のために離されて開放構成にする必要がある。プレートの１つが薄いプラスチック膜（厚さ１７５μｍのＰＭＡ）である場合、このような分離は手で行うのが困難であり得る。本発明は、ＱＭＡＸカードアッセイなどのある特定のアッセイの操作を容易かつ迅速にするデバイスおよび方法を提供することを意図している。
【０６８８】
いくつかの実施形態では、ＱＭＡＸデバイスは、２つ以上のプレートを一緒に接続するヒンジを備え、そのため、プレートは本と同様に開閉できる。いくつかの実施形態では、ヒンジの材料は、ヒンジがプレート間の角度を調節後に自己維持する（ｓｅｌｆ−ｍａｉｎｔａｉｎ）ことができるようする。いくつかの実施形態では、ヒンジは、２つのプレートを偶発的に分離させることなく、ＱＭＡＸカード全体をカードスロットにスライドインおよびスライドアウトすることができるように、ＱＭＡＸカードを閉鎖構成に維持するように構成されている。いくつかの実施形態では、ＱＭＡＸデバイスは、３つ以上のプレートの回転を制御することができる１つ以上のヒンジを含む。
【０６８９】
いくつかの実施形態では、ヒンジは、金、銀、銅、アルミニウム、鉄、スズ、白金、ニッケル、コバルト、合金、またはそれらの任意の組み合わせからなる群から選択される金属材料で作られている。いくつかの実施形態では、ヒンジは、プラスチックなどであるがこれに限定されないポリマー材料から作られる単一層を含む。ポリマー材料は、アクリレートポリマー、ビニルポリマー、オレフィンポリマー、セルロースポリマー、非セルロースポリマー、ポリエステルポリマー、ナイロン、環状オレフィンコポリマー（ＣＯＣ）、ポリ（メチルメタクリレート）（ＰＭＭＢ）、ポリカーボネート（ＰＣ）、環状オレフィンポリマー（ＣＯＰ）、液晶ポリマー（ＬＣＰ）、ポリアミド（ＰＢ）、ポリエチレン（ＰＥ）、ポリイミド（ＰＩ）、ポリプロピレン（ＰＰ）、ポリ（フェニレンエーテル）（ＰＰＥ）、ポリスチレン（ＰＳ）、ポリオキシメチレン（ＰＯＭ）、ポリエーテルエーテルケトン（ＰＥＥＫ）、ポリエーテルスルホン（ＰＥＳ）、ポリ（エチレンフタレート）（ＰＥＴ）、ポリテトラフルオロエチレン（ＰＴＦＥ）、ポリ塩化ビニル（ＰＶＣ）、ポリフッ化ビニリデン（ＰＶＤＦ）、ポリブチレンテレフタレート（ＰＢＴ）、フッ化エチレンプロピレン（ＦＥＰ）、ペルフルオロアルコキシアルカン（ＰＦＢ）、ポリジメチルシロキサン（ＰＤＭＳ）、ゴム、またはそれらの任意の組み合わせからなる群から選択される。いくつかの実施形態では、ポリマー材料は、ポリスチレン、ＰＭＭＢ、ＰＣ、ＣＯＣ、ＣＯＰ、他のプラスチック、またはそれらの任意の組み合わせから選択される。
【０６９０】
本質的に、「スペーサ」または「ストッパ」という用語は、特に明記しない限り、２つのプレート間に置いたときに、２つのプレートを一緒に圧縮したときに到達され得る２つのプレート間の最小間隔の制限を設定する機械物体を指す。すなわち、圧縮において、スペーサは２つのプレートの相対移動を停止させ、プレート間隔が事前設定（すなわち所定）値よりも小さくなるのを防ぐ。
【０６９１】
「スペーサは所定の高さを有する」および「スペーサは所定のスペーサ間距離を有する」という用語は、それぞれ、ＱＭＡＸプロセスの前にスペーサの高さおよびスペーサ間距離の値が既知であることを意味する。スペーサの高さとスペーサ間距離の値がＱＭＡＸプロセスの前にわからない場合は、事前に決定されない。例えば、ビーズがスペーサとしてプレートにスプレーされ、ビーズがプレートのランダムな位置に着地する場合、スペーサ間距離は事前に決定されない。スペーサ間距離が事前に決定されていない別の例は、ＱＭＡＸプロセス中にスペーサが移動する場合である。
【０６９２】
ＱＭＡＸプロセスにおける「スペーサがそれぞれのプレート上に固定される」という用語は、スペーサがプレートの位置に取り付けられ、その位置への取り付けがＱＭＡＸプロセスの間維持されることを意味する（すなわち、それぞれのプレート上のスペーサの位置は変化しない）。「スペーサがそのそれぞれのプレートで固定されている」例は、スペーサがプレートの材料の一部品で一体に作られており、プレート表面に対するスペーサの位置がＱＭＡＸプロセスの間に変化しないことである。「スペーサがそのそれぞれのプレートで固定されていない」例は、スペーサがプレートに接着剤で接着されているが、プレートの使用中、ＱＭＡＸプロセスの間に、接着剤はスペーサをプレート表面上のその元の位置で保持できず、スペーサは、プレート表面上のその元の位置から移動する。
【０６９３】
いくつかの実施形態では、ヒトの手を使用してプレートを閉鎖構成へと押圧することができ、いくつかの実施形態では、ヒトの手を使用して、試料を薄い層へと押圧することができる。手押圧が用いられる様式は、２０１６年８月１０日に出願されたＰＣＴ出願（米国指定）第ＰＣＴ／ＵＳ２０１６／０４５４３７号および２０１６年９月１４日に出願された第ＰＣＴ／ＵＳ０２１６／０５１７７５号、ならびに２０１６年１２月９日に出願された米国仮出願第６２／４３１，６３９号、２０１７年２月８日に出願された第６２／４５６，２８７号、２０１７年２月７日に出願された第６２／４５６，０６５号、２０１７年２月８日に出願された第６２／４５６，５０４号、および２０１７年２月１６日に出願された第６２／４６０，０６２号に記載および／または要約されており、これらは全てそれらの全体において参照により本明細書に組み込まれる。
【０６９４】
いくつかの実施形態では、ヒトの手を使用して、ＱＭＡＸデバイスのプレートを操作または扱うことができる。ある特定の実施形態では、ヒトの手を使用して不正確な力を加えて、プレート開放構成から閉鎖構成へと圧縮することができる。ある特定の実施形態では、ヒトの手を使用して不正確な力を加えて、試料の厚さの高いレベルの均一性（例えば、５％、１０％、１５％、または２０％未満の変動）を達成することができる。
【０６９５】
（４）ヒンジ、開口ノッチ、陥凹端部、およびスライダ
本明細書で開示されるデバイス／装置、システム、および方法は、試料の検出、分析、および定量化のために、Ｑカードを含むか、または使用することができる。いくつかの実施形態では、Ｑカードは、Ｑカードの操作および試料の測定を容易にするのに役立つヒンジ、ノッチ、陥凹、およびスライダを備える。ヒンジ、ノッチ、陥凹、およびスライダの構造、材料、機能、変形、および寸法は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１６年１２月９日に出願された米国仮出願第６２／４３１６３９号、２０１７年２月７日に出願された米国仮出願第６２／４５６０６５号、２０１７年２月８日に出願された米国仮出願第６２／４５６２８７号および第６２／４５６５０４号、ならびに２０１７年８月１日に出願された米国仮出願第６２／５３９６６０号に列挙、説明、および／または要約されており、これらの出願の全ては、全ての目的のためにそれらの全体において本明細書に組み込まれる。
【０６９６】
いくつかの実施形態では、ＱＭＡＸデバイスは、これに限定するものではないが、プレートのエッジにおけるノッチまたはプレートに取り付けられたストリップなどのオープニング用機構を備え、これにより、限定するものではないが手によってプレートを離すなど、ユーザがプレートの位置調整をより簡単に操作することができるようになる。
【０６９７】
いくつかの実施形態では、ＱＭＡＸデバイスは、プレートの一方または両方に溝を備える。ある特定の実施形態では、溝は、プレート上の試料の流れを制限する。
【０６９８】
（５）Ｑカードおよびアダプタ
本明細書で開示されるデバイス／装置、システム、および方法は、試料の検出、分析、および定量化のために、Ｑカードを含むか、または使用することができる。いくつかの実施形態では、Ｑカードは、Ｑカードを収容し、モバイルデバイスに接続するように構成されているアダプタと共に使用され、Ｑカード内の試料を、モバイルデバイスによって撮像、分析、および／または測定できるようにする。Ｑカード、アダプタ、およびモバイルの構造、材料、機能、変形、および寸法は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号および第６２／４５６５９０号、２０１７年２月８日に出願された米国仮出願６２／４５６５０４号、２０１７年２月１５日に出願された米国仮出願第６２／４５９，５４４号、ならびに２０１７年２月１６日に出願された米国仮出願第６２／４６００７５号および第６２／４５９９２０号に列挙、説明、および／または要約されており、これらの出願の全ては、全ての目的のためにそれらの全体において本明細書に組み込まれる。
【０６９９】
いくつかの実施形態では、アダプタは、デバイスが閉鎖構成にあるときにＱＭＡＸデバイスを収容するように構成されているレセプタクルスロットを備える。ある特定の実施形態では、ＱＭＡＸデバイスは、その中に付着した試料を有し、アダプタがモバイルデバイス（例えば、スマートフォン）に接続されて、試料がモバイルデバイスによって読み取られ得る。ある特定の実施形態では、モバイルデバイスは、試料からの信号を検出および／または分析することができる。ある特定の実施形態では、モバイルデバイスは、試料がＱＭＡＸデバイス内にあり、ある特定の実施形態ではモバイルデバイスの一部であるカメラの視野（ＦＯＶ）に位置するときに、試料の画像をキャプチャすることができる。
【０７００】
いくつかの実施形態では、アダプタは、試料からの信号の生成を強化、拡大、および／または最適化するように構成されている光学部品を備える。いくつかの実施形態では、光学部品は、試料に提供される照明を強化、拡大、および／または最適化するように構成されている部品を含む。ある特定の実施形態では、照明は、モバイルデバイスの一部である光源によって提供される。いくつかの実施形態では、光学部品は、試料からの信号を強化、拡大、および／または最適化するように構成されている部品を含む。
【０７０１】
（６）スマートフォン検出システム
本明細書で開示されるデバイス／装置、システム、および方法は、試料の検出、分析、および定量化のために、Ｑカードを含むか、または使用することができる。いくつかの実施形態では、Ｑカードは、Ｑカードをスマートフォン検出システムと接続することができるアダプタと共に使用される。いくつかの実施形態では、スマートフォンは、カメラおよび／または照明源を備える。スマートフォン検出システム、ならびに関連ハードウェアおよびソフトウェアは、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号および第６２／４５６５９０号、２０１７年２月８日に出願された米国仮出願６２／４５６５０４号、２０１７年２月１５日に出願された米国仮出願第６２／４５９，５４４号、ならびに２０１７年２月１６日に出願された米国仮出願第６２／４６００７５号および第６２／４５９９２０号に列挙、説明、および／または要約されており、これらの出願の全ては、全ての目的のためにそれらの全体において本明細書に組み込まれる。
【０７０２】
いくつかの実施形態では、スマートフォンはカメラを備え、これは、試料がカメラの視野内に配置されたとき（例えば、アダプタによって）に画像または試料をキャプチャするために使用され得る。ある特定の実施形態では、カメラは、１セットのレンズ（例えば、ｉＰｈｏｎｅ（商標）６にあるような）を備える。ある特定の実施形態では、カメラは、少なくとも２セットのレンズ（例えば、ｉＰｈｏｎｅ（商標）７にあるような）を備える。いくつかの実施形態では、スマートフォンはカメラを備えるが、カメラは画像キャプチャに使用されない。
【０７０３】
いくつかの実施形態では、スマートフォンは、これに限定されないが、ＬＥＤ（発光ダイオード）などの光源を備える。ある特定の実施形態では、光源は、試料がカメラの視野内に配置されたとき（例えば、アダプタによって）に試料に照明を提供するために使用される。いくつかの実施形態では、光源からの光は、アダプタの光学部品によって強化、拡大、変更、および／または最適化される。
【０７０４】
いくつかの実施形態では、スマートフォンは、試料からの情報を処理するように構成されたプロセッサを備える。スマートフォンは、プロセッサによって実行されると、試料からの信号（例えば、画像）を強化、拡大、および／または最適化することができるソフトウェアの命令を含む。プロセッサは、中央処理デバイス（ＣＰＵ）、特定用途向け集積回路（ＡＳＩＣ）、特定用途向け命令セットプロセッサ（ＡＳＩＰ）、グラフィックス処理デバイス（ＧＰＵ）、物理処理デバイス（ＰＰＵ）、デジタルシグナルプロセッサ（ＤＳＰ）、フィールドプログラマブルゲートアレイ（ＦＰＧＡ）、プログラマブルロジックデバイス（ＰＬＤ）、コントローラ、マイクロコントローラユニット、縮小命令セットコンピュータ（ＲＩＳＣ）、マイクロプロセッサなど、またはそれらの任意の組み合わせなどの１つ以上のハードウェア部品を含み得る。
【０７０５】
いくつかの実施形態では、スマートフォンは、試料に関連するデータおよび／または画像を別のデバイスに送信するように構成および／または使用される通信ユニットを備える。単なる例として、通信ユニットは、ケーブルネットワーク、有線ネットワーク、光ファイバーネットワーク、電気通信ネットワーク、イントラネット、インターネット、ローカルエリアネットワーク（ＬＡＮ）、ワイドエリアネットワーク（ＷＡＮ）、無線ローカルエリアネットワーク（ＷＬＡＮ）、メトロポリタンエリアネットワーク（ＭＡＮ）、ワイドエリアネットワーク（ＷＡＮ）、公衆電話交換網（ＰＳＴＮ）、Ｂｌｕｅｔｏｏｔｈネットワーク、ＺｉｇＢｅｅネットワーク、近距離無線通信（ＮＦＣ）ネットワークなど、またはそれらの任意の組み合わせを使用することができる。
【０７０６】
いくつかの実施形態では、スマートフォンは、ｉＰｈｏｎｅ（商標）、Ａｎｄｒｏｉｄ（商標）電話、またはＷｉｎｄｏｗｓ（商標）電話である。
【０７０７】
（７）検出方法
本明細書に開示されるデバイス／装置、システム、および方法は、様々な種類の検出方法を含むか、または使用することができる。検出方法は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、第６２／４５６５２８号、第６２／４５６６３１号、第６２／４５６５２２号、第６２／４５６５９８号、第６２／４５６６０３号、および第６２／４５６６２８号、２０１７年２月９日に出願された米国仮出願６２／４５９２７６号、第６２／４５６９０４号、第６２／４５７０７５号、および第６２／４５７００９号、ならびに２０１７年２月１５日に出願された米国仮出願第６２／４５９３０３号、第６２／４５９３３７号、および第６２／４５９５９８号、ならびに２０１７年２月１６日に出願された米国仮出願第６２／４６００８３号、第６２／４６００７６号に列挙、説明、および／または要約されており、これらの出願の全ては、全ての目的のためにそれらの全体において本明細書に組み込まれる。
【０７０８】
（８）標識、捕捉剤、および検出剤
本明細書に開示されるデバイス／装置、システム、および方法は、分析物検出に使用される様々な種類の標識、捕捉剤、および検出剤を使用することができる。標識は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０７０９】
いくつかの実施形態では、標識は、これに限定されないが蛍光標識など、光学的に検出可能である。いくつかの実施形態では、標識には、これらに限定されないが、ＩＲＤｙｅ８００ＣＷ、Ａｌｅｘａ  ７９０、Ｄｙｌｉｇｈｔ  ８００、フルオレセイン、フルオレセインイソチオシアネート、カルボキシフルオレセインのスクシンイミジルエステル、フルオレセインのスクシンイミジルエステル、フルオレセインジクロロトリアジンの５−異性体、ケージドカルボキシフルオレセイン−アラニン−カルボキシアミド、オレゴングリーン４８８、オレゴングリーン５１４；ルシファーイエロー、アクリジンオレンジ、ローダミン、テトラメチルローダミン、テキサスレッド、ヨウ化プロピジウム、ＪＣ−１（５，５’，６，６’−テトラクロロ−１，１’，３，３’−テトラエチルベンズイミダゾイルカルボシアニンヨウ化物）、テトラブロモローダミン１２３、ローダミン６Ｇ、ＴＭＲＭ（テトラメチルローダミンメチルエステル）、ＴＭＲＥ（テトラメチルローダミンエチルエステル）、テトラメチルロサミン、ローダミンＢおよび４−ジメチルアミノテトラメチルロサミン、緑色蛍光タンパク質、青色にシフトした緑色蛍光タンパク質、シアンにシフトした緑色蛍光タンパク質、赤色にシフトした緑色蛍光タンパク質、黄色にシフトした緑色蛍光タンパク質、４−アセトアミド−４’−イソチオシアナトスチルベン−２，２’ジスルホン酸；アクリジンおよびアクリジン、アクリジンイソチオシアネートなどの誘導体；５−（２’−アミノエチル）アミノナフタレン−１−スルホン酸（ＥＤＡＮＳ）；４−アミノ−Ｎ−［３−ビニルスルホニル）フェニル］ナフタ−アルイミド−３，５ジスルホネート；Ｎ−（４−アニリノ−１−ナフチル）マレイミド；アントラニルアミド；４，４−ジフルオロ−５−（２−チエニル）−４−ボラ−３ａ，４ａジアザ−５−インダセン−３−プロピオン酸ＢＯＤＩＰＹ；カスケードブルー；ブリリアントイエロー；クマリンおよび誘導体：クマリン、７−アミノ−４−メチルクマリン（ＡＭＣ、クマリン１２０）、７−アミノ−４−トリフルオロメチルクマリン（クマリン１５１）；シアニン色素；シアノシン；４’，６−ジアミニジノ−２−フェニルインドール（ＤＡＰＩ）；５’，５’  ’−ジブロモピロガロール−スルホナフタレイン（ブロモピロガロールレッド）；７−ジエチルアミノ−３−（４’−イソチオシアナトフェニル）−４−メチルクマリン；ジエチレントリアアミンペンタアセテート；４，４’−ジイソチオシアナトジヒドロ−スチルベン−２−，２’−ジスルホン酸；４，４’−ジイソチオシアナトスチルベン−２，２’−ジスルホン酸；５−（ジメチルアミノ］ナフタレン−１−スルホニルクロリド（ＤＮＳ、塩化ダンシル）；４−ジメチルアミノフェニルアゾフェニル−４’−イソチオシアネート（ＤＡＢＩＴＣ）；エオシンおよび誘導体：エオシン、エオシンイソチオシアネート、エリスロシンおよび誘導体：エリスロシンＢ、エリスロシン、イソチオシアネート；エチジウム；フルオレセインおよび誘導体：５−カルボキシフルオレセイン（ＦＡＭ）、５−（４，６−ジクロロトリアジン−２−イル）アミノ−−フルオレセイン（ＤＴＡＦ）、２’，７’ジメトキシ−４’５’−ジクロロ−６−カルボキシフルオレセイン（ＪＯＥ）、フルオレセイン、フルオレセインイソチオシアネート、ＱＦＩＴＣ、（ＸＲＩＴＣ）；フルオレスカミン；ＩＲ１４４；ＩＲ１４４６；マラカイトグリーンイソチオシアネート；４−メチルウンベリ−フェノオルトクレソルフタレイン；ニトロチロシン；パラロサニリン；フェノールレッド；Ｂ−フィコエリスリン；ｏ−フタルジアルデヒド；ピレンおよび誘導体：ピレン、ピレン酢酸塩、スクシンイミジル１−ピレン；酪酸塩量子ドット；リアクティブレッド４（Ｃｉｂａｃｒｏｎ（商標）ブリリアントレッド３Ｂ−Ａ）ローダミンおよび誘導体：６−カルボキシ−Ｘ−ローダミン（ＲＯＸ）、６−カルボキシローダミン（Ｒ６Ｇ）、リサミンローダミンＢスルホニルクロリドローダミン（ロード）、ローダミンＢ、ローダミン１２３、ローダミンＸイソチオシアネート、スルホローダミンＢ、スルホローダミン１０１、スルホローダミン１０１の塩化スルホニル誘導体（テキサスレッド）；Ｎ，Ｎ，Ｎ’，Ｎ’−テトラメチル−６−カルボキシローダミン（ＴＡＭＲＡ）；テトラメチルローダミン；テトラメチルホダミンイソチオシアネート（ＴＲＩＴＣ）；リボフラビン；５−（２’−アミノエチル）アミノナフタレン−１−スルホン酸（ＥＤＡＮＳ）、４−（４’−ジメチルアミノフェニルアゾ）安息香酸（ＤＡＢＣＹＬ）、ロゾール酸；ＣＡＬフルオールオレンジ５６０；テルビウムキレート誘導体；Ｃｙ３；Ｃｙ５；Ｃｙ５．５；Ｃｙ７；ＩＲＤ７００；ＩＲＤ８００；ラホーヤブルー；フタロシアニン；ならびにナフタロシアニン、クマリンおよび関連色素、ロドールなどのキサンテン色素、レゾルフィン、ビマン、アクリジン、イソインドール、ダンシル色素、ルミノールなどのアミノフタル酸ヒドラジド、およびイソルミノール誘導体、アミノフタルイミド、アミノナフタルイミド、アミノベンゾフラン、アミノキノリン、ジシアノヒドロキノン、蛍光ユーロピウム、およびテルビウム錯体；それらの組み合わせなどが挙げられる。好適な蛍光タンパク質および発色性タンパク質には、これらに限定されないが、Ａｅｑｕｏｒｉａ  ｖｉｃｔｏｒｉａまたはその誘導体、例えば、Ｅｎｈａｎｃｅｄ  ＧＦＰなどの「ヒト化」誘導体に由来するＧＦＰ；Ｒｅｎｉｌｌａ  ｒｅｎｉｆｏｒｍｉｓ、Ｒｅｎｉｌｌａ  ｍｕｌｌｅｒｉ、またはＰｔｉｌｏｓａｒｃｕｓ  ｇｕｅｒｎｙｉなどの別の種からのＧＦＰ；「ヒト化」組換えＧＦＰ（ｈｒＧＦＰ）；花虫綱の種の様々な蛍光タンパク質および着色タンパク質のうちのいずれか；それらの組み合わせなどが挙げられる。
【０７１０】
任意の実施形態では、ＱＭＡＸデバイスは、米国仮出願第６２／２３４，５３８号および／またはＰＣＴ出願第ＰＣＴ／ＵＳ２０１６／０５４０２５号の表Ｂ１、Ｂ２、Ｂ３、および／またはＢ７から選択されるバイオマーカーにそれぞれ結合する複数の捕捉剤および／または検出剤を含むことができ、読み取りステップｄ）は、試料中の複数のバイオマーカーの量の尺度を得ることを含み、試料中の複数のバイオマーカーの量は、疾患または状態の診断に役立つ。
【０７１１】
任意の実施形態では、捕捉剤および／または検出剤は抗体エピトープであり得、バイオマーカーは抗体エピトープに結合する抗体であり得る。いくつかの実施形態では、抗体エピトープは、米国仮出願第６２／２３４，５３８号および／またはＰＣＴ出願第ＰＣＴ／ＵＳ２０１６／０５４０２５号の表Ｂ４、Ｂ５、またはＢ６から選択される生体分子またはその断片を含む。いくつかの実施形態では、抗体エピトープは、表Ｂ５から選択されるアレルゲンまたはその断片を含む。いくつかの実施形態では、抗体エピトープは、米国仮出願第６２／２３４，５３８号および／またはＰＣＴ出願第ＰＣＴ／ＵＳ２０１６／０５４０２５号の表Ｂ６から選択される感染因子由来生体分子またはその断片を含む。
【０７１２】
任意の実施形態では、ＱＭＡＸデバイスは、米国仮出願第６２／２３４，５３８号および／またはＰＣＴ出願第ＰＣＴ／ＵＳ２０１６／０５４０２５号の表Ｂ４、Ｂ５、および／またはＢ６から選択される複数の抗体エピトープを含むことができ、読み取りステップｄ）は、試料中の複数のエピトープ結合抗体の量の尺度を得ることを含み、試料中の複数のエピトープ結合抗体の量は、疾患または状態の診断に役立つ。
【０７１３】
（９）分析物
本明細書に開示されるデバイス／装置、システム、および方法は、様々な種類の分析物（バイオマーカーを含む）の操作および検出に適用することができる。分析物は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０７１４】
本明細書に開示されるデバイス、装置、システム、および方法は、様々な分析物の検出、精製、および／または定量化に使用することができる。いくつかの実施形態では、分析物は様々な疾患に関連するバイオマーカーである。いくつかの実施形態では、分析物および／またはバイオマーカーは、疾患の存在、重症度、および／または病期を示す。本発明のデバイス、装置、システム、および／または方法で検出および／または測定できる分析物、バイオマーカー、および／または疾患は、２０１６年８月１０日に出願されたＰＣＴ出願（米国指定）第ＰＣＴ／ＵＳ２０１６／０４５４３７号、および２０１６年９月２７日に出願されたＰＣＴ出願第ＰＣＴ／ＵＳ２０１６／０５４０２５号、および２０１５年９月２９日に出願された米国仮出願第６２／２３４，５３８号および２０１５年９月２８日に出願された第６２／２３３，８８５号、２０１６年２月９日に出願された第６２／２９３，１８８号、および２０１６年３月に出願された第６２／３０５，１２３号に列挙、説明、および／または要約されており、これらは全てそれらの全体において参照により本書に組み込まれる。例えば、本明細書に開示されるデバイス、装置、システム、および方法は、（ａ）ある特定の疾患、例えば、感染症および寄生虫病、傷害、心血管疾患、癌、精神疾患、神経精神疾患、ならびに器質性疾患、例えば、肺疾患、腎疾患の病期と相関する化学化合物または生体分子の検出、精製、および定量化、（ｂ）微生物、例えば、環境、例えば、水、土壌、または生体試料、例えば、組織、体液からのウイルス、真菌、および細菌の検出、精製、および定量化、（ｃ）食品の安全性または国家安全保障を危険にさらす化学化合物または生体試料、例えば、毒性廃棄物、の検出、定量化、たとえば毒性廃棄物、炭疽の検出、定量化、（ｄ）医学的または生理学的モニターにおけるバイタルパラメータ、例えば、グルコース、血中酸素レベル、総血球数の定量化、（ｅ）生体試料、例えば、細胞、ウイルス、体液からの特定のＤＮＡまたはＲＮＡの検出および定量化、（ｆ）ゲノム解析のための染色体およびミトコンドリアのＤＮＡの遺伝子配列の配列決定および比較、または（ｇ）例えば、医薬品の合成または精製中の反応生成物の検出において使用され得る。
【０７１５】
いくつかの実施形態では、分析物は、バイオマーカー、環境マーカー、または食品マーカーであり得る。いくつかの場合では、試料は液体試料であり、診断試料（唾液、血清、血液、尿、汗、涙、精液、または粘液など）；川、海、湖、雨、雪、下水、下水処理流出、農業排水、産業排水、水道水、もしくは飲料水から得られる環境試料；または水道水、飲料水、調理済み食品、処理済みの食品、もしくは生の食品から得られる食品試料であり得る。
【０７１６】
任意の実施形態では、試料は対象から得られる診断試料であり得、分析物はバイオマーカーであり得、測定される試料中の分析物の量は疾患または状態の診断に役立ち得る。
【０７１７】
任意の実施形態では、本発明のデバイス、装置、システム、および方法は、試料中のバイオマーカーの測定量を含む情報に基づいて対象を診断することをさらに含むことができる。いくつかの場合では、診断ステップは、測定されたバイオマーカーの量を含むデータを遠隔地に送信し、遠隔地からの測定値を含む情報に基づいて診断を受けることを含む。
【０７１８】
任意の実施形態では、バイオマーカーは、米国仮出願第６２／２３４，５３８号、第６２／２９３，１８８号、および／または第６２／３０５，１２３号、および／またはＰＣＴ出願第ＰＣＴ／ＵＳ２０１６／０５４，０２５号に開示されている表Ｂ１、２、３、または７から選択され得、これらは全ての目的のためにそれらの全体において組み込まれる。いくつかの場合では、バイオマーカーは、表Ｂ１、２、または３から選択されるタンパク質である。いくつかの場合では、バイオマーカーは、表Ｂ２、３または７から選択される核酸である。いくつかの場合では、バイオマーカーは、表Ｂ２から選択される感染因子由来バイオマーカーである。いくつかの場合では、バイオマーカーは、表Ｂ７から選択されるマイクロＲＮＡ（ｍｉＲＮＡ）である。
【０７１９】
任意の実施形態では、適用ステップｂ）は、試料からｍｉＲＮＡを単離して単離されたｍｉＲＮＡ試料を生成すること、および単離されたｍｉＲＮＡ試料をディスク結合ドットオンピラーアンテナ（ＱＭＡＸデバイス）アレイに適用することを含み得る。
【０７２０】
任意の実施形態では、ＱＭＡＸデバイスは、表Ｂ１、Ｂ２、Ｂ３、および／またはＢ７から選択されるバイオマーカーとそれぞれ結合する複数の捕捉剤を含むことができ、読み取りステップｄ）は、試料中の複数のバイオマーカーの量の尺度を得ることを含み、試料中の複数のバイオマーカーの量は、疾患または状態の診断に役立つ。
【０７２１】
任意の実施形態では、捕捉剤は抗体エピトープであり得、バイオマーカーは抗体エピトープに結合する抗体であり得る。いくつかの実施形態では、抗体エピトープは、表Ｂ４、Ｂ５、またはＢ６から選択される生体分子またはその断片を含む。いくつかの実施形態では、抗体エピトープは、表Ｂ５から選択されるアレルゲンまたはその断片を含む。いくつかの実施形態では、抗体エピトープは、表Ｂ６から選択される感染因子由来生体分子またはその断片を含む。
【０７２２】
任意の実施形態では、ＱＭＡＸデバイスは、表Ｂ４、Ｂ５、および／またはＢ６から選択される複数の抗体エピトープを含むことができ、読み取りステップｄ）は、試料中の複数のエピトープ結合抗体の量の尺度を得ることを含み、試料中の複数のエピトープ結合抗体の量は、疾患または状態の診断に役立つ。
【０７２３】
任意の実施形態では、試料は環境試料であり得、分析物が環境マーカーであり得る。いくつかの実施形態では、環境マーカーは、米国仮出願第６２／２３４，５３８号および／またはＰＣＴ出願第ＰＣＴ／ＵＳ２０１６／０５４０２５号の表Ｂ８から選択される。
【０７２４】
任意の実施形態では、方法は、試料が得られた環境にさらされる対象の安全性または有害性を示すレポートを受信または提供することを含み得る。
【０７２５】
任意の実施形態では、方法は、測定された環境マーカーの量を含むデータを遠隔地に送信すること、および試料が得られた環境にさらされる対象の安全性または有害性を示すレポートを受信することを含み得る。
【０７２６】
任意の実施形態では、ＱＭＡＸデバイスアレイは、表Ｂ８から選択される環境マーカーにそれぞれ結合する複数の捕捉剤を含むことができ、読み取りステップｄ）は、試料中の複数の環境マーカーの量の測定値を得ることを含むことができる。
【０７２７】
任意の実施形態では、試料は食品試料であり得、分析物は食品マーカーであり得、試料中の食材マーカーの量は、消費する食品の安全性と相関し得る。いくつかの実施形態では、食品マーカーは表Ｂ９から選択される。
【０７２８】
任意の実施形態では、方法は、試料が得られる食品を消費する対象の安全性または有害性を示すレポートを受信または提供することを含み得る。
【０７２９】
任意の実施形態では、方法は、測定された食料マーカーの量を含むデータを遠隔地に送信すること、および試料が得られる食品を消費する対象の安全性または有害性を示すレポートを受信することを含み得る。
【０７３０】
任意の実施形態では、本明細書に開示されるデバイス、装置、システム、および方法は、米国仮出願第６２／２３４，５３８号およびＰＣＴ出願第ＰＣＴ／ＵＳ２０１６／０５４０２５号の表Ｂ９から選択される食品マーカーにそれぞれ結合する複数の捕捉剤を含むことができ、得ることは、試料中の複数の食品マーカーの量の測定値を得ることを含むことができ、試料中の複数の食品マーカーの量は、消費する食品の安全性と相関し得る。
【０７３１】
また、本発明のデバイス、システム、および方法を実施する際に使用を見出すキットも本明細書に提供される。
【０７３２】
試料の量は、試料の約一滴であり得る。試料の量は、刺した指または指先から収集した量であり得る。試料の量は、マイクロニードルまたは静脈吸引から収集した量であり得る。
【０７３３】
試料は、供給源からそれを取得した後、さらに処理することなく使用され得るか、または、例えば、対象の分析物の濃縮、大きな粒子状物質の除去、固体試料の溶解または再懸濁などに処理され得る。
【０７３４】
試料をＱＭＡＸデバイスに適用する任意の好適な方法が用いられ得る。好適な方法は、ピペット、スポイト、シリンジなどを使用することを含み得る。ある特定の実施形態では、以下に説明されるように、ＱＭＡＸデバイスがディップスティック形式の支持体上に位置する場合、ディップスティックの試料受け取り区域を試料に浸漬することによって試料がＱＭＡＸデバイスに適用され得る。
【０７３５】
試料は、一度に、または複数回で収集され得る。経時的に収集された試料は、個別に集約および／または処理され得る（ＱＭＡＸデバイスに適用し、試料中の分析物の量の測定値を得ることによって）。いくつかの場合によっては、経時的に得られた測定値を集約することができ、経時的な縦断的分析に役立ち、スクリーニング、診断、治療、および／または疾患予防を促進することができる。
【０７３６】
上記のように、ＱＭＡＸデバイスを洗浄して未結合の試料構成成分を除去することは、任意の便利な方法で行うことができる。ある特定の実施形態では、結合緩衝剤を使用してＱＭＡＸデバイスの表面を洗浄し、未結合の試料構成成分を除去する。
【０７３７】
分析物の検出可能な標識は、任意の便利な方法で行うことができる。分析物は、直接または間接的に標識され得る。直接標識では、試料がＱＭＡＸデバイスに適用される前に、試料中の分析物が標識される。間接標識では、以下に説明されるように、試料がＱＭＡＸデバイスに適用された後に、試料中の非標識分析物が標識され、非標識検体が捕捉される。
【０７３８】
（１０）用途
本明細書に開示されるデバイス／装置、システム、および方法は、様々な用途（分野および試料）に使用することができる。用途は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０７３９】
いくつかの実施形態では、本明細書に開示されるデバイス、装置、システム、および方法は、様々な分野の様々な異なる用途で使用され、試料中の１つ以上の分析物の有無、定量化、および／または増幅の判定が望ましい。例えば、ある特定の実施形態では、主題のデバイス、装置、システム、および方法は、タンパク質、ペプチド、核酸、合成化合物、無機化合物、有機化合物、細菌、ウイルス、細胞、組織、ナノ粒子、およびその他の分子、化合物、混合物、ならびにそれらの物質の検出に使用される。主題のデバイス、装置、システム、および方法が使用され得る様々な分野には、これらに限定されないが、ヒトの疾患および状態の診断、管理、および／または予防、獣医の疾患および状態の診断、管理、および／または予防、植物の疾患または状態の診断、管理、および／または予防、農業用途、獣医学用途、食品検査、環境検査および汚染除去、薬物検査および予防などが挙げられ、使用され得る。
【０７４０】
本発明の用途には、これらに限定されないが、（ａ）特定の疾患、または疾患の特定の病期、例えば、感染症および寄生虫病、傷害、心血管疾患、癌、精神疾患、神経精神疾患、ならびに器質性疾患、例えば、肺疾患、腎疾患の病期と相関する化学化合物または生体分子の検出、精製、定量化、および／または増幅、（ｂ）細胞および／または微生物、例えば、環境、例えば、水、土壌、または生体試料、例えば、組織、体液からのウイルス、真菌、および細菌の検出、精製、定量化、および増幅、（ｃ）食品の安全性、ヒトの健康、または国家安全保障を危険にさらす化学化合物または生体試料、例えば、毒性廃棄物、炭疽の検出、定量化、（ｄ）医学的または生理学的モニターにおけるバイタルパラメータ、例えば、グルコース、血中酸素レベル、総血球数の検出および定量化、（ｅ）生体試料、例えば、細胞、ウイルス、体液の特定のＤＮＡまたはＲＮＡの検出および定量化、（ｆ）ゲノム解析のための染色体およびミトコンドリアのＤＮＡの遺伝子配列の配列決定および比較、または（ｇ）例えば、医薬品の合成または精製中の反応生成物の検出および定量化が挙げられる。
【０７４１】
いくつかの実施形態では、主題のデバイス、装置、システム、および方法は、試料中の核酸、タンパク質、または他の分子もしくは化合物の検出に使用される。ある特定の実施形態では、デバイス、装置、システム、および方法は、例えば、対象の疾患状態の診断、予防、および／または管理に使用されるような、生体試料中の１つ以上、２つ以上、または３つ以上の疾患バイオマーカーの迅速な臨床検出および／または定量化に使用される。ある特定の実施形態では、デバイス、装置、システム、および方法は、環境試料、例えば、川、海、湖、雨、雪、下水、下水処理流出、農業排水、産業排水、水道水または飲料水中の１つ以上、２つ以上、または３つ以上の環境マーカーの検出および／または定量化に使用される。ある特定の実施形態では、デバイス、装置、システム、および方法は、水道水、飲料水、調理済み食品、処理済みの食品、または生の食品から得られる食品試料からの１つ以上、２つ以上、または３つ以上の食品マークの検出および／または定量化に使用される。
【０７４２】
いくつかの実施形態では、主題のデバイスはマイクロ流体デバイスの一部である。いくつかの実施形態では、主題のデバイス、装置、システム、および方法を使用して、蛍光または発光信号を検出する。いくつかの実施形態では、主題のデバイス、装置、システム、および方法は、これらに限定されないが、携帯電話、タブレットコンピュータ、およびラップトップコンピュータなどの通信デバイスを含むか、またはこれらと一緒に使用される。いくつかの実施形態では、主題のデバイス、装置、システム、および方法は、これらに限定されないが、光学バーコード、無線周波数ＩＤタグ、またはそれらの組み合わせなどの識別子を含むか、またはこれらと一緒に使用される。
【０７４３】
いくつかの実施形態では、試料は対象から得られた診断試料であり、分析物はバイオマーカーであり、測定された試料中の分析物の量は疾患または状態の診断に役立つ。いくつかの実施形態では、対象のデバイス、システム、および方法は、疾患または状態を有しないか、またはその低いリスクにある個体において測定されたバイオマーカーの量および測定されたバイオマーカーの値の範囲を示すレポートを受信するか、または対象に提供することをさらに含み、測定された値の範囲に対する測定されたバイオマーカーの量は、疾患または状態の診断に役立つ。
【０７４４】
いくつかの実施形態では、試料は環境試料であり、分析物は環境マーカーである。いくつかの実施形態では、主題のデバイス、システム、および方法は、試料が得られた環境にさらされる対象の安全性または有害性を示すレポートを受信または提供することを含む。いくつかの実施形態では、主題のデバイス、システム、および方法は、測定された環境マーカーの量を含むデータを遠隔地に送信すること、および試料が得られた環境にさらされる対象の安全性または有害性を示すレポートを受信することを含む。
【０７４５】
いくつかの実施形態では、試料は食品試料であり、分析物は食品マーカーであり、試料中の食品マーカーの量は、消費する食品の安全性と相関する。いくつかの実施形態では、主題のデバイス、システム、および方法は、試料が得られる食品を消費する対象の安全性または有害性を示すレポートを受信または提供することを含む。いくつかの実施形態では、主題のデバイス、システム、および方法は、測定された食料マーカーの量を含むデータを遠隔地に送信すること、および試料が得られる食品を消費する対象の安全性または有害性を示すレポートを受信することを含む。
【０７４６】
（１１）寸法
本明細書に開示されるデバイス、装置、システム、および方法は、プレートおよびスペーサを含むことができるＱＭＡＸデバイスを含むか、または使用することができる。いくつかの実施形態では、ＱＭＡＸデバイスおよびそのアダプタの個々の構成要素の寸法は、２０１６年８月１０日に出願されたＰＣＴ出願（米国指定）第ＰＣＴ／ＵＳ２０１６／０４５４３７号、および２０１６年１２月９日に出願された米国仮出願第６２，４３１，６３９号および２０１７年２月８日に出願された第６２／４５６，２８７号に列挙、説明、および／または要約されており、これらは全てそれらの全体において参照により本明細書に組み込まれる。
【０７４７】
いくつかの実施形態では、寸法は以下の表に列挙されている。
【０７４８】
プレート：
2021501321.tif 000003
2021501321.tif 000004
【０７４９】
ヒンジ：
2021501321.tif 000005
2021501321.tif 000006
【０７５０】
ノッチ：
2021501321.tif 000007
【０７５１】
溝：
2021501321.tif 000008
【０７５２】
レセプタクルスロット：
2021501321.tif 000009
【０７５３】
（１２）クラウド
本明細書に開示されるデバイス／装置、システム、および方法は、データ転送、ストレージ、および／または分析のためにクラウド技術を使用することができる。関連するクラウド技術は、本明細書に開示され、それぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列挙、説明、および／または要約されている。
【０７５４】
いくつかの実施形態では、クラウドストレージおよびコンピューティング技術は、クラウドデータベースを含むことができる。単なる例として、クラウドプラットフォームは、プライベートクラウド、パブリッククラウド、ハイブリッドクラウド、コミュニティクラウド、分散クラウド、インタークラウド、マルチクラウドなど、またはそれらの任意の組み合わせを含むことができる。いくつかの実施形態では、モバイルデバイス（例えば、スマートフォン）は、ローカルエリアネットワーク（ＬＡＮ）またはワイドエリアネットワーク（ＷＡＮ）を含む任意の種類のネットワークを介してクラウドに接続され得る。
【０７５５】
いくつかの実施形態では、試料に関連するデータ（例えば、試料の画像）は、モバイルデバイスによって処理することなくクラウドに送信され、さらなる分析が遠隔で実施され得る。いくつかの実施形態では、試料に関連するデータは、モバイルデバイスによって処理され、結果はクラウドに送信される。いくつかの実施形態では、生データおよび結果の両方がクラウドに転送される。
【図１】
2021501321.tif 000011
【図２】
2021501321.tif 000012
【図３】
2021501321.tif 000013
【図４】
2021501321.tif 000014
【図５】
2021501321.tif 000015
【国際調査報告】
2021501321.tif 000016
2021501321.tif 000017